(57)【要約】この出願は、通信方法及び通信デバイスを提供する。方法は、第１のデバイスが、第２のデバイスによって送信された第１のメッセージを受信すること、第１のメッセージが、第１のデバイスのベアラのベアラ設定と、ベアラ設定の初期ステータスとを示すために用いられ、ベアラ設定は、第１のベアラ設定及び／又は第２のベアラ設定を含むこと、第１のデバイスは、ベアラ設定と、ベアラ設定の初期ステータスとを第１のメッセージに基づいて決定することを含む。この出願の実施形態における技術的解決策によれば、端末デバイスのベアラ設定と、端末のベアラ設定の初期ステータスとが示される。端末のベアラのベアラ設定と、端末のベアラ設定の初期ステータスとの両方が示されることで、通信効率が改善する。
2021522744.tif 000002
【特許請求の範囲】
【請求項１】
第１のデバイスによって、第２のデバイスによって送信された第１のメッセージを受信するステップであって、前記第１のメッセージは、前記第１のデバイスのベアラのベアラ設定と前記ベアラ設定の初期ステータスとを示すために用いられ、前記ベアラ設定は、第１のベアラ設定及び／又は第２のベアラ設定を含む、ステップと、
前記第１のデバイスによって、前記第１のメッセージに基づいて、前記ベアラ設定と前記ベアラ設定の前記初期ステータスとを決定するステップと
を含む、通信方法。
【請求項２】
前記第１のメッセージが第１の指示情報を含むとき、それは、前記ベアラ設定が前記第１のベアラ設定であることを示す、又は、
前記第１のメッセージが第１の指示情報を含まないとき、それは、前記ベアラ設定が前記第２のベアラ設定であることを示す、
請求項１に記載の通信方法。
【請求項３】
前記第１のメッセージが前記第１の指示情報を含むとき、前記第１の指示情報の値は、前記第１のベアラ設定の初期ステータスを示すために用いられる、
請求項２に記載の通信方法。
【請求項４】
前記第１のデバイスの前記ベアラが２つのパスを含むとき、前記第１の指示情報の前記値は、前記第１のベアラ設定の前記初期ステータスを示すために用いられ、前記初期ステータスは、アクティブ化状態又は非アクティブ化状態を含む、
請求項３に記載の通信方法。
【請求項５】
前記第１のデバイスの前記ベアラがＮ個のパスを含むとき、前記第１のベアラ設定の前記初期ステータスは、前記Ｎ個のパスのうちプライマリパス以外のＮ−１個のパスの初期ステータスを含み、前記Ｎ−１個のパスの前記初期ステータスそれぞれはアクティブ化状態又は非アクティブ化状態であり、前記第１の指示情報の前記値は、１ビットであるか又は０から１の範囲にわたり、かつ前記Ｎ−１個のパスの前記初期ステータスを示すために用いられ、Ｎは１より大きい正の整数である、又は、
前記第１のデバイスの前記ベアラがＮ個のパスを含むとき、前記第１のベアラ設定の前記初期ステータスは、前記Ｎ個のパスのうちプライマリパス以外のＮ−１個のパスの初期ステータスを含み、前記Ｎ−１個のパスの前記初期ステータスは、アクティブ化状態又は非アクティブ化状態を含み、前記第１の指示情報の前記値は、Ｎ−１ビットであるか又は０から２(N-1)−１の範囲にわたり、かつ前記Ｎ−１個のパスの前記初期ステータスを示すために用いられ、Ｎは１より大きい正の整数である、又は、
前記第１のデバイスの前記ベアラがＮ個のパスを含むとき、前記第１のベアラ設定の前記初期ステータスは、前記Ｎ個のパスの初期ステータスを含み、各パスの前記初期ステータスは、アクティブ化状態又は非アクティブ化状態であり、前記第１の指示情報の前記値は、Ｎビットであるか又は０から２(N-1)の範囲にわたり、かつ前記Ｎ個のパスの前記初期ステータスを示すために用いられ、Ｎは１より大きい正の整数である、又は、
前記第１のデバイスの前記ベアラがＮ個のパスを含むとき、前記第１のベアラ設定の前記初期ステータスは、前記Ｎ個のパスのうちプライマリパス以外のＮ−１個のパスの初期ステータスを含み、前記Ｎ−１個のパスの前記初期ステータスは、アクティブ化状態又は非アクティブ化状態を含み、前記第１の指示情報の前記値は、Ｍビットであるか又は０から２(M-1)の範囲にわたり、かつ前記Ｍビットのそれぞれ又はバイナリ変換後に得られるＭビットのそれぞれは、前記Ｎ−１個のパスのうち少なくとも１つのそれぞれの初期ステータスが、前記アクティブ化状態又は前記非アクティブ化状態であることを示すために用いられ、ＮはＭより大きく、Ｎ及びＭの両方は、１より大きい正の整数である、又は、
前記第１のデバイスの前記ベアラがＮ個のパスを含むとき、前記第１のベアラ設定の前記初期ステータスは、前記Ｎ個のパスの初期ステータスを含み、各パスの前記初期ステータスは、アクティブ化状態又は非アクティブ化状態であり、前記第１の指示情報の前記値は、Ｍビットであるか又は０から２(M-1)の範囲にわたり、かつ前記Ｍビットのそれぞれ又はバイナリ変換後に得られるＭビットのそれぞれは、前記Ｎ個のパスのうち少なくとも１つのそれぞれの初期ステータスが前記アクティブ化状態又は前記非アクティブ化状態であることを示すために用いられ、ＮはＭより大きく、Ｎ及びＭの両方は１より大きい正の整数である、
請求項３に記載の通信方法。
【請求項６】
前記第１の指示情報の前記値が複数のビットであるか又はバイナリ変換後に得られる複数のビットであるとき、
前記複数のビットは、前記複数のパスの論理チャネル識別子ＬＣＩＤの降順でソートされる、又は、
前記複数のビットは、前記複数のパスのＬＣＩＤの昇順でソートされる、又は、
前記複数のビットは、前記複数のパスのＬＣＩＤを設定する順序でソートされる、又は、
前記複数のビットは、前記複数のパスのＬＣＩＤが属するセルグループの順序でソートされ、具体的には、ソートは、最初にマスタセルグループＬＣＩＤ、次いでセカンダリセルグループＬＣＩＤの順序で実行され、ソートは、各セルグループにおける複数のパスのＬＣＩＤの昇順で実行される、又は、
前記複数のビットは、前記複数のパスのＬＣＩＤが属するセルグループの順序でソートされ、具体的には、ソートは、最初にセカンダリセルグループＬＣＩＤ、次いでマスタセルグループＬＣＩＤの順序で実行され、ソートは、各セルグループにおける複数のパスのＬＣＩＤの昇順で実行される、又は、
前記複数のビットは、前記複数のパスのＬＣＩＤが属するセルグループの順序でソートされ、具体的には、ソートは、最初にマスタセルグループＬＣＩＤ、次いでセカンダリセルグループＬＣＩＤの順序で実行され、ソートは、各セルグループにおける前記複数のパスのＬＣＩＤの降順で実行される、又は、
前記複数のビットは、前記複数のパスのＬＣＩＤが属するセルグループの順序でソートされ、具体的には、ソートは、最初にセカンダリセルグループＬＣＩＤ、次いでマスタセルグループＬＣＩＤの順序で実行され、ソートは、各セルグループにおける複数のパスのＬＣＩＤの降順で実行される、又は、
前記複数のビットは、前記複数のパスのＬＣＩＤの降順でソートされ、ＬＣＩＤが同じ値を持つとき、ソートは、最初にマスタセルグループＬＣＩＤ、次いでセカンダリセルグループＬＣＩＤの順序で実行される、又は、
前記複数のビットは、前記複数のパスのＬＣＩＤの降順でソートされ、ＬＣＩＤが同じ値を持つとき、ソートは、最初にセカンダリセルグループＬＣＩＤ、次いでマスタセルグループＬＣＩＤの順序で実行される、又は、
前記複数のビットは、前記複数のパスのＬＣＩＤの昇順でソートされ、ＬＣＩＤが同じ値を持つとき、ソートは、最初にマスタセルグループＬＣＩＤ、次いでセカンダリセルグループＬＣＩＤの順序で実行される、又は、
前記複数のビットは、前記複数のパスのＬＣＩＤの昇順でソートされ、ＬＣＩＤが同じ値を持つとき、ソートは、最初にセカンダリセルグループＬＣＩＤ、次いでマスタセルグループＬＣＩＤの順序で実行される、
請求項４又は５に記載の通信方法。
【請求項７】
前記第１のメッセージは、第２の指示情報を含み、前記第２の指示情報は、前記ベアラ設定を示すために用いられる、
請求項１に記載の通信方法。
【請求項８】
前記第１のメッセージは、第３の指示情報をさらに含み、前記第３の指示情報は、前記ベアラ設定の前記初期ステータスを示すために用いられる、
請求項７に記載の通信方法。
【請求項９】
前記第１のデバイスの前記ベアラが２つのパスを含むとき、前記第３の指示情報の値は、前記第１のベアラ設定の初期ステータスを示すために用いられ、前記初期ステータスは、アクティブ化状態又は非アクティブ化状態を含む、
請求項８に記載の通信方法。
【請求項１０】
前記第１のメッセージは、第４の指示情報を含み、前記第４の指示情報の値は、前記ベアラ設定と前記ベアラ設定の前記初期ステータスとを示すために用いられる、
請求項１に記載の通信方法。
【請求項１１】
前記第１のメッセージが第５の指示情報を含むとき、それは、前記ベアラ設定が前記第２のベアラ設定であることを示す、又は、
前記第１のメッセージが第６の指示情報を含むが、前記第５の指示情報を含まないとき、それは、前記ベアラ設定が前記第１のベアラ設定であり、かつ前記第１のベアラ設定の初期ステータスがアクティブ化状態であることを示す、又は、
前記第１のメッセージが前記第５の指示情報も、前記第６の指示情報も含まないとき、それは、前記ベアラ設定が前記第１のベアラ設定であり、かつ前記第１のベアラ設定の初期ステータスが非アクティブ化状態であることを示す、
請求項１に記載の通信方法。
【請求項１２】
前記第１のベアラ設定は、複製 duplication を持つベアラを設定することであり、及び／又は、
前記第２のベアラ設定は、分割 split ベアラである、
請求項１〜１１のいずれか１項に記載の通信方法。
【請求項１３】
前記第１のデバイスの前記ベアラは、データ無線ベアラ又はシグナリング無線ベアラである、
請求項１〜１２のいずれか１項に記載の通信方法。
【請求項１４】
第２のデバイスによって、第１のデバイスのベアラのベアラ設定と、前記ベアラ設定の初期ステータスとを設定するステップと、
前記第２のデバイスによって、第１のメッセージを前記第１のデバイスに送信するステップであって、前記第１のメッセージは、前記ベアラ設定と、前記ベアラ設定の前記初期ステータスとを示すために用いられ、前記ベアラ設定は、第１のベアラ設定及び／又は第２のベアラ設定を含む、ステップと
を含む、通信方法。
【請求項１５】
前記第１のメッセージが第１の指示情報を含むとき、それは、前記ベアラ設定が前記第１のベアラ設定であることを示す、又は、
前記第１のメッセージが第１の指示情報を含まないとき、それは、前記ベアラ設定が前記第２のベアラ設定であることを示す、
請求項１４に記載の通信方法。
【請求項１６】
前記第１のメッセージが前記第１の指示情報を含むとき、前記第１の指示情報の値は、前記第１のベアラ設定の初期ステータスを示すために用いられる、
請求項１５に記載の通信方法。
【請求項１７】
前記第１のデバイスの前記ベアラが２つのパスを含むとき、前記第１の指示情報の前記値は、前記第１のベアラ設定の前記初期ステータスを示すために用いられ、前記初期ステータスは、アクティブ化状態又は非アクティブ化状態を含む、
請求項１６に記載の通信方法。
【請求項１８】
通信デバイスであって、前記通信デバイスは、少なくとも１つのプロセッサと、通信インターフェースとを含み、前記通信インターフェースは、前記通信デバイスと他の通信デバイスとの間の情報交換を実行するように構成され、プログラム命令が前記少なくとも１つのプロセッサによって実行されるとき、前記通信デバイスは、請求項１〜１３のいずれか１項に記載の前記通信方法における前記通信デバイスの機能を実装することができる、通信デバイス。
【請求項１９】
通信デバイスであって、前記通信デバイスは、少なくとも１つのプロセッサと、通信インターフェースとを含み、前記通信インターフェースは、前記通信デバイスと他の通信デバイスとの間の情報交換を実行するように構成され、プログラム命令が前記少なくとも１つのプロセッサによって実行されるとき、前記通信デバイスは、請求項１４〜１７のいずれか１項に記載の前記通信方法における前記通信デバイスの機能を実装することができる、通信デバイス。
【請求項２０】
通信デバイスであって、前記通信デバイスは、請求項１〜１３のいずれか１項に記載の前記通信方法を実行するように構成され、前記通信デバイスは、請求項１〜１３のいずれか１項に記載の前記通信方法を実行するように構成されたモジュールを備える、通信デバイス。
【請求項２１】
通信デバイスであって、前記通信デバイスは、請求項１４〜１７のいずれか１項に記載の前記通信方法を実行するように構成され、前記通信デバイスは、請求項１４〜１７のいずれか１項に記載の前記通信方法を実行するように構成されたモジュールを備える、通信デバイス。
【請求項２２】
通信デバイスに適用されるチップシステムであって、前記チップシステムは、少なくとも１つのプロセッサと、少なくとも１つのメモリと、インターフェース回路とを備え、前記インターフェース回路は、前記チップシステムとその外部との間の情報交換を担い、前記少なくとも１つのメモリ、前記インターフェース回路、及び前記少なくとも１つのプロセッサは、ラインを通じて互いに接続され、前記少なくとも１つのメモリは、命令を格納し、前記命令は、請求項１〜１７のいずれか１項に記載の前記通信方法において前記通信デバイスによって実行される処理を実行するために、前記少なくとも１つのプロセッサによって実行される、チップシステム。
【請求項２３】
通信システムであって、前記通信システムは、通信デバイスを含み、前記通信デバイスは、請求項１〜１７のいずれか１項に記載の前記通信デバイスである、通信システム。
【請求項２４】
通信デバイスに適用されるコンピュータプログラム製品であって、前記コンピュータプログラム製品は一連の命令を含み、前記命令が実行され、請求項１〜１７のいずれか１項に記載の前記通信方法において前記通信デバイスによって実行される処理を実行する、コンピュータプログラム製品。
【請求項２５】
コンピュータ可読記録媒体であって、前記コンピュータ可読記録媒体は、命令を格納し、前記命令がコンピュータ上で実行されるとき、前記コンピュータは、請求項１〜１７のいずれか１項に記載の前記通信方法を実行することができる、コンピュータ可読記録媒体。
【発明の詳細な説明】
【技術分野】
【０００１】
本出願は、その全体が参照により本明細書に組み込まれる、２０１８年５月９日に中国特許庁で出願された「ＣＯＭＭＵＮＩＣＡＴＩＯＮ  ＭＥＴＨＯＤ  ＡＮＤ  ＣＯＭＭＵＮＩＣＡＴＩＯＮＳ  ＡＰＰＡＲＡＴＵＳ」と題する中国特許出願第２０１８１０４３９４０１．５号の優先権を主張する。
【０００２】
本出願は、通信分野に関し、より詳細には、通信方法及び通信デバイスに関する。
【背景技術】
【０００３】
複製（ｄｕｐｌｉｃａｔｉｏｎ）を用いるベアラは、第５世代モバイル通信（ｔｈｅ  ５ｔｈ  Ｇｅｎｅｒａｔｉｏｎ、５Ｇ）新無線（Ｎｅｗ  Ｒａｄｉｏ、ＮＲ）に導入された新しい特徴である。２つのデータユニットが、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）レイヤにおいて生成され、２つの接続された無線リンク制御（Ｒａｄｉｏ  Ｌｉｎｋ  Ｃｏｎｔｒｏｌ、ＲＬＣ）レイヤに送信される。基地局は、複製が端末デバイスのために構成されているかどうかを示す必要があり、端末デバイスのために複製を用いるベアラを構成するとき、基地局は、複製を用いて構成されるベアラの初期ステータスを指定する必要がある。初期ステータスは、端末デバイスが構成情報を受信した後に、構成されている複製が動作するかどうかに関するステータスとして理解されてよい。現在、５Ｇ新無線では、複製を用いて構成されているベアラの初期ステータスをどのように示すべきかが指定されていない。
【０００４】
従って、５Ｇ新無線において端末デバイスのベアラ設定及びそのベアラ設定の初期ステータスをどのように示すべきかが、喫緊に解決されるべき技術的問題となる。
【発明の概要】
【０００５】
本出願は、端末デバイスのベアラ設定及び端末のベアラ設定の初期ステータスが示されることが可能であるような、通信方法及び通信デバイスを提供する。端末のベアラのベアラ設定と、端末のベアラ設定の初期ステータスの両方が構成されるので、通信効率が改善される。
【０００６】
第１の態様によれば、通信方法が提供される。通信方法は、第１のデバイスが、第２のデバイスによって送られた第１のメッセージを受信することを含む。第１のメッセージは、第１のデバイスのベアラのベアラ設定及びそのベアラ設定の初期ステータスを示すために使用され、ベアラ設定は、第１のベアラ設定及び／又は第２のベアラ設定を含む。
【０００７】
第１のデバイスは、第１のメッセージに基づいてベアラ設定及びベアラ設定の初期ステータスを決定する。
【０００８】
本出願のこの実施形態における技術的解決策では、第１のデバイスは、第２のデバイスによって送られた第１のメッセージを受信し、第１のメッセージに基づいて、第１のデバイスのベアラのベアラ設定と、第１のデバイスのベアラ設定の初期ステータスの両方を決定する。これは通信効率を改善する。
【０００９】
第１の態様に関して、第１の態様の第１の可能な実装では、第１のメッセージが第１の指示情報を含むとき、それは、ベアラ設定が第１のベアラ設定であることを示す。
【００１０】
代替として、第１のメッセージが第１の指示情報を含まないとき、それは、ベアラ設定が第２のベアラ設定であることを示す。
【００１１】
第１の態様の第１の可能な実装に関して、第２の可能な実装では、第１のメッセージが第１の指示情報を含むとき、第１の指示情報の値は、第１のベアラ設定の初期ステータスを示すために使用される。
【００１２】
第１の態様の第２の可能な実装に関して、第３の可能な実装では、第１のデバイスのベアラが２つのパスを含むとき、第１の指示情報の値は、第１のベアラ設定の初期ステータスを示すために使用され、初期ステータスは、アクティブ化状態又は非アクティブ化状態を含む。
【００１３】
第１の態様の第２の可能な実装に関して、第４の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含み、Ｎ−１個のパスの初期ステータスはそれぞれ、アクティブ化状態又は非アクティブ化状態であり、第１の指示情報の値は、１ビットであるか又は０から１にわたり、Ｎ−１個のパスの初期ステータスを示すために使用され、Ｎは、１よりも大きい正の整数である。
【００１４】
第１の態様の第２の可能な実装に関して、第５の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含み、第１の指示情報の値は、Ｎ−１ビットであるか又は０から２(N-1)−１にわたり、Ｎ−１個のパスの初期ステータスを示すために使用され、Ｎは、１よりも大きい正の整数である。
【００１５】
第１の態様の第２の可能な実装に関して、第６の可能な実装では、第１のデバイスのベアラがＮ個のパスを含むとき、第１のベアラ設定の初期ステータスは、Ｎ個のパスの初期ステータスを含み、各パスの初期ステータスは、アクティブ化状態又は非アクティブ化状態であり、第１の指示情報の値は、Ｎビットであるか又は０から２(N-1)にわたり、Ｎ個のパスの初期ステータスを示すために使用され、Ｎは、１よりも大きい正の整数である。
【００１６】
第１の態様の第２の可能な実装に関して、第７の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含む。第１の指示情報の値は、Ｍビットであるか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【００１７】
第１の態様の第２の可能な実装に関して、第８の可能な実装では、第１のデバイスのベアラがＮ個のパスを含むとき、第１のベアラ設定の初期ステータスは、Ｎ個のパスの初期ステータスを含む。各パスの初期ステータスは、アクティブ化状態又は非アクティブ化状態である。第１の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【００１８】
第１の態様の第３から第８の可能な実装のいずれか１つに関して、第９の可能な実装では、第１の指示情報の値が、複数のビットであるか又はバイナリ変換の後に取得される複数のビットであるとき、複数のビットは、複数のパスの論理チャネル識別子ＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの降順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの降順に実施されるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【００１９】
第１の態様に関して、第１の態様の第１０の可能な実装では、第１のメッセージは第２の指示情報を含み、第２の指示情報は、ベアラ設定を示すために使用される。
【００２０】
第１の態様の第１０の可能な実装に関して、第１１の可能な実装では、第１のメッセージは第３の指示情報をさらに含み、第３の指示情報は、ベアラ設定の初期ステータスを示すために使用される。
【００２１】
第１の態様の第１１の可能な実装に関して、第１２の可能な実装では、第１のデバイスのベアラが２つのパスを含むとき、第３の指示情報の値は、第１のベアラ設定の初期ステータスを示すために使用され、初期ステータスは、アクティブ化状態又は非アクティブ化状態を含む。
【００２２】
第１の態様の第１０の可能な実装に関して、第１３の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスはそれぞれ、アクティブ化状態又は非アクティブ化状態であり、第３の指示情報の値は、１ビットであるか又は０から１にわたり、Ｎ−１個のパスの初期ステータスを示すために使用され、Ｎは、１よりも大きい正の整数である。
【００２３】
第１の態様の第１０の可能な実装に関して、第１４の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含み、第３の指示情報の値は、Ｎ−１ビットであるか又は０から２(N-1)−１にわたり、Ｎ−１個のパスの初期ステータスを示すために使用され、Ｎは、１よりも大きい正の整数である。
【００２４】
第１の態様の第１０の可能な実装に関して、第１５の可能な実装では、第１のデバイスのベアラがＮ個のパスを含むとき、第１のベアラ設定の初期ステータスは、Ｎ個のパスの初期ステータスを含み、各パスの初期ステータスは、アクティブ化状態又は非アクティブ化状態であり、第３の指示情報の値は、Ｎビットであるか又は０から２(N-1)にわたり、Ｎ個のパスの初期ステータスを示すために使用され、Ｎは、１よりも大きい正の整数である。
【００２５】
第１の態様の第１０の可能な実装に関して、第１６の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含む。第３の指示情報の値は、Ｍビットであるか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【００２６】
第１の態様の第１０の可能な実装に関して、第１７の可能な実装では、第１のデバイスのベアラがＮ個のパスを含むとき、第１のベアラ設定の初期ステータスは、Ｎ個のパスの初期ステータスを含む。各パスの初期ステータスは、アクティブ化状態又は非アクティブ化状態である。第３の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【００２７】
第１の態様の第１３から第１７の可能な実装のいずれか１つに関して、第１８の可能な実装では、第３の指示情報の値が、複数のビットであるか又はバイナリ変換の後に取得される複数のビットであるとき、複数のビットは、複数のパスのＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの降順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの降順に実施されるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【００２８】
第１の態様に関して、第１９の可能な実装では、第１のメッセージは第４の指示情報を含み、第４の指示情報の値は、ベアラ設定及びベアラ設定の初期ステータスを示すために使用される。
【００２９】
第１の態様に関して、第２０の可能な実装では、第１のメッセージが第５の指示情報を含むとき、それは、ベアラ設定が第２のベアラ設定であることを示す。
【００３０】
代替として、第１のメッセージが第６の指示情報を含むが、第５の指示情報を含まないとき、それは、ベアラ設定が第１のベアラ設定であり、第１のベアラ設定の初期ステータスがアクティブ化状態であることを示す。
【００３１】
代替として、第１のメッセージが第５の指示情報も第６の指示情報も含まないとき、それは、ベアラ設定が第１のベアラ設定であり、第１のベアラ設定の初期ステータスが非アクティブ化状態であることを示す。
【００３２】
第１の態様及び第１の態様の第１から第２０の可能な実装のいずれか１つに関して、第２１の可能な実装では、第１のベアラ設定は複製ｄｕｐｌｉｃａｔｉｏｎベアラ設定であり、及び／又は
第２のベアラ設定は分割ｓｐｌｉｔベアラである。
【００３３】
第１の態様及び第１の態様の第１から第２１の可能な実装のいずれか１つに関して、第２２の可能な実装では、第１のデバイスのベアラは、データ無線ベアラ又はシグナリング無線ベアラである。
【００３４】
第２の態様によれば、通信方法が提供される。通信方法は以下を含む。
【００３５】
第２のデバイスが、第１のデバイスのベアラのベアラ設定及びそのベアラ設定の初期ステータスを構成する。
【００３６】
第２のデバイスは、第１のデバイスに第１のメッセージを送る。第１のメッセージは、ベアラ設定及びベアラ設定の初期ステータスを示すために使用され、ベアラ設定は、第１のベアラ設定及び／又は第２のベアラ設定を含む。
【００３７】
本出願のこの実施形態における技術的解決策では、第２のデバイスは、第１のデバイスのベアラのベアラ設定及びベアラ設定の初期ステータスを構成し、第１のデバイスに第１のメッセージを送る。第１のメッセージは、第１のデバイスのベアラのベアラ設定と、第１のデバイスのベアラ設定の初期ステータスの両方を示すために使用される。これは通信効率を改善する。
【００３８】
第２の態様に関して、第２の態様の第１の可能な実装では、第１のメッセージが第１の指示情報を含むとき、それは、ベアラ設定が第１のベアラ設定であることを示す。
【００３９】
代替として、第１のメッセージが第１の指示情報を含まないとき、それは、ベアラ設定が第２のベアラ設定であることを示す。
【００４０】
第２の態様の第１の可能な実装に関して、第２の可能な実装では、第１のメッセージが第１の指示情報を含むとき、第１の指示情報の値は、第１のベアラ設定の初期ステータスを示すために使用される。
【００４１】
第２の態様の第２の可能な実装に関して、第３の可能な実装では、第１のデバイスのベアラが２つのパスを含むとき、第１の指示情報の値は、第１のベアラ設定の初期ステータスを示すために使用され、初期ステータスは、アクティブ化状態又は非アクティブ化状態を含む。
【００４２】
第２の態様の第２の可能な実装に関して、第４の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含み、Ｎ−１個のパスの初期ステータスはそれぞれ、アクティブ化状態又は非アクティブ化状態であり、第１の指示情報の値は、１ビットであるか又は０から１にわたり、Ｎ−１個のパスの初期ステータスを示すために使用され、Ｎは、１よりも大きい正の整数である。
【００４３】
第２の態様の第２の可能な実装に関して、第５の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含み、第１の指示情報の値は、Ｎ−１ビットであるか又は０から２(N-1)−１にわたり、Ｎ−１個のパスの初期ステータスを示すために使用され、Ｎは、１よりも大きい正の整数である。
【００４４】
第２の態様の第２の可能な実装に関して、第６の可能な実装では、第１のデバイスのベアラがＮ個のパスを含むとき、第１のベアラ設定の初期ステータスは、Ｎ個のパスの初期ステータスを含み、各パスの初期ステータスは、アクティブ化状態又は非アクティブ化状態であり、第１の指示情報の値は、Ｎビットであるか又は０から２(N-1)にわたり、Ｎ個のパスの初期ステータスを示すために使用され、Ｎは、１よりも大きい正の整数である。
【００４５】
第２の態様の第２の可能な実装に関して、第７の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含む。第１の指示情報の値は、Ｍビットであるか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【００４６】
第２の態様の第２の可能な実装に関して、第８の可能な実装では、第１のデバイスのベアラがＮ個のパスを含むとき、第１のベアラ設定の初期ステータスは、Ｎ個のパスの初期ステータスを含む。各パスの初期ステータスは、アクティブ化状態又は非アクティブ化状態である。第１の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【００４７】
第２の態様の第３から第８の可能な実装のいずれか１つに関して、第９の可能な実装では、第１の指示情報の値が、複数のビットであるか又はバイナリ変換の後に取得される複数のビットであるとき、複数のビットは、複数のパスの論理チャネル識別子ＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの降順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの降順に実施されるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【００４８】
第２の態様に関して、第２の態様の第１０の可能な実装では、第１のメッセージは第２の指示情報を含み、第２の指示情報は、ベアラ設定を示すために使用される。
【００４９】
第２の態様の第１０の可能な実装に関して、第１１の可能な実装では、第１のメッセージは第３の指示情報をさらに含み、第３の指示情報は、ベアラ設定の初期ステータスを示すために使用される。
【００５０】
第２の態様の第１１の可能な実装に関して、第１２の可能な実装では、第１のデバイスのベアラが２つのパスを含むとき、第３の指示情報の値は、第１のベアラ設定の初期ステータスを示すために使用され、初期ステータスは、アクティブ化状態又は非アクティブ化状態を含む。
【００５１】
第２の態様の第１０の可能な実装に関して、第１３の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含み、Ｎ−１個のパスの初期ステータスはそれぞれ、アクティブ化状態又は非アクティブ化状態であり、第３の指示情報の値は、１ビットであるか又は０から１にわたり、Ｎ−１個のパスの初期ステータスを示すために使用され、Ｎは、１よりも大きい正の整数である。
【００５２】
第２の態様の第１１の可能な実装に関して、第１４の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含み、第３の指示情報の値は、Ｎ−１ビットであるか又は０から２(N-1)−１にわたり、Ｎ−１個のパスの初期ステータスを示すために使用され、Ｎは、１よりも大きい正の整数である。
【００５３】
第２の態様の第１０の可能な実装に関して、第１５の可能な実装では、第１のデバイスのベアラがＮ個のパスを含むとき、第１のベアラ設定の初期ステータスは、Ｎ個のパスの初期ステータスを含み、各パスの初期ステータスは、アクティブ化状態又は非アクティブ化状態であり、第３の指示情報の値は、Ｎビットであるか又は０から２(N-1)にわたり、Ｎ個のパスの初期ステータスを示すために使用され、Ｎは、１よりも大きい正の整数である。
【００５４】
第２の態様の第１１の可能な実装に関して、第１６の可能な実装では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含む。第３の指示情報の値は、Ｍビットであるか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【００５５】
第２の態様の第１１の可能な実装に関して、第１７の可能な実装では、第１のデバイスのベアラがＮ個のパスを含むとき、第１のベアラ設定の初期ステータスは、Ｎ個のパスの初期ステータスを含む。各パスの初期ステータスは、アクティブ化状態又は非アクティブ化状態である。第３の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【００５６】
第２の態様の第１３から第１７の可能な実装のいずれか１つに関して、第１８の可能な実装では、第３の指示情報の値が、複数のビットであるか又はバイナリ変換の後に取得される複数のビットであるとき、複数のビットは、複数のパスのＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの降順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの降順に実施されるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【００５７】
第２の態様に関して、第２の態様の第１９の可能な実装では、第１のメッセージは第４の指示情報を含み、第４の指示情報の値は、ベアラ設定及びベアラ設定の初期ステータスを示すために使用される。
【００５８】
第２の態様に関して、第２の態様の第２０の可能な実装では、第１のメッセージが第５の指示情報を含むとき、それは、ベアラ設定が第２のベアラ設定であることを示す。
【００５９】
代替として、第１のメッセージが第６の指示情報を含むが、第５の指示情報を含まないとき、それは、ベアラ設定が第１のベアラ設定であり、第１のベアラ設定の初期ステータスがアクティブ化状態であることを示す。
【００６０】
代替として、第１のメッセージが第５の指示情報も第６の指示情報も含まないとき、それは、ベアラ設定が第１のベアラ設定であり、第１のベアラ設定の初期ステータスが非アクティブ化状態であることを示す。
【００６１】
第２の態様及び第２の態様の第１から第２０の可能な実装のいずれか１つに関して、第２１の可能な実装では、第１のベアラ設定は複製ｄｕｐｌｉｃａｔｉｏｎベアラ設定であり、及び／又は
第２のベアラ設定は分割ｓｐｌｉｔベアラである。
【００６２】
第２の態様及び第２の態様の第１から第２１の可能な実装のいずれか１つに関して、第２２の可能な実装では、第１のデバイスのベアラは、データ無線ベアラ又はシグナリング無線ベアラである。
【００６３】
第３の態様によれば、通信デバイスが提供される。通信デバイスは、プロセッサ、トランシーバ、及びメモリを含む。プロセッサ、トランシーバ、及びメモリは、内部接続パスを通して互いに通信する。メモリは、命令を記憶するように構成され、プロセッサは、メモリに記憶された命令を実行するように構成される。プロセッサが、メモリに記憶された命令を実行するとき、通信デバイスは、第１の態様及び第１の態様のいずれかの可能な実装による方法を実施することを可能にされる。
【００６４】
第４の態様によれば、通信デバイスが提供される。通信デバイスは、プロセッサ、トランシーバ、及びメモリを含む。プロセッサ、トランシーバ、及びメモリは、内部接続パスを通して互いに通信する。メモリは、命令を記憶するように構成され、プロセッサは、メモリに記憶された命令を実行するように構成される。プロセッサが、メモリに記憶された命令を実行するとき、通信デバイスは、第２の態様及び第２の態様のいずれかの可能な実装による方法を実施することを可能にされる。
【００６５】
第５の態様によれば、通信デバイスが提供される。通信デバイスは、第１の態様及び第１の態様のいずれかの可能な実装による方法を実施するように構成される。特に、通信デバイスは、第１の態様及び第１の態様のいずれかの可能な実装による方法を実施するように構成されたモジュールを含む。
【００６６】
第６の態様によれば、通信デバイスが提供される。通信デバイスは、第２の態様及び第２の態様のいずれかの可能な実装による方法を実施するように構成される。特に、通信デバイスは、第２の態様及び第２の態様のいずれかの可能な実装による方法を実施するように構成されたモジュールを含む。
【００６７】
第７の態様によれば、チップシステムが提供される。チップシステムは通信デバイスに適用される。チップシステムは、少なくとも１つのプロセッサ、少なくとも１つのメモリ、及びインターフェース回路を含む。インターフェース回路は、チップシステムと外部との間の情報交換を担当する。少なくとも１つのメモリ、インターフェース回路、及び少なくとも１つのプロセッサは、ラインを通して互いに接続される。少なくとも１つのメモリは命令を記憶し、命令は、上記の態様による方法における通信デバイスによって実施される動作を実施するために、少なくとも１つのプロセッサによって実行される。
【００６８】
第８の態様によれば、通信システムが提供される。通信システムは通信デバイスを含む。通信デバイスは、上記の態様における通信デバイスである。
【００６９】
第９の態様によれば、コンピュータプログラム製品が提供される。コンピュータプログラム製品は通信デバイスに適用される。コンピュータプログラム製品は一連の命令を含み、命令は、上記の態様による方法における通信デバイスによって実施される動作を実施するために実行される。
【００７０】
第１０の態様によれば、コンピュータ可読記憶媒体が提供される。コンピュータ可読記憶媒体は命令を記憶し、命令がコンピュータ上で実行されるとき、コンピュータは、上記の態様による方法を実施することを可能にされる。
【図面の簡単な説明】
【００７１】
【図１】本出願のデータユニット処理方法がそれに適用可能である通信システムの概略図である。
【図２】本出願の実施形態による通信方法の概略対話図である。
【図３】本出願の実施形態による、第１のメッセージが複数のパスの初期ステータスを示す概略図である。
【図４】本出願の別の実施形態による、第１のメッセージが複数のパスの初期ステータスを示す概略図である。
【図５】本出願の別の実施形態による、第１のメッセージが複数のパスの初期ステータスを示す概略図である。
【図６】本出願の別の実施形態による、第１のメッセージが複数のパスの初期ステータスを示す概略図である。
【図７】本出願の別の実施形態による、第１のメッセージが複数のパスの初期ステータスを示す概略図である。
【図８】本出願の別の実施形態による、第１のメッセージが複数のパスの初期ステータスを示す概略図である。
【図９】本出願の別の実施形態による、第１のメッセージが複数のパスの初期ステータスを示す概略図である。
【図１０】本出願の別の実施形態による、第１のメッセージが複数のパスの初期ステータスを示す概略図である。
【図１１】本出願の別の実施形態による、第１のメッセージが複数のパスの初期ステータスを示す概略図である。
【図１２】本出願の別の実施形態による、第１のメッセージが複数のパスの初期ステータスを示す概略図である。
【図１３】本出願の別の実施形態による、第１のメッセージが複数のパスの初期ステータスを示す概略図である。
【図１４】本出願の別の実施形態による、第１のメッセージが複数のパスの初期ステータスを示す概略図である。
【図１５】本出願の別の実施形態による、第１のメッセージが複数のパスの初期ステータスを示す概略図である。
【図１６】本出願の別の実施形態による、第１のメッセージが複数のパスの初期ステータスを示す概略図である。
【図１７】本出願の別の実施形態による、第１のメッセージが複数のパスの初期ステータスを示す概略図である。
【図１８】本出願の別の実施形態による、第１のメッセージが複数のパスの初期ステータスを示す概略図である。
【図１９】本出願の実施形態による通信デバイスの概略ブロック図である。
【図２０】本出願の実施形態による通信デバイスの別の概略ブロック図である。
【図２１】本出願の実施形態による通信デバイスのさらに別の概略ブロック図である。
【図２２】本出願の実施形態による通信デバイスのまた別の概略ブロック図である。
【発明を実施するための形態】
【００７２】
以下で、添付の図面を参照しながら本出願における技術的解決策について説明する。
【００７３】
本出願において使用される「構成要素」、「モジュール」、及び「システム」などの用語は、コンピュータ関連のエンティティ、ハードウェア、ファームウェア、ハードウェアとソフトウェアの組合せ、ソフトウェア、又は実行されているソフトウェアを示すために使用される。例えば、構成要素は、限定はされないが、プロセッサ上で実行される処理、プロセッサ、オブジェクト、実行ファイル、実行スレッド、プログラム、及び／又はコンピュータであってよい。図に示されているように、コンピューティングデバイスと、コンピューティングデバイス上で実行されるアプリケーションの両方が構成要素であってよい。１つ又は複数の構成要素は、処理及び／又は実行スレッド内に常駐してよく、構成要素は、１つのコンピュータ上に配置され及び／又は２つ以上のコンピュータ間で分散されてよい。加えて、これらの構成要素は、様々なデータ構造を記憶する様々なコンピュータ可読媒体から実行されてよい。例えば、構成要素は、ローカル及び／又はリモート処理を使用することによって、並びに１つ又は複数のデータパケットを有する信号（例えば、ローカルシステム、分散システム中の別の構成要素と対話する２つの構成要素からの、及び／又は信号を使用することによって別のシステムと対話するインターネットなどのネットワークを介したデータ）に基づいて通信し得る。
【００７４】
本出願の実施形態における方式、場合、タイプ、及び実施形態の分割は、説明を容易にするためにすぎず、いかなる特別な限定ともならず、様々な方式、タイプ、場合、及び実施形態における特徴は、矛盾がないときは組み合わされてよいことを理解されたい。
【００７５】
本出願の実施形態では、「第１の」、「第２の」、「第３の」などは、異なる対象を示すことを意図されているにすぎず、示される対象に対して他の限定を表さないことをさらに理解されたい。
【００７６】
本出願の実施形態の技術的解決策は、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、将来の第５世代（５ｔｈ  Ｇｅｎｅｒａｔｉｏｎ、５Ｇ）システム、又は新無線（Ｎｅｗ  Ｒａｄｉｏ、ＮＲ）システムなど、様々な通信システムに適用されてよい。
【００７７】
本出願における通信方法は、端末デバイス又はネットワークデバイス（即ち、第１のデバイス）によって実施されてよい。
【００７８】
端末デバイスは、ユーザ機器（ｕｓｅｒ  ｅｑｕｉｐｍｅｎｔ、ＵＥ）、アクセス端末、加入者ユニット、加入者局、移動局、リモート局、リモート端末、モバイルデバイス、ユーザ端末、端末、ワイヤレス通信デバイス、ユーザエージェント、ユーザ装置などと呼ばれることもある。端末デバイスは、ＷＬＡＮにおける局（ＳＴＡＴＩＯＮ、ＳＴ）であってよく、セルラーフォン、コードレスフォン、セッション開始プロトコル（Ｓｅｓｓｉｏｎ  Ｉｎｉｔｉａｔｉｏｎ  Ｐｒｏｔｏｃｏｌ、ＳＩＰ）フォン、ワイヤレスローカルループ（Ｗｉｒｅｌｅｓｓ  Ｌｏｃａｌ  Ｌｏｏｐ、ＷＬＬ）局、携帯情報端末（Ｐｅｒｓｏｎａｌ  Ｄｉｇｉｔａｌ  Ａｓｓｉｓｔａｎｔ、ＰＤＡ）デバイス、ワイヤレス通信機能をもつハンドヘルドデバイス、ワイヤレスモデムに接続されたコンピューティングデバイス又は別の処理デバイス、車載型デバイス、ビークルのインターネット端末、コンピュータ、ラップトップコンピュータ、ハンドヘルド通信デバイス、ハンドヘルドコンピューティングデバイス、衛星ワイヤレスデバイス、ワイヤレスモデムカード、及びテレビジョンセットトップボックス（ｓｅｔ  ｔｏｐ  ｂｏｘ、ＳＴＢ）、顧客構内機器（ｃｕｓｔｏｍｅｒ  ｐｒｅｍｉｓｅ  ｅｑｕｉｐｍｅｎｔ、ＣＰＥ）、及び／又はワイヤレスシステム及び次世代通信システム中で通信を実施するように構成された別のデバイス、例えば、５Ｇネットワーク中の端末デバイス又は将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）ネットワーク中の端末デバイスであってよい。
【００７９】
限定ではなく例として、本出願の実施形態では、端末デバイスは、代替としてウェアラブルデバイスであってよい。ウェアラブルデバイスは、ウェアラブルインテリジェントデバイスと呼ばれることもあり、デイリーウェア、例えば、メガネ、グローブ、ウォッチ、衣類、及び靴においてインテリジェント設計を実施するためにウェアラブル技術を適用することによって開発されたウェアラブルデバイスの一般的な用語である。ウェアラブルデバイスは、体の上に直接着用されるか又はユーザの衣類又はアクセサリーに組み込まれるポータブルデバイスである。ウェアラブルデバイスは、ハードウェアデバイスであるだけでなく、ソフトウェアサポート、データ交換、及びクラウド対話を通して強力な機能を実装するためのデバイスでもある。広義には、ウェアラブルインテリジェントデバイスは、スマートウォッチ又はスマートメガネなど、スマートフォンに依存することなしに完全な又は部分的な機能を実装することができるフル機能の大型サイズデバイスと、例えば、身体的な兆候監視のための様々なスマートバンド、又はスマートジュエリーなど、ただ１つのタイプのアプリケーション機能に焦点を当て、スマートフォンなどの他のデバイスとともに動作する必要があるデバイスとを含む。
【００８０】
加えて、本出願の実施形態では、端末デバイスは、代替としてモノのインターネット（Ｉｎｔｅｒｎｅｔ  ｏｆ  Ｔｈｉｎｇｓ、ＩｏＴ）システム中の端末デバイスであってよい。ＩｏＴは、情報技術の将来の発展における重要な部分である。ＩｏＴの主な技術的特徴は、通信技術を介してオブジェクトをネットワークに接続して、人間とモノの相互接続及びモノとモノの相互接続のインテリジェントネットワークを実装することである。
【００８１】
ネットワークデバイスは、アクセスネットワークデバイス又はコアネットワークデバイスであってよい。
【００８２】
アクセスネットワークデバイスは、モバイルデバイスと通信するように構成されたデバイスであってよい。アクセスネットワークデバイスは、ＷＬＡＮにおけるアクセスポイント（ａｃｃｅｓｓ  ｐｏｉｎｔ、ＡＰ）、ＧＳＭ又はＣＤＭＡにおける基地局（ｂａｓｅ  ｔｒａｎｓｃｅｉｖｅｒ  ｓｔａｔｉｏｎ、ＢＴＳ）、ＷＣＤＭＡにおけるノードＢ（ｎｏｄｅＢ、ＮＢ）、新無線（Ｎｅｗ  Ｒａｄｉｏ、ＮＲ）システムにおけるｇＮＢ、発展型ノードＢ（ｅｖｏｌｕｔｉｏｎａｌ  ｎｏｄｅ  Ｂ、ｅＮＢ又はｅＮｏｄｅＢ）、リレー局、アクセスポイント、路側ユニット（Ｒｏａｄｓｉｄｅ  Ｕｎｉｔ、ＲＳＵ）、車載型デバイス、又はＬＴＥにおけるウェアラブルデバイス、将来の５Ｇネットワークにおけるアクセスネットワークデバイス、将来の発展型ＰＬＭＮネットワークにおけるアクセスネットワークデバイスなどであってよい。
【００８３】
加えて、本出願の実施形態では、アクセスネットワークデバイスは、セルにサービスを提供し、端末デバイスは、セルによって使用される送信リソース（例えば、時間領域リソース、周波数領域リソース、又はスペクトルリソース）を使用することによってネットワークデバイスと通信する。セルは、アクセスネットワークデバイス（例えば、基地局）に対応するセルであってよい。セルは、マクロ基地局に属し得る、或いは、スモールセル（ｓｍａｌｌ  ｃｅｌｌ）に対応する基地局に属し得る。本明細書におけるスモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含み得る。これらのスモールセルは、小さいカバレージエリア及び低い送信電力の特性を有し、高レートデータ送信サービスを提供することに適用可能である。
【００８４】
加えて、複数のセルが、ＬＴＥシステム又は５Ｇシステムにおいてキャリア上の同じ周波数帯域中で同時に動作し得る。いくつかの特殊なシナリオでは、キャリアの概念は、セルのそれと等価であると見なされる。例えば、キャリアアグリゲーション（Ｃａｒｒｉｅｒ  Ａｇｇｒｅｇａｔｉｏｎ、ＣＡ）シナリオでは、２次キャリアがＵＥのために構成されたとき、２次キャリアのキャリアインデックスと、２次キャリア上に動作するセカンダリセルのセル識別子（Ｃｅｌｌ  Ｉｄｅｎｔｉｆｙ、Ｃｅｌｌ  ＩＤ）の両方が搬送される。この場合、キャリアの概念はセルの概念と等価であると考えられてよい。例えば、ＵＥがキャリアにアクセスすることは、ＵＥがセルにアクセスすることと等価である。
【００８５】
加えて、本出願の実施形態におけるキャリア（ｃａｒｒｉｅｒ）は、キャリアアグリゲーション（ｃａｒｒｉｅｒ  ａｇｇｒｅｇａｔｉｏｎ）におけるキャリアと同じ概念を有し、帯域（ｂａｎｄ）、サブバンド（ｓｕｂ−ｂａｎｄ）、ＢＷＰ（帯域幅パート、ｂａｎｄｗｉｄｔｈ  ｐａｒｔ）、チャネル（ｃｈａｎｎｅｌ）、サブチャネル（ｓｕｂ−ｃｈａｎｎｅｌ）、スペクトルリソースなどとして理解されてもよい。キャリアは、周波数領域中のサブキャリアのセットとして表される。異なるキャリア又は周波数帯域は、異なる中心周波数を有し得る。同じ中心周波数、例えば、帯域幅が異なるが中心周波数が同じである周波数帯域もあり得る。
【００８６】
コアネットワークデバイスは、複数のアクセスネットワークデバイスに接続され、それらのアクセスネットワークデバイスを制御するように構成されてよく、ネットワーク側（例えば、インターネット）から受信されたデータをアクセスネットワークデバイスに配信することができる。
【００８７】
端末デバイス、アクセスネットワークデバイス、及びコアネットワークデバイスの上記の列挙された機能及び特定の実装は、説明のための例にすぎず、本出願はそれに限定されない。
【００８８】
本出願の実施形態では、端末デバイス又はネットワークデバイスは、ハードウェアレイヤ、ハードウェアレイヤ上で実行されるオペレーティングシステムレイヤ、及びオペレーティングシステムレイヤ上で実行されるアプリケーションレイヤを含む。ハードウェアレイヤは、中央処理ユニット（Ｃｅｎｔｒａｌ  Ｐｒｏｃｅｓｓｉｎｇ  Ｕｎｉｔ、ＣＰＵ）、メモリ管理ユニット（Ｍｅｍｏｒｙ  Ｍａｎａｇｅｍｅｎｔ  Ｕｎｉｔ、ＭＭＵ）、及びメモリ（メインメモリとも呼ばれる）などのハードウェアを含む。オペレーティングシステムは、処理（Ｐｒｏｃｅｓｓ）を通してサービス処理を実装する、Ｌｉｎｕｘオペレーティングシステム、Ｕｎｉｘオペレーティングシステム、Ａｎｄｒｏｉｄオペレーティングシステム、ｉＯＳオペレーティングシステム、又はＷｉｎｄｏｗｓオペレーティングシステムなど、いずれか１つ又は複数のコンピュータオペレーティングシステムであってよい。アプリケーションレイヤは、ブラウザ、アドレス帳、ワード処理ソフトウェア、及びインスタント通信ソフトウェアなどのアプリケーションを含む。加えて、本出願の実施形態において提供される方法の実行本体の特定の構造は、本出願の実施形態において提供される方法のためのコードを記録するプログラムが、本出願の実施形態において提供される方法による通信を実施するために実行されることが可能であるとすれば、本出願の実施形態では特に限定されない。例えば、本出願の実施形態において提供される方法の実行本体は、端末デバイス、ネットワークデバイス、又は端末デバイス又はネットワークデバイスにおいてプログラムを呼び出して実行することができる機能モジュールであってよい。
【００８９】
図１は、本出願のデータユニット処理方法がそれに適用可能である通信システムの概略図である。図１に示されているように、通信システム１００はネットワークデバイス１０２を含み、ネットワークデバイス１０２は、複数のアンテナ、例えば、アンテナ１０４、１０６、１０８、１１０、１１２、及び１１４を含み得る。加えて、ネットワークデバイス１０２は、送信機チェーン及び受信機チェーンをさらに含み得る。当業者は、送信機チェーン及び受信機チェーンがそれぞれ、信号送受信に関係する複数の構成要素（例えば、プロセッサ、変調器、マルチプレクサ、エンコーダ、デマルチプレクサ、又はアンテナ）を含み得ることを理解されよう。
【００９０】
ネットワークデバイス１０２は、複数の端末デバイス（例えば、端末デバイス１１６及び端末デバイス１２２）と通信し得る。しかしながら、ネットワークデバイス１０２は、端末デバイス１１６又は１２２と同様であるどんな量の端末デバイスと通信してもよいことが理解されよう。端末デバイス１１６及び１２２はそれぞれ、例えば、ワイヤレス通信システム１００における通信のために使用されるセルラーフォン、スマートフォン、ポータブルコンピュータ、ハンドヘルド通信デバイス、ハンドヘルドコンピューティングデバイス、衛星無線装置、全地球測位システム、ＰＤＡ、及び／又は任意の他の適切なデバイスであってよい。
【００９１】
図１に示されているように、端末デバイス１１６は、アンテナ１１２及び１１４と通信する。アンテナ１１２及び１１４は、順方向リンク１１８を介して端末デバイス１１６に情報を送り、逆方向リンク１２０を介して端末デバイス１１６から情報を受信する。加えて、端末デバイス１２２は、アンテナ１０４及び１０６と通信する。アンテナ１０４及び１０６は、順方向リンク１２４を介して端末デバイス１２２に情報を送り、逆方向リンク１２６を介して端末デバイス１２２から情報を受信する。
【００９２】
例えば、ＦＤＤシステムでは、例えば、順方向リンク１１８は、逆方向リンク１２０によって使用されるものとは異なる周波数帯域を使用することがあり、順方向リンク１２４は、逆方向リンク１２６によって使用されるものとは異なる周波数帯域を使用することがある。
【００９３】
別の例では、ＴＤＤシステム及び全二重（ｆｕｌｌ  ｄｕｐｌｅｘ）システムでは、順方向リンク１１８及び逆方向リンク１２０は、共通の周波数帯域を使用することがあり、順方向リンク１２４及び逆方向リンク１２６は、共通の周波数帯域を使用することがある。
【００９４】
通信のために設計された各アンテナ（又は複数のアンテナを含むアンテナグループ）及び／又は各エリアは、ネットワークデバイス１０２のセクタと呼ばれる。例えば、アンテナグループは、ネットワークデバイス１０２のカバレージ内のセクタ中の端末デバイスと通信するように設計されてよい。ネットワークデバイス１０２がそれぞれ順方向リンク１１８及び１２４を介して端末デバイス１１６及び１２２と通信する処理では、ネットワークデバイス１０２の送信アンテナは、ビームフォーミングを通して順方向リンク１１８及び１２４の信号対雑音比を改善することができる。加えて、ネットワークデバイスが、単一のアンテナを使用することによって、ネットワークデバイスによってサービスされる全ての端末デバイスに信号を送る方式と比較して、ネットワークデバイス１０２が、ビームフォーミングを通して、関係するカバレージ内でランダムに分散された端末デバイス１１６及び１２２に信号を送るとき、近隣セル中のモバイルデバイスに引き起こされる干渉がより少なくなる。
【００９５】
所与の時間において、ネットワークデバイス１０２、端末デバイス１１６、又は端末デバイス１２２は、ワイヤレス通信送信装置及び／又はワイヤレス通信受信装置であってよい。データを送るとき、ワイヤレス通信送信装置は、送信のためにデータを符号化し得る。特に、ワイヤレス通信送信装置は、ワイヤレス通信受信装置にチャネル上で送られるべき特定の量のデータビットを取得（例えば、生成するか、別の通信装置から受信するか、又はメモリに記憶）し得る。データビットは、データのトランスポートブロック（又は複数のトランスポートブロック）中に含まれてよく、トランスポートブロックは、複数のコードブロックを生成するためにセグメント化されてよい。
【００９６】
加えて、通信システム１００は、ＰＬＭＮネットワーク、デバイス間（ｄｅｖｉｃｅ−ｔｏ−ｄｅｖｉｃｅ、Ｄ２Ｄ）ネットワーク、マシン間（ｍａｃｈｉｎｅ  ｔｏ  ｍａｃｈｉｎｅ、Ｍ２Ｍ）ネットワーク、又は別のネットワークであってよい。図１は、例の簡略図にすぎない。ネットワークは、図１に示されていない別のネットワークデバイスをさらに含み得る。
【００９７】
複製は、５Ｇ  ＮＲにおいて導入された新しい特徴である。２つの同じデータユニットが、ＰＤＣＰレイヤにおいて生成され、２つの接続されたＲＬＣレイヤに送信される。二重接続性ベースの複製のために構成されたプロトコルスタックアーキテクチャは、現在の分割ベアラのために構成されたプロトコルスタックアーキテクチャと同じである。従って、２つの場合のための区別された構成が示される必要がある。加えて、出願人は、複製の初期ステータスが端末デバイスに示されることが現在は不可能であることを発見している。初期ステータスは、端末デバイスが構成情報を受信した後に、構成されている複製が動作するかどうかに関するステータスとして理解されてよい。現在、５Ｇの新無線インターフェースでは、複製を用いて構成されているベアラの初期ステータスをどのように示すべきかが指定されていない。
【００９８】
以下で、特定の例を参照しながら本出願の実施形態について詳細に説明する。上記の例は、当業者が本発明の実施形態をより良く理解するのを助けることを意図されているにすぎず、本発明の実施形態の範囲を限定することを意図されていないことに留意されたい。
【００９９】
図２は、本出願の実施形態による通信方法の対話フローチャートである。図２において、第１のデバイスは、図１のいずれかの端末デバイスであってよく、第２のデバイスは、基地局であってよい。２１０．第２のデバイスが第１のデバイスに第１のメッセージを送る。第１のメッセージは、第１のデバイスのベアラのベアラ設定及びそのベアラ設定の初期ステータスを示すために使用され、ベアラ設定は、第１のベアラ設定及び／又は第２のベアラ設定を含む。
【０１００】
第２のデバイスが第１のデバイスに第１のメッセージを送る前に、第２のデバイスは、第１のデバイスのベアラのベアラ設定及びベアラ設定の初期ステータスを構成することを理解されたい。初期ステータスは、ベアラ設定が受信された後に構成されるステータスであることを理解されたい。
【０１０１】
第１のデバイスのベアラは、データ無線ベアラであり得る、或いは、シグナリング無線ベアラであり得る、ことに留意されたい。ベアラ設定は、第１のベアラ設定及び第２のベアラ設定を含み得る、或いは、第１のベアラ設定、第２のベアラ設定、及び第３のベアラ設定を含み得る。ベアラ設定は、少なくとも第１のベアラ設定及び第２のベアラ設定を含む。
【０１０２】
第１のベアラ設定は、複製（ｄｕｐｌｉｃａｔｉｏｎ）機能を用いるベアラを構成すべきであってよく、複製は、５Ｇ  ＮＲにおいて導入された新しい特徴である。複製機能は、データ送信処理において高い信頼性及び低いレイテンシを保証するために提案される。具体的には、送られるべきデータユニットは、ＰＤＣＰレイヤにおいて２つのデータユニットに複製され、これらの２つのデータユニットは２つのパス上で送られる。将来の技術では、データユニットは、複製を通して複数のデータユニットに複製されてよく、これらの複数のデータユニットは複数のパス上で送られる。
【０１０３】
第２のベアラ設定は、分割（ｓｐｌｉｔ）ベアラを構成すべきであってよい。分割ベアラは、異なるデータユニットが２つのパス上で送信されることを可能にする。将来の技術では、分割ベアラは、異なるデータユニットが２つ以上のパス上で送信されることをも可能にし得る。
【０１０４】
初期ステータスは、アクティブ化状態及び非アクティブ化状態を含む。複製を用いて構成されるベアラが、２つのパスを用いて構成される例では、複製を用いて構成されるベアラのアクティブ化状態は、同じデータユニットが２つのパス上で送信され始めることを意味し、複製を用いて構成されるベアラの非アクティブ化状態は、２つのパス中のプライマリパスのみが動作していることを意味する。複製を用いて構成されるベアラが、複数のパスを用いて構成される例では、初期ステータスは、各パスのアクティブ化状態又は非アクティブ化状態を含む。
【０１０５】
２つのパスのために、複製を用いて構成されるベアラは、ＰＤＣＰレイヤが２つのＲＬＣレイヤに接続されたベアラであり、１つのプロトコルデータユニット（Ｐｒｏｔｏｃｏｌ  Ｄａｔａ  Ｕｎｉｔ、ＰＤＵ）は、ＰＤＣＰレイヤにおいて２つの同じＰＤＵに複製されることがあり、ベアラは、２つのＲＬＣレイヤにデータを送信することが可能であることを理解されたい。分割ベアラは、ＰＤＣＰレイヤが２つのＲＬＣレイヤに接続されたベアラであり、異なるＰＤＵは、ＰＤＣＰレイヤにおいて２つのＲＬＣレイヤに送信される。データがそれに送信されるＲＬＣレイヤは、構成されたしきい値に基づいて選択されることが可能である。
【０１０６】
プライマリパス（Ｐｒｉｍａｒｙ  Ｐａｔｈ）は、第１のデバイスのために構成された第１のベアラ又は第２のベアラのパスであることに留意されたい。例えば、第１のメッセージは、プライマリパスを示すインジケーション識別子を含む。本出願のこの実施形態の可能な実装では、プライマリパスは、常にアクティブ化状態又は動作状態にある。本出願のこの実施形態の別の可能な実装では、プライマリパスの初期ステータスは、第１のメッセージを使用することによって示され得る。
【０１０７】
本出願のこの実施形態では、第１のベアラ設定は、アクティブ化状態又は非アクティブ化状態にあることがあり、第２のベアラ設定も、アクティブ化状態又は非アクティブ化状態にあることがあることを理解されたい。
【０１０８】
２２０．第１のデバイスが、第１のメッセージに基づいてベアラ設定及びベアラ設定の初期ステータスを決定する。
【０１０９】
第１のデバイスは、第２のデバイスによって送られた第１のメッセージに基づいて、第１のデバイスのベアラ設定及びベアラ設定の初期ステータスを決定する。第１のメッセージは、第１のデバイスのベアラのベアラ設定及びベアラ設定の初期ステータスを示すために使用される。
【０１１０】
本出願のこの実施形態の技術的解決策では、第１のデバイスは、第２のデバイスによって送られた第１のメッセージを受信し、第１のメッセージに基づいて、第１のデバイスのベアラのベアラ設定と、ベアラ設定の初期ステータスの両方を決定し、それにより、通信効率を改善し、シグナリングオーバーヘッドを低減する。
【０１１１】
以下で、第１のメッセージの特定のコンテンツについて詳細に説明する。第１のメッセージは以下のコンテンツを含むが、それに限定されない。
【０１１２】
方式１
【０１１３】
本出願のこの実施形態では、第１のメッセージが第１の指示情報を含むとき、それは、第１のデバイスのベアラ設定が第１のベアラ設定であることを示すか、又は
第１のメッセージが第１の指示情報を含まないとき、それは、第１のデバイスのベアラ設定が第２のベアラ設定であることを示す。
【０１１４】
例えば、第１のベアラは、複製を用いて構成されたベアラであってよく、第２のベアラは分割ベアラであってよい。第１のメッセージが以下の第１の指示情報を含むとき、それは、複製を用いて構成されたベアラを示す。
本明細書における説明のための例として使用され、特に限定されない、ｐｄｃｐ複製（第１のメッセージがこのフィールドを含む場合、第１のデバイスのベアラは、複製を用いて構成されたベアラであるか、又は第１のメッセージがこのフィールドを含まない場合、第１のデバイスのベアラは分割ベアラである）
【０１１５】
本出願のこの実施形態では、第１の指示情報が第１のメッセージ中に存在するとき、それは、第１のデバイスが第１のベアラ設定を使用すべきであること、言い換えれば、第１のデバイスが、複製を用いるベアラで構成されることを示す。この場合、第１の指示情報の値は、第１のベアラが構成されるとき、第１のデバイスのベアラが初期ステータスにあることを示すために使用される。
【０１１６】
例えば、ｐｄｃｐ複製の値は、複製を用いて構成されたベアラのアクティブ化状態及び非アクティブ化状態を示すために使用される。
【０１１７】
本出願の実施形態では、第１のデバイスのベアラが２つのパスを含むとき、第１の指示情報の値は、第１のベアラ設定の初期ステータスを示すために使用され、初期ステータスは、アクティブ化状態又は非アクティブ化状態を含む。
【０１１８】
第１のデバイスのベアラが２つのパスを含むとき、第１のベアラの初期ステータスを示すために１ビットが使用されてよく、即ち、第１のデバイスの複製を用いて構成されたベアラのアクティブ化状態及び非アクティブ化状態を示すために１ビットが使用される。
【０１１９】
第１のデバイスのベアラが２つのパスを含むとき、第１のベアラのアクティブ化状態又は非アクティブ化状態を示すために０から１の値範囲が使用され得る。
【０１２０】
例えば、「１」は、２つのパスが両方ともアクティブ化状態にあることを示すために使用されてよく、「０」は、２つのパスが両方とも非アクティブ化状態にあることを示すために使用されてよい。複製を用いて構成されたベアラのアクティブ化状態は、同じＰＤＵが２つのパス上で送信されることを意味する。複製を用いて構成されたベアラの非アクティブ化状態は、プライマリパスのみが動作状態にあることを意味する。
【０１２１】
本出願のこの実施形態では、第１のデバイスのベアラが複数のパスを含み、全てのパスが、複製を用いて構成されたベアラの非アクティブ化状態にあるとき、プライマリパスは、常に動作状態にあるパスであることを理解されたい。指示情報が、複数のパスを示すために使用されるとき、第１のメッセージはプライマリパスの識別子を含む。
【０１２２】
第１のデバイスのベアラが２つのパスを含むとき、第１のベアラの初期ステータスを示すために２ビットが使用されてよく、即ち、第１のデバイスの複製を用いて構成されたベアラのアクティブ化状態及び非アクティブ化状態を示すために２ビットが使用される。
【０１２３】
例えば、「１１」は、２つのパスが両方ともアクティブ化状態にあることを示すために使用されてよい。「１０」は、第１のパスがアクティブ化状態にあり、第２のパスが非アクティブ化状態にあることを示すために使用されてよい。「０１」は、第１のパスが非アクティブ化状態にあり、第２のパスがアクティブ化状態にあることを示すために使用されてよい。「００」は、２つのパスが両方とも非アクティブ化状態にあることを示すために使用されてよい。異なるパスは異なる論理チャネル識別子（Ｌｏｇｉｃａｌ  Ｃｈａｎｎｅｌ  Ｉｄｅｎｔｉｆｙ、ＬＣＩＤ）を有し、それらの異なるパスはＬＣＩＤに基づいて区別されることに留意されたい。
【０１２４】
本出願のこの実施形態では、第１のデバイスのベアラがＮ個のパスを含むとき、第１のベアラ設定の初期ステータスは、プライマリパス以外の、Ｎ個のパス中のＮ−１個のパスの初期ステータスを含み得る。Ｎ−１個のパスの初期ステータスはそれぞれ、アクティブ化状態又は非アクティブ化状態である。第１の指示情報の値は１ビットを含むことがあり、この１ビットは、Ｎ−１個のパスの初期ステータスを示すために使用され、Ｎは、１よりも大きい正の整数である。
【０１２５】
例えば、第１のデバイスのベアラが４つのパスを含むとき、第１のデバイスのベアラ中に含まれる４つのパス中の、プライマリパス以外の３つのパスの初期ステータスを示すために１ビットが使用され得る。言い換えれば、第１のデバイスの複製を用いて構成されたベアラのアクティブ化状態又は非アクティブ化状態を示すために１ビットが使用される。
【０１２６】
例えば、「１」は、３つのパスがそれぞれアクティブ化状態にあることを示すために使用されてよく、「０」は、３つのパスがそれぞれ非アクティブ化状態にあることを示すために使用されてよい。複製を用いて構成されたベアラのアクティブ化状態は、同じＰＤＵが３つのパス上で送信されることを意味する。複製を用いて構成されたベアラの非アクティブ化状態は、プライマリパスのみが動作状態にあることを意味する。
【０１２７】
本出願の実施形態では、第１のデバイスのベアラがＮ個のパスを含むとき、第１のベアラ設定の初期ステータスは、プライマリパス以外の、Ｎ個のパス中のＮ−１個のパスの初期ステータスを含み得る。Ｎ−１個のパスの初期ステータスは、アクティブ化状態又は非アクティブ化状態を含む。第１の指示情報の値はＮ−１ビットを含み得るか、又は第１の指示情報の値は０から２(N-1)−１にわたる。Ｎ−１ビットは、Ｎ−１個のパスの初期ステータスを示すために使用され、Ｎは、１よりも大きい正の整数である。
【０１２８】
プライマリパスは常に動作状態にあることを理解されたい。従って、第１のデバイスのベアラがＮ個のパスを含むとき、プライマリパス以外のＮ−１個のパスの初期ステータスのみが決定される必要がある。Ｎ−１個のパスの初期ステータスは、アクティブ化状態及び非アクティブ化状態を含む。Ｎ−１個のパスのいずれか１つがアクティブ化状態にある場合、それは、同じＰＤＵがそのパス及びプライマリパス上で送信されることを示す。
【０１２９】
例えば、第１のデバイスのベアラが４つのパスを含むとき、第１のベアラのプライマリパス以外の３つのパスの初期ステータスを示すために３ビットが使用され得る。言い換えれば、３ビットは、複製を用いて構成されたベアラ中の第１のデバイスのプライマリパス以外の３つのパスのアクティブ化状態及び非アクティブ化状態を示すために使用され、プライマリパスの初期ステータスは示されない。
【０１３０】
第１の指示情報の値が３ビットであるとき、３ビットは、プライマリパス以外の第１のパス、第２のパス、及び第３のパスの初期ステータスをそれぞれ示す。
【０１３１】
例えば、「１１１」は、３つのパスがそれぞれアクティブ化状態にあることを示すために使用されてよく、「１１０」は、第１のパス及び第２のパスがアクティブ化状態にあり、第３のパスが非アクティブ化状態にあることを示すために使用されてよく、「１０１」は、第１のパス及び第３のパスがアクティブ化状態にあり、第２のパスが非アクティブ化状態にあることを示すために使用されてよく、「１００」は、第１のパスがアクティブ化状態にあり、第２のパス及び第３のパスが非アクティブ化状態にあることを示すために使用されてよく、「０１１」は、第１のパスが非アクティブ化状態にあり、第２のパス及び第３のパスがアクティブ化状態にあることを示すために使用されてよく、「０１０」は、第１のパス及び第３のパスが非アクティブ化状態にあり、第２のパスがアクティブ化状態にあることを示すために使用されてよく、「００１」は、第１のパス及び第２のパスが非アクティブ化状態にあり、第３のパスがアクティブ化状態にあることを示すために使用されてよく、「０００」は、３つのパスがそれぞれ非アクティブ化状態にあることを示すために使用されてよい。代替として、「０」は本明細書において「アクティブ化状態」を示してよく、「１」は「非アクティブ化状態」を示してよいことを理解されたい。これは、本出願では限定されない。
【０１３２】
示される第１のパス、第２のパス、及び第３のパスのシーケンス、即ち、３ビットと構成されるパスとの間の対応は以下の通りであってよい。
ソートが、３つのパスの論理チャネル識別子ＬＣＩＤの降順に実施されるか、又は
ソートが、３つのパスのＬＣＩＤの昇順に実施されるか、又は
ソートが、３つのパスのＬＣＩＤを構成する順序に実施されるか、又は
ソートが、３つのパスのＬＣＩＤがそれに属するセルグループの順序に実施され、具体的には、ソートが、最初にマスタセルグループＬＣＩＤ、次いでセカンダリセルグループＬＣＩＤの順序に実施され、及びソートが、各セルグループ中のＬＣＩＤの昇順又は降順に実施されるか、又は
ソートが、３つのパスのＬＣＩＤがそれに属するセルグループの順序に実施され、具体的には、ソートが、最初にセカンダリセルグループＬＣＩＤ、次いでマスタセルグループＬＣＩＤの順序に実施され、及びソートが、各セルグループ中のＬＣＩＤの昇順又は降順に実施されるか、又は
ソートが、３つのパスのＬＣＩＤの降順に実施され、ＬＣＩＤが同じ値を有するとき、ソートが、最初にマスタセルグループ、次いでセカンダリセルグループの順序に実施されるか、又はソートが、最初にセカンダリセルグループ、次いでマスタセルグループの順序に実施されるか、又は
ソートが、３つのパスのＬＣＩＤの昇順に実施され、ＬＣＩＤが同じ値を有するとき、ソートが、最初にマスタセルグループ、次いでセカンダリセルグループの順序に実施されるか、又はソートが、最初にセカンダリセルグループ、次いでマスタセルグループの順序に実施される。
【０１３３】
本出願の実施形態では、ソートは、３つのパスの論理チャネル識別子ＬＣＩＤを構成する順序に実施される。
【０１３４】
例えば、第１の指示情報は３つのパスの初期ステータスを示し、３つのパスのＬＣＩＤ値は５、７、及び８であり、構成順序又は構成時間シーケンスは８、７、及び５であると仮定される。この場合、第１のパスは、ＬＣＩＤが８であるパスであり、第２のパスは、ＬＣＩＤが７であるパスであり、第２のパスは、ＬＣＩＤが５であるパスである。
【０１３５】
本出願の実施形態では、ソートは、３つのパスの論理チャネル識別子ＬＣＩＤの降順に実施される。
【０１３６】
例えば、第１の指示情報は３つのパスの初期ステータスを示し、３つのパスのＬＣＩＤ値は及び５、７、及び８であると仮定される。この場合、第１のパスは、ＬＣＩＤが８であるパスであり、第２のパスは、ＬＣＩＤが７であるパスであり、第２のパスは、ＬＣＩＤが５であるパスである。
【０１３７】
本出願の実施形態では、ソートは、３つのパスの論理チャネル識別子ＬＣＩＤの昇順に実施される。
【０１３８】
例えば、第１の指示情報は３つのパスの初期ステータスを示し、３つのパスのＬＣＩＤ値は及び５、７、及び８であると仮定される。この場合、第１のパスは、ＬＣＩＤが５であるパスであり、第２のパスは、ＬＣＩＤが７であるパスであり、第２のパスは、ＬＣＩＤが８であるパスである。
【０１３９】
本出願の実施形態では、ソートは、３つのパスのＬＣＩＤがそれに属するセルグループの順序に実施され、具体的には、ソートは、最初にマスタセルグループＬＣＩＤ、次いでセカンダリセルグループＬＣＩＤの順序に実施され、及びソートは、各セルグループ中のＬＣＩＤの昇順に実施される。
【０１４０】
図３は、本出願の実施形態による、第１のメッセージが複数のパスの初期ステータスを示す概略図である。図３に示されているように、第１のメッセージ中に含まれる第１の指示情報は、プライマリパス以外の３つのパスの初期ステータスを示すと仮定される。３つのパスは、それぞれ、マスタセルグループ（Ｍａｓｔｅｒ  Ｃｅｌｌ  Ｇｒｏｕｐ、ＭＣＧ）中でＬＣＩＤ値が５であるパス、セカンダリセルグループ（ＳＣＧ）中でＬＣＩＤ値が５であるパス、及びセカンダリセルグループ（Ｓｅｃｏｎｄａｒｙ  Ｃｅｌｌ  Ｇｒｏｕｐ、ＳＣＧ）中でＬＣＩＤ値が８であるパスである。複数のビットは、３つのパスのＬＣＩＤがそれに属するセルグループの順序にソートされてよく、具体的には、ソートは、最初にマスタセルグループＬＣＩＤ、次いでセカンダリセルグループＬＣＩＤの順序に実施され、及びソートは、各セルグループ中のＬＣＩＤの昇順に実施される。
【０１４１】
マスタセルグループ（ＭＣＧ）は、マスタ基地局に関連付けられ及び／又はマスタ基地局によって提供又はサービスされるサービング／通信セルのグループであり、セカンダリセルグループ（ＳＣＧ）は、２次基地局に関連付けられ及び／又は２次基地局によって提供又はサービスされるサービング／通信セルのグループであることに留意されたい。
【０１４２】
例えば、図３に示されているように、第１のビットは第１のパスを示し、第１のパスは、ＭＣＧ  ＬＣＩＤが５であるパスであり、第２のビットは第２のパスを示し、第２のパスは、ＳＣＧ  ＬＣＩＤが５であるパスであり、第３のビットは第３のパスを示し、第３のパスは、ＳＣＧ  ＬＣＩＤが８であるパスである。
【０１４３】
本出願の実施形態では、ソートは、３つのパスのＬＣＩＤがそれに属するセルグループの順序に実施され、具体的には、ソートは、最初にマスタセルグループＬＣＩＤ、次いでセカンダリセルグループＬＣＩＤの順序に実施され、及びソートは、各セルグループ中のＬＣＩＤの降順に実施される。
【０１４４】
図４は、本出願の別の実施形態による、第１のメッセージが複数のパスの初期ステータスを示す概略図である。図４に示されているように、第１のメッセージ中に含まれる第１の指示情報は、プライマリパス以外の３つのパスの初期ステータスを示すと仮定される。３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスである。複数のビットは、３つのパスのＬＣＩＤがそれに属するセルグループの順序にソートされてよく、具体的には、ソートは、最初にマスタセルグループＬＣＩＤ、次いでセカンダリセルグループＬＣＩＤの順序に実施され、及びソートは、各セルグループ中のＬＣＩＤの降順に実施される。
【０１４５】
例えば、図４に示されているように、第１のビットは第１のパスを示し、第１のパスは、ＭＣＧ  ＬＣＩＤが５であるパスであり、第２のビットは第２のパスを示し、第２のパスは、ＳＣＧ  ＬＣＩＤが８であるパスであり、第３のビットは第３のパスを示し、第３のパスは、ＳＣＧ  ＬＣＩＤが５であるパスである。
【０１４６】
本出願の実施形態では、ソートは、３つのパスのＬＣＩＤがそれに属するセルグループの順序に実施され、具体的には、ソートは、最初にセカンダリセルグループＬＣＩＤ、次いでマスタセルグループＬＣＩＤの順序に実施され、及びソートは、各セルグループ中のＬＣＩＤの降順に実施される。
【０１４７】
図５は、本出願の別の実施形態による、第１のメッセージが複数のパスの初期ステータスを示す概略図である。図５に示されているように、第１のメッセージ中に含まれる第１の指示情報は、プライマリパス以外の３つのパスの初期ステータスを示すと仮定される。３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスである。複数のビットは、３つのパスのＬＣＩＤがそれに属するセルグループの順序にソートされてよく、具体的には、ソートは、最初にセカンダリセルグループＬＣＩＤ、次いでマスタセルグループＬＣＩＤの順序に実施され、及びソートは、各セルグループ中のＬＣＩＤの降順に実施される。
【０１４８】
例えば、図５に示されているように、第１のビットは第１のパスを示し、第１のパスは、ＳＣＧ  ＬＣＩＤが８であるパスであり、第２のビットは第２のパスを示し、第２のパスは、ＳＣＧ  ＬＣＩＤが５であるパスであり、第３のビットは第３のパスを示し、第３のパスは、ＭＣＧ  ＬＣＩＤが５であるパスである。
【０１４９】
本出願の実施形態では、ソートは、３つのパスのＬＣＩＤがそれに属するセルグループの順序に実施され、具体的には、ソートは、最初にセカンダリセルグループＬＣＩＤ、次いでマスタセルグループＬＣＩＤの順序に実施され、及びソートは、各セルグループ中のＬＣＩＤの昇順に実施される。
【０１５０】
図６は、本出願の別の実施形態による、第１のメッセージが複数のパスの初期ステータスを示す概略図である。図６に示されているように、第１のメッセージ中に含まれる第１の指示情報は、プライマリパス以外の３つのパスの初期ステータスを示すと仮定される。３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスである。複数のビットは、３つのパスのＬＣＩＤがそれに属するセルグループの順序にソートされてよく、具体的には、ソートは、最初にセカンダリセルグループＬＣＩＤ、次いでマスタセルグループＬＣＩＤの順序に実施され、及びソートは、各セルグループ中のＬＣＩＤの昇順に実施される。
【０１５１】
例えば、図６に示されているように、第１のビットは第１のパスを示し、第１のパスは、ＳＣＧ  ＬＣＩＤが５であるパスであり、第２のビットは第２のパスを示し、第２のパスは、ＳＣＧ  ＬＣＩＤが８であるパスであり、第３のビットは第３のパスを示し、第３のパスは、ＭＣＧ  ＬＣＩＤが５であるパスである。
【０１５２】
本出願の実施形態では、ソートは、３つのパスのＬＣＩＤの降順に実施され、ＬＣＩＤが同じ値を有するとき、ソートは、最初にマスタセルグループ、次いでセカンダリセルグループの順序に実施される。
【０１５３】
図７は、本出願の別の実施形態による、第１のメッセージが複数のパスの初期ステータスを示す概略図である。図７に示されているように、第１のメッセージ中に含まれる第１の指示情報は、プライマリパス以外の３つのパスの初期ステータスを示すと仮定される。３つのパスは、それぞれ、マスタセルグループ（ＭＣＧ）中でＬＣＩＤ値が６であるパス、セカンダリセルグループ（ＳＣＧ）中でＬＣＩＤ値が６であるパス、及びセカンダリセルグループ（ＳＣＧ）中でＬＣＩＤ値が８であるパスである。複数のビットは、３つのパスのＬＣＩＤの降順にソートされてよく、ＬＣＩＤが同じ値を有するとき、ソートは、最初にマスタセルグループ、次いでセカンダリセルグループの順序に実施される。
【０１５４】
例えば、図７に示されているように、第１のビットは第１のパスを示し、第１のパスは、ＳＣＧ  ＬＣＩＤが８であるパスであり、第２のビットは第２のパスを示し、第２のパスは、ＭＣＧ  ＬＣＩＤが６であるパスであり、第３のビットは第３のパスを示し、第３のパスは、ＳＣＧ  ＬＣＩＤが６であるパスである。
【０１５５】
本出願の実施形態では、ソートは、３つのパスのＬＣＩＤの降順に実施され、ＬＣＩＤが同じ値を有するとき、ソートは、最初にセカンダリセルグループ、次いでマスタセルグループの順序に実施される。
【０１５６】
図８は、本出願の別の実施形態による、第１のメッセージが複数のパスの初期ステータスを示す概略図である。図８に示されているように、第１のメッセージ中に含まれる第１の指示情報は、プライマリパス以外の３つのパスの初期ステータスを示すと仮定される。３つのパスは、それぞれ、マスタセルグループ（ＭＣＧ）中でＬＣＩＤ値が６であるパス、セカンダリセルグループ（ＳＣＧ）中でＬＣＩＤ値が６であるパス、及びセカンダリセルグループ（ＳＣＧ）中でＬＣＩＤ値が８であるパスである。複数のビットは、３つのパスのＬＣＩＤの降順にソートされてよく、ＬＣＩＤが同じ値を有するとき、ソートは、最初にセカンダリセルグループ、次いでマスタセルグループの順序に実施される。
【０１５７】
例えば、図８に示されているように、第１のビットは第１のパスを示し、第１のパスは、ＳＣＧ  ＬＣＩＤが８であるパスであり、第２のビットは第２のパスを示し、第２のパスは、ＳＣＧ  ＬＣＩＤが６であるパスであり、第３のビットは第３のパスを示し、第３のパスは、ＭＣＧ  ＬＣＩＤが６であるパスである。
【０１５８】
本出願の実施形態では、ソートは、３つのパスのＬＣＩＤの昇順に実施され、ＬＣＩＤが同じ値を有するとき、ソートは、最初にマスタセルグループ、次いでセカンダリセルグループの順序に実施される。
【０１５９】
図９は、本出願の別の実施形態による、第１のメッセージが複数のパスの初期ステータスを示す概略図である。図９に示されているように、第１のメッセージ中に含まれる第１の指示情報は、プライマリパス以外の３つのパスの初期ステータスを示すと仮定される。３つのパスは、それぞれ、マスタセルグループ（ＭＣＧ）中でＬＣＩＤ値が６であるパス、セカンダリセルグループ（ＳＣＧ）中でＬＣＩＤ値が６であるパス、及びセカンダリセルグループ（ＳＣＧ）中でＬＣＩＤ値が８であるパスである。複数のビットは、３つのパスのＬＣＩＤの昇順にソートされてよく、ＬＣＩＤが同じ値を有するとき、ソートは、最初にマスタセルグループ、次いでセカンダリセルグループの順序に実施される。
【０１６０】
例えば、図９に示されているように、第１のビットは第１のパスを示し、第１のパスは、ＭＣＧ  ＬＣＩＤが６であるパスであり、第２のビットは第２のパスを示し、第２のパスは、ＳＣＧ  ＬＣＩＤが６であるパスであり、第３のビットは第３のパスを示し、第３のパスは、ＳＣＧ  ＬＣＩＤが８であるパスである。
【０１６１】
本出願の実施形態では、ソートは、３つのパスのＬＣＩＤの昇順に実施され、ＬＣＩＤが同じ値を有するとき、ソートは、最初にセカンダリセルグループ、次いでマスタセルグループの順序に実施される。
【０１６２】
図１０は、本出願の別の実施形態による、第１のメッセージが複数のパスの初期ステータスを示す概略図である。図１０に示されているように、第１のメッセージ中に含まれる第１の指示情報は、プライマリパス以外の３つのパスの初期ステータスを示すと仮定される。３つのパスは、それぞれ、マスタセルグループ（ＭＣＧ）中でＬＣＩＤ値が６であるパス、セカンダリセルグループ（ＳＣＧ）中でＬＣＩＤ値が６であるパス、及びセカンダリセルグループ（ＳＣＧ）中でＬＣＩＤ値が８であるパスである。複数のビットは、３つのパスのＬＣＩＤの昇順にソートされてよく、ＬＣＩＤが同じ値を有するとき、ソートは、最初にセカンダリセルグループ、次いでマスタセルグループの順序に実施される。
【０１６３】
例えば、図１０に示されているように、第１のビットは第１のパスを示し、第１のパスは、ＳＣＧ  ＬＣＩＤが６であるパスであり、第２のビットは第２のパスを示し、第２のパスは、ＭＣＧ  ＬＣＩＤが６であるパスであり、第３のビットは第３のパスを示し、第３のパスは、ＳＣＧ  ＬＣＩＤが８であるパスである。
【０１６４】
本明細書における第１の指示情報の値は、第１のデバイスのベアラ設定の初期ステータスを示すために使用されることに留意されたい。例えば、第１の指示情報の値が、第１のデバイスのベアラ設定が第１のベアラ設定であることを示すとき、第１のベアラ設定は複製構成であってよく、第１のベアラ設定の初期ステータスは、アクティブ化状態及び非アクティブ化状態を含む。上記は説明のための例として使用され、特別な限定はそれに課されない。
【０１６５】
本出願の実施形態では、第１のデバイスのベアラがＮ個のパスを含むとき、第１のベアラ設定の初期ステータスは、Ｎ個のパスの初期ステータスを含み得る。各パスの初期ステータスは、アクティブ化状態又は非アクティブ化状態であり、第１の指示情報の値は、Ｎビットであってよいか又は０から２(N-1)にわたり、Ｎ個のパスの初期ステータスを示すために使用され、Ｎは、１よりも大きい正の整数である。
【０１６６】
例えば、第１のデバイスのベアラが３つのパスを含むとき、第１のデバイスのベアラが３つのパスの初期ステータスを含むことを示すために３ビットが使用されてよく、言い換えれば、３ビットは、第１のデバイスのベアラ中に含まれる３つのパスの初期ステータスを示すために使用される。
【０１６７】
任意選択で、本出願の実施形態では、第１のデバイスのベアラは３つのパスを含み、３つのパスは１つのプライマリパスを含み、プライマリパスは常に動作状態にある。従って、プライマリパスはアクティブ化状態にあり、言い換えれば、プライマリパスを示すビットは常に「１」である。
【０１６８】
任意選択で、本出願の実施形態では、第１のデバイスのベアラは３つのパスを含み、３つのパスは１つのプライマリパスを含む。プライマリパスの初期ステータスが示されることが可能である。プライマリパスは非アクティブ化状態にあることがあり、言い換えれば、プライマリパスを示すビットは「０」であってよい。
【０１６９】
第１の指示情報の値が３ビットであるとき、３ビットは、プライマリパス以外の第１のパス、第２のパス、及び第３のパスの初期ステータスをそれぞれ示す。
【０１７０】
例えば、「１１１」は、３つのパスがそれぞれアクティブ化状態にあることを示すために使用されてよく、「１１０」は、第１のパス及び第２のパスがアクティブ化状態にあり、第３のパスが非アクティブ化状態にあることを示すために使用されてよく、「１０１」は、第１のパス及び第３のパスがアクティブ化状態にあり、第２のパスが非アクティブ化状態にあることを示すために使用されてよく、「１００」は、第１のパスがアクティブ化状態にあり、第２のパス及び第３のパスが非アクティブ化状態にあることを示すために使用されてよく、「０１１」は、第１のパスが非アクティブ化状態にあり、第２のパス及び第３のパスがアクティブ化状態にあることを示すために使用されてよく、「０１０」は、第１のパス及び第３のパスが非アクティブ化状態にあり、第２のパスがアクティブ化状態にあることを示すために使用されてよく、「００１」は、第１のパス及び第２のパスが非アクティブ化状態にあり、第３のパスがアクティブ化状態にあることを示すために使用されてよく、「０００」は、３つのパスがそれぞれ非アクティブ化状態にあることを示すために使用されてよい。代替として、「０」は本明細書において「アクティブ化状態」を示してよく、「１」は「非アクティブ化状態」を示してよいことを理解されたい。これは、本出願では限定されない。
【０１７１】
示される第１のパス、第２のパス、及び第３のパスのシーケンス、即ち、３ビットと構成されるパスとの間の対応は以下の通りであってよい。
ソートが、３つのパスの論理チャネル識別子ＬＣＩＤの降順に実施されるか、又は
ソートが、３つのパスのＬＣＩＤの昇順に実施されるか、又は
ソートが、３つのパスのＬＣＩＤを構成する順序に実施されるか、又は
ソートが、３つのパスのＬＣＩＤがそれに属するセルグループの順序に実施され、具体的には、ソートが、最初にマスタセルグループＬＣＩＤ、次いでセカンダリセルグループＬＣＩＤの順序に実施され、及びソートが、各セルグループ中のＬＣＩＤの昇順又は降順に実施されるか、又は
ソートが、３つのパスのＬＣＩＤがそれに属するセルグループの順序に実施され、具体的には、ソートが、最初にセカンダリセルグループＬＣＩＤ、次いでマスタセルグループＬＣＩＤの順序に実施され、及びソートが、各セルグループ中のＬＣＩＤの昇順又は降順に実施されるか、又は
ソートが、３つのパスのＬＣＩＤの降順に実施され、ＬＣＩＤが同じ値を有するとき、ソートが、最初にマスタセルグループ、次いでセカンダリセルグループの順序に実施されるか、又はソートが、最初にセカンダリセルグループ、次いでマスタセルグループの順序に実施されるか、又は
ソートが、３つのパスのＬＣＩＤの昇順に実施され、ＬＣＩＤが同じ値を有するとき、ソートが、最初にマスタセルグループ、次いでセカンダリセルグループの順序に実施されるか、又はソートが、最初にセカンダリセルグループ、次いでマスタセルグループＬＣＩＤの順序に実施される。
【０１７２】
本出願の実施形態では、ソートは、３つのパスの論理チャネル識別子ＬＣＩＤの降順に実施される。
【０１７３】
例えば、３つのパスのＬＣＩＤ値は５、７、及び８であると仮定される。この場合、第１のパスは、ＬＣＩＤが８であるパスであり、第２のパスは、ＬＣＩＤが７であるパスであり、第２のパスは、ＬＣＩＤが５であるパスである。
【０１７４】
本出願の実施形態では、ソートは、３つのパスの論理チャネル識別子ＬＣＩＤの昇順に実施される。
【０１７５】
例えば、第１の指示情報は３つのパスの初期ステータスを示し、３つのパスのＬＣＩＤ値は及び５、７、及び８であると仮定される。この場合、第１のパスは、ＬＣＩＤが５であるパスであり、第２のパスは、ＬＣＩＤが７であるパスであり、第２のパスは、ＬＣＩＤが８であるパスである。
【０１７６】
本出願の実施形態では、ソートは、３つのパスのＬＣＩＤがそれに属するセルグループの順序に実施され、具体的には、ソートは、最初にマスタセルグループＬＣＩＤ、次いでセカンダリセルグループＬＣＩＤの順序に実施され、及びソートは、各セルグループ中のＬＣＩＤの昇順に実施される。
【０１７７】
例えば、第１の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＭＣＧ  ＬＣＩＤが５であるパスであり、第２のパスは、ＳＣＧ  ＬＣＩＤが５であるパスであり、第３のパスは、ＳＣＧ  ＬＣＩＤが８であるパスである。
【０１７８】
本出願の実施形態では、ソートは、３つのパスのＬＣＩＤがそれに属するセルグループの順序に実施され、具体的には、ソートは、最初にマスタセルグループＬＣＩＤ、次いでセカンダリセルグループＬＣＩＤの順序に実施され、及びソートは、各セルグループ中のＬＣＩＤの降順に実施される。
【０１７９】
例えば、第１の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＭＣＧ  ＬＣＩＤが５であるパスであり、第２のパスは、ＳＣＧ  ＬＣＩＤが８であるパスであり、第３のパスは、ＳＣＧ  ＬＣＩＤが５であるパスである。
【０１８０】
本出願の実施形態では、ソートは、３つのパスのＬＣＩＤがそれに属するセルグループの順序に実施され、具体的には、ソートは、最初にセカンダリセルグループＬＣＩＤ、次いでマスタセルグループＬＣＩＤの順序に実施され、及びソートは、各セルグループ中のＬＣＩＤの降順に実施される。
【０１８１】
例えば、第１の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが８であるパスであり、第２のパスは、ＳＣＧ  ＬＣＩＤが５であるパスであり、第３のパスは、ＭＣＧ  ＬＣＩＤが５であるパスである。
【０１８２】
本出願の実施形態では、ソートは、３つのパスのＬＣＩＤがそれに属するセルグループの順序に実施され、具体的には、ソートは、最初にセカンダリセルグループＬＣＩＤ、次いでマスタセルグループＬＣＩＤの順序に実施され、及びソートは、各セルグループ中のＬＣＩＤの昇順に実施される。
【０１８３】
例えば、第１の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが５であるパスであり、第２のパスは、ＳＣＧ  ＬＣＩＤが８であるパスであり、第３のパスは、ＭＣＧ  ＬＣＩＤが５であるパスである。
【０１８４】
本出願の実施形態では、ソートは、３つのパスのＬＣＩＤの降順に実施され、ＬＣＩＤが同じ値を有するとき、ソートは、最初にマスタセルグループ、次いでセカンダリセルグループの順序に実施される。
【０１８５】
例えば、第１の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが８であるパスであり、第２のパスは、ＭＣＧ  ＬＣＩＤが５であるパスであり、第３のパスは、ＳＣＧ  ＬＣＩＤが５であるパスである。
【０１８６】
本出願の実施形態では、ソートは、３つのパスのＬＣＩＤの降順に実施され、ＬＣＩＤが同じ値を有するとき、ソートは、最初にセカンダリセルグループ、次いでマスタセルグループの順序に実施される。
【０１８７】
例えば、第１の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが８であるパスであり、第２のパスは、ＳＣＧ  ＬＣＩＤが５であるパスであり、第３のパスは、ＭＣＧ  ＬＣＩＤが５であるパスである。
【０１８８】
本出願の実施形態では、ソートは、３つのパスのＬＣＩＤの昇順に実施され、ＬＣＩＤが同じ値を有するとき、ソートは、最初にマスタセルグループ、次いでセカンダリセルグループの順序に実施される。
【０１８９】
例えば、第１の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＭＣＧ  ＬＣＩＤが５であるパスであり、第２のパスは、ＳＣＧ  ＬＣＩＤが５であるパスであり、第３のパスは、ＳＣＧ  ＬＣＩＤが８であるパスである。
【０１９０】
本出願の実施形態では、ソートは、３つのパスのＬＣＩＤの昇順に実施され、ＬＣＩＤが同じ値を有するとき、ソートは、最初にセカンダリセルグループ、次いでマスタセルグループの順序に実施される。
【０１９１】
例えば、第１の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが５であるパスであり、第２のパスは、ＭＣＧ  ＬＣＩＤが５であるパスであり、第３のパスは、ＳＣＧ  ＬＣＩＤが８であるパスである。
【０１９２】
本出願の実施形態では、ソートは、３つのパスのＬＣＩＤを構成する順序に実施される。
【０１９３】
例えば、第１の指示情報は３つのパスの初期ステータスを示し、３つのパスのＬＣＩＤ値は５、７、及び８であり、構成順序は８、７、及び５であると仮定される。この場合、第１のパスは、ＬＣＩＤが８であるパスであり、第２のパスは、ＬＣＩＤが７であるパスであり、第２のパスは、ＬＣＩＤが５であるパスである。
【０１９４】
本出願の実施形態では、ソートは、３つのパスのＬＣＩＤを構成する順序に実施される。
【０１９５】
例えば、第１の指示情報は３つのパスの初期ステータスを示し、３つのパスのＬＣＩＤ値は５、７、及び８であり、プライマリパスは、ＬＣＩＤが７であるパスであると仮定される。この場合、プライマリパスは、第１のパス、即ち、ビットストリングの最上位ビットとして指定されてよく、言い換えれば、第１のパスは、ＬＣＩＤが７であるパスである。代替として、プライマリパスは、第３のパス、即ち、ビットストリングの最下位ビットとして指定されてよく、言い換えれば、第３のパスは、ＬＣＩＤが７であるパスである。残りの２つのパスは、特定の順序に、例えば、ＬＣＩＤ値の順序に又はセルグループの順序にソートされる。これは、この実施形態において述べられた別のソート方法と同様である。詳細について本明細書で再び説明されない。
【０１９６】
本明細書における第１の指示情報の値は、第１のデバイスのベアラ設定の初期ステータスを示すために使用されることに留意されたい。例えば、第１の指示情報の値が、第１のデバイスのベアラ設定が第１のベアラ設定であることを示すとき、第１のベアラ設定は複製構成であってよく、第１のベアラ設定の初期ステータスは、アクティブ化状態及び非アクティブ化状態を含む。上記は説明のための例として使用され、特別な限定はそれに課されない。
【０１９７】
本出願の実施形態では、第１のデバイスのベアラがＮ個のパスを含むとき、第１のベアラ設定の初期ステータスは、プライマリパス以外の、Ｎ個のパス中のＮ−１個のパスの初期ステータスを含み得る。Ｎ−１個のパスの初期ステータスは、アクティブ化状態又は非アクティブ化状態を含み、第１の指示情報の値は、Ｍビットであってよいか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０１９８】
本出願のこの実施形態では、第１の指示情報の値が、複数のビットであるか又はバイナリ変換の後に取得される複数のビットであるとき、複数のビットは、複数のパスの論理チャネル識別子ＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの降順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの降順に実施されるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【０１９９】
例えば、第１の指示情報の値が３ビットであるとき、３ビットは、プライマリパス以外の第１のパス、第２のパス、及び第３のパスの初期ステータスをそれぞれ示す。第１のパス、第２のパス、及び第３のパスは、少なくとも１つのパスを含むことを理解されたい。
【０２００】
例えば、「１１１」は、３つのパスがそれぞれアクティブ化状態にあることを示すために使用されてよく、「１１０」は、第１のパス及び第２のパスがアクティブ化状態にあり、第３のパスが非アクティブ化状態にあることを示すために使用されてよく、「１０１」は、第１のパス及び第３のパスがアクティブ化状態にあり、第２のパスが非アクティブ化状態にあることを示すために使用されてよく、「１００」は、第１のパスがアクティブ化状態にあり、第２のパス及び第３のパスが非アクティブ化状態にあることを示すために使用されてよく、「０１１」は、第１のパスが非アクティブ化状態にあり、第２のパス及び第３のパスがアクティブ化状態にあることを示すために使用されてよく、「０１０」は、第１のパス及び第３のパスが非アクティブ化状態にあり、第２のパスがアクティブ化状態にあることを示すために使用されてよく、「００１」は、第１のパス及び第２のパスが非アクティブ化状態にあり、第３のパスがアクティブ化状態にあることを示すために使用されてよく、「０００」は、３つのパスがそれぞれ非アクティブ化状態にあることを示すために使用されてよい。代替として、「０」は本明細書において「アクティブ化状態」を示してよく、「１」は「非アクティブ化状態」を示してよいことを理解されたい。これは、本出願では限定されない。
【０２０１】
例えば、５つのパスが構成され、プライマリパス以外の第１のパス、第２のパス、及び第３のパスの初期ステータスを示すために３ビットが使用される。言い換えれば、これらの３ビットは、４つの構成されたパスの初期ステータスを示すために使用される。
【０２０２】
任意選択で、本出願の実施形態では、第１のパス、第２のパス、及び第３のパスの対応は、プライマリパス以外の４つの構成されたパス及び対応するＬＣＩＤのグルーピングステータスに基づいて決定される。ソート方法は、上記の実施形態におけるソート方法と同じであってよい。詳細について本明細書で再び説明されない。
【０２０３】
任意選択で、本出願の実施形態では、第１の指示情報のビットの量は、セルグループの量に対応し、各ビットは、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。別の例では、３つ以上のセルグループがあるとき、例えば、４つのセルグループがあるとき、第１の情報は４ビットを含み、第１のビットは、ＭＣＧ中の全てのパスに対応し、最後の３ビットと３つのＳＣＧの対応は、ＳＣＧのソートに基づいて決定される。
【０２０４】
任意選択で、本出願の実施形態では、第１の指示情報のビットの量は、セルグループの量に対応し、各ビットは、プライマリパス以外の、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。
【０２０５】
図１１は、本出願の別の実施形態による、第１のメッセージが、プライマリパス以外の複数のパスの初期ステータスを示す概略図である。図１１に示されているように、第１のメッセージ中に含まれる第１の指示情報は２ビットを含むと仮定される。第１のビットは、マスタセルグループ中の全てのパスの初期ステータス、例えば、ＬＣＩＤ値が５であるパスの初期ステータスを示すために使用される。第２のビットは、セカンダリセルグループ中の全てのパスの初期ステータス、例えば、セカンダリセルグループ中でＬＣＩＤ値が５であるパスの初期ステータス、及びＬＣＩＤ値が８であるパスの初期ステータスを示す。
【０２０６】
任意選択で、本出願の実施形態では、３つ以上のセルグループがあるとき、例えば、４つのセルグループがあるとき、第１の情報は４ビットを含み、第１のビットは、プライマリパス以外の、ＭＣＧ中の全てのパスに対応し、最後の３ビットと３つのＳＣＧの対応は、ＳＣＧのソートに基づいて決定される。プライマリパスは、代替としてＳＣＧ中のパスであってよいことを理解されたい。
【０２０７】
図１２は、本出願の別の実施形態による、第１のメッセージが、プライマリパス以外の複数のパスの初期ステータスを示す概略図である。図１２に示されているように、第１のメッセージ中に含まれる第１の指示情報は、４つのセルグループ中のパスの初期ステータスを示すために使用される４ビットを含むと仮定される。パスは、マスタセルグループ中でＬＣＩＤ値が５であるパス、セカンダリセルグループ１中でＬＣＩＤ値が５であるパス及びＬＣＩＤ値が８であるパス、セカンダリセルグループ２中でＬＣＩＤ値が１であるパス及びＬＣＩＤ値が３であるパス、並びにセカンダリセルグループ３中でＬＣＩＤ値が２であるパス及びＬＣＩＤ値が８であるパスを含む。第１の指示情報中の第１のビットは、マスタセルグループ中の全てのパスの初期ステータスを示すために使用され、第１の指示情報中の第２のビットは、セカンダリセルグループ１中の全てのパスの初期ステータスを示すために使用され、第１の指示情報中の第３のビットは、セカンダリセルグループ２中の全てのパスの初期ステータスを示すために使用され、第１の指示情報中の第４のビットは、セカンダリセルグループ３中の全てのパスの初期ステータスを示すために使用される。
【０２０８】
任意選択で、本出願の実施形態では、第１の指示情報のビットの量が１である場合、１ビットは、プライマリパス以外の全てのパスの初期ステータスに対応する。
【０２０９】
図１３は、本出願の別の実施形態による、第１のメッセージが、プライマリパス以外の複数のパスの初期ステータスを示す概略図である。図１３に示されているように、第１のメッセージ中に含まれる第１の指示情報は、プライマリパス以外の３つのパスの初期ステータスを示すと仮定される。３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスである。第１の指示情報中の１ビットは、プライマリパス以外の全てのパスの初期ステータスを示すために使用される。
【０２１０】
任意選択で、本出願の実施形態では、異なるセルグループ中に含まれるパスの初期ステータスは同じであり、１ビットは、セルグループ中の全てのパスの初期ステータスを示すために使用される。
【０２１１】
図１４は、本出願の別の実施形態による、第１のメッセージが、プライマリパス以外の複数のパスの初期ステータスを示す概略図である。図１４に示されているように、第１のメッセージ中に含まれる第１の指示情報中の第１のビットは、マスタセルグループ中の全てのパスの初期ステータスを示し、マスタセルグループは、ＬＣＩＤ値が６であるパスを含む。第１の指示情報中の第２のビットは、セカンダリセルグループ中の全てのパスの初期ステータスを示し、セカンダリセルグループは、ＬＣＩＤ値が５であるパス及びＬＣＩＤ値が８であるパスを含む。
【０２１２】
任意選択で、本出願の実施形態では、セルグループ中のプライマリパスを含む全てのパスの初期ステータスはそれぞれ、常にアクティブ化状態である。
【０２１３】
本明細書における第１の指示情報の値は、第１のデバイスのベアラ設定の初期ステータスを示すために使用されることに留意されたい。例えば、第１の指示情報の値が、第１のデバイスのベアラ設定が第１のベアラ設定であることを示すとき、第１のベアラ設定は複製構成であってよく、第１のベアラ設定の初期ステータスは、アクティブ化状態及び非アクティブ化状態を含む。上記は説明のための例として使用され、特別な限定はそれに課されない。
【０２１４】
本出願の実施形態では、第１のデバイスのベアラがＮ個のパスを含むとき、第１のベアラ設定の初期ステータスは、Ｎ個のパスの初期ステータスを含み得る。各パスの初期ステータスは、アクティブ化状態又は非アクティブ化状態である。第１の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０２１５】
本出願のこの実施形態では、第１の指示情報の値が、複数のビットであるか又はバイナリ変換の後に取得される複数のビットであるとき、複数のビットは、複数のパスの論理チャネル識別子ＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの降順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの降順に実施されるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【０２１６】
例えば、第１の指示情報の値が３ビットであるとき、３ビットは、第１のパス、第２のパス、及び第３のパスの初期ステータスをそれぞれ示す。第１のパス、第２のパス、及び第３のパスは、少なくとも１つのパスを含むことを理解されたい。
【０２１７】
例えば、「１１１」は、３つのパスがそれぞれアクティブ化状態にあることを示すために使用されてよく、「１１０」は、第１のパス及び第２のパスがアクティブ化状態にあり、第３のパスが非アクティブ化状態にあることを示すために使用されてよく、「１０１」は、第１のパス及び第３のパスがアクティブ化状態にあり、第２のパスが非アクティブ化状態にあることを示すために使用されてよく、「１００」は、第１のパスがアクティブ化状態にあり、第２のパス及び第３のパスが非アクティブ化状態にあることを示すために使用されてよく、「０１１」は、第１のパスが非アクティブ化状態にあり、第２のパス及び第３のパスがアクティブ化状態にあることを示すために使用されてよく、「０１０」は、第１のパス及び第３のパスが非アクティブ化状態にあり、第２のパスがアクティブ化状態にあることを示すために使用されてよく、「００１」は、第１のパス及び第２のパスが非アクティブ化状態にあり、第３のパスがアクティブ化状態にあることを示すために使用されてよく、「０００」は、３つのパスがそれぞれ非アクティブ化状態にあることを示すために使用されてよい。代替として、「０」は本明細書において「アクティブ化状態」を示してよく、「１」は「非アクティブ化状態」を示してよいことを理解されたい。これは、本出願では限定されない。
【０２１８】
例えば、５つの構成されたパスがあり、第１のパス、第２のパス、及び第３のパスを示すために３ビットが使用され、言い換えれば、３ビットは、５つの構成されたパスの初期ステータスを示すために使用される。
【０２１９】
３ビットが、５つのパスの初期ステータスを示すために使用されるとき、第１のパスは、少なくとも１つのパスを含む第１のパスグループと見なされてよく、３ビットのうちの１つは、少なくとも１つのパスの初期ステータスを示すために使用されることを理解されたい。
【０２２０】
任意選択で、本出願の実施形態では、第１の指示情報中の１ビットは、プライマリパスの初期ステータスを示すために使用され、別のビットは、残りのパスを示すために使用される。
【０２２１】
図１５は、本出願の別の実施形態による、第１のメッセージが複数のパスの初期ステータスを示す概略図である。図１３に示されているように、第１のメッセージ中に含まれる第１の指示情報中の第１のビットは、プライマリパスの初期ステータスを示し、第１の指示情報中の第２のビットは、マスタセルグループ及びセカンダリセルグループ中の全てのパスの初期ステータスを示す。マスタセルグループは、ＬＣＩＤ値が５であるパスを含み、セカンダリセルグループは、ＬＣＩＤ値が５であるパス及びＬＣＩＤ値が８であるパスを含む。
【０２２２】
図１６は、本出願の別の実施形態による、第１のメッセージが複数のパスの初期ステータスを示す概略図である。図１６に示されているように、第１のメッセージ中に含まれる第１の指示情報は、複数のパスの初期ステータスを示す。５つのパスは、それぞれ、マスタセルグループ（ＭＣＧ）中でＬＣＩＤ値が２であるパス及びＬＣＩＤ値が５であるパス、並びにセカンダリセルグループ（ＳＣＧ）中でＬＣＩＤ値が５であるパス、ＬＣＩＤ値が８であるパス、及びＬＣＩＤ値が６であるパスである。第１の指示情報の３ビットは、これらの５つのパスの初期ステータスを示すために使用される。例えば、３ビット中の第１のビットは第１のパスを示し、第１のパスは、マスタセル中の２つのパス、ＬＣＩＤ値が２であるパス及びＬＣＩＤ値が５であるパスであってよい。第２のビットは第２のパスを示し、第２のパスは、セカンダリセルグループ中の２つのパス、ＬＣＩＤ値が５であるパス及びＬＣＩＤ値が８であるパスであってよい。第３のビットは第３のパスを示し、第３のパスは、セカンダリセルグループ中の１つのパス、ＬＣＩＤ値が６であるパスであってよい。例は、上記では説明のために使用され、本出願を限定しないことを理解されたい。
【０２２３】
任意選択で、本出願の実施形態では、第１の指示情報のビットの量は、セルグループの量に対応し、各ビットは、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。別の例では、３つ以上のセルグループがあるとき、例えば、４つのセルグループがあるとき、第１の情報は４ビットを含み、第１のビットは、ＭＣＧ中の全てのパスに対応し、最後の３ビットと３つのＳＣＧの対応は、ＳＣＧのソートに基づいて決定される。
【０２２４】
任意選択で、本出願の実施形態では、第１の指示情報のビットの量は、セルグループの量に対応し、各ビットは、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。
【０２２５】
図１７は、本出願の別の実施形態による、第１のメッセージが複数のパスの初期ステータスを示す概略図である。図１７に示されているように、第１のメッセージ中に含まれる第１の指示情報は２ビットを含むと仮定される。第１のビットは、マスタセルグループ中の全てのパス、例えば、ＬＣＩＤ値が２であるプライマリパスの初期ステータス及びＬＣＩＤ値が５であるパスの初期ステータスを示すために使用される。第２のビットは、セカンダリセルグループ中の全てのパス、例えば、セカンダリセルグループ中でＬＣＩＤ値が５であるパス及びＬＣＩＤ値が８であるパスの初期ステータスを示す。
【０２２６】
任意選択で、本出願の実施形態では、３つ以上のセルグループがあるとき、例えば、４つのセルグループがあるとき、第１の情報は４ビットを含み、第１のビットは、ＭＣＧ中の全てのパスに対応し、最後の３ビットと３つのＳＣＧの対応は、ＳＣＧのソートに基づいて決定される。
【０２２７】
図１８は、本出願の別の実施形態による、第１のメッセージが複数のパスの初期ステータスを示す概略図である。図１８に示されているように、第１のメッセージ中に含まれる第１の指示情報は、４つのセルグループ中のパスの初期ステータスを示すために使用される４ビットを含むと仮定される。パスは、マスタセルグループ中でＬＣＩＤ値が２であるプライマリパス及びＬＣＩＤ値が５であるパス、セカンダリセルグループ１中でＬＣＩＤ値が５であるパス及びＬＣＩＤ値が８であるパス、セカンダリセルグループ２中でＬＣＩＤ値が１であるパス及びＬＣＩＤ値が３であるパス、並びにセカンダリセルグループ３中でＬＣＩＤ値が２であるパス及びＬＣＩＤ値が８であるパスを含む。第１の指示情報中の第１のビットは、マスタセルグループ中の全てのパスの初期ステータスを示すために使用される。第１の指示情報中の第２のビットは、セカンダリセルグループ１中の全てのパスの初期ステータスを示すために使用される。第１の指示情報中の第３のビットは、セカンダリセルグループ２中の全てのパスの初期ステータスを示すために使用される。第１の指示情報中の第４のビットは、セカンダリセルグループ３中の全てのパスの初期ステータスを示すために使用される。
【０２２８】
任意選択で、本出願の実施形態では、セルグループ中の全てのパスの初期ステータスはそれぞれ、常にアクティブ化状態にある。
【０２２９】
任意選択で、本出願の実施形態では、第１のパス、第２のパス、及び第３のパスの対応は、５つの構成されたパス及び対応するＬＣＩＤのグルーピングステータスに基づいて決定される。ソート方法は、上記の実施形態におけるソート方法と同じであってよい。詳細について本明細書で再び説明されない。
【０２３０】
任意選択で、本出願の実施形態では、第１の指示情報のビットの量は、セルグループの量に対応し、各ビットは、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。別の例では、３つ以上のセルグループがあるとき、例えば、４つのセルグループがあるとき、第１の情報は４ビットを含み、第１のビットは、ＭＣＧ中の全てのパスに対応し、最後の３ビットと３つのＳＣＧの対応は、ＳＣＧのソートに基づいて決定される。
【０２３１】
本明細書における第１の指示情報の値は、第１のデバイスのベアラ設定の初期ステータスを示すために使用されることに留意されたい。例えば、第１の指示情報の値が、第１のデバイスのベアラ設定が第１のベアラ設定であることを示すとき、第１のベアラ設定は複製構成であってよく、第１のベアラ設定の初期ステータスは、アクティブ化状態及び非アクティブ化状態を含む。上記は説明のための例として使用され、特別な限定はそれに課されない。
【０２３２】
上記は、第１のメッセージが第１の指示情報を含み、第１の指示情報の値が、第１のデバイスのベアラ設定の初期ステータスを示すために使用されることについて詳細な説明を提供する。例は上記では説明のために使用され、何の限定も本出願のこの実施形態に課されないことを理解されたい。
【０２３３】
方式２
【０２３４】
本出願のこの実施形態では、第１のメッセージは第２の指示情報を含んでよい。第２の指示情報は、第１のデバイスのベアラ設定を示すために使用される。言い換えれば、第２の指示情報は、第１のデバイスのベアラのベアラ設定を示すために使用される。ベアラ設定は、第１のベアラ設定及び／又は第２のベアラ設定を含む。
【０２３５】
第１のメッセージは第３の指示情報をさらに含む。第３の指示情報は、第１のデバイスのベアラの初期ステータスを示すために使用される。初期ステータスは、少なくともアクティブ化状態及び非アクティブ化状態を含む。
【０２３６】
例えば、第１のメッセージは、第１のデバイスのベアラ設定を示すために、以下の第２の指示情報を含む。第１のベアラは、複製を用いて構成されたベアラであってよく、第２のベアラは分割ベアラであってよい。
【０２３７】
本明細書における説明のための例として使用され、特に限定されない、分割ベアラ（第１のメッセージは第２の指示情報を含み、第２の指示情報がこのフィールドを含み、このフィールドが設定された場合、それは、第１のデバイスのベアラが、複製を用いて構成されるベアラであることを示すか、又は第２の指示情報がこのフィールドを含むが、このフィールドが設定されない場合、それは、第１のデバイスのベアラが分割ベアラであることを示す）。
【０２３８】
第１のメッセージは第３の指示情報をさらに含み、第３の指示情報は、第１のデバイスのベアラの初期ステータスを示すために使用される。
【０２３９】
例えば、第１のメッセージは、以下の第３の指示情報を含んでよい。
ｐｄｃｐ複製：第１のメッセージがこのフィールドを含むとき、フィールドの値は、第１のデバイスのベアラの初期ステータスを示すために使用され、初期ステータスは、少なくともアクティブ化状態及び非アクティブ化状態を含む。
【０２４０】
例えば、フィールドの値が「１」であるとき、それは、第１のデバイスのベアラの初期ステータスがアクティブ化状態であることを示すか、又はフィールドの値が「０」であるとき、それは、第１のデバイスのベアラの初期ステータスが非アクティブ化状態であることを示す。例は本明細書では説明のために使用され、特別な限定はそれに課されないことを理解されたい。
【０２４１】
第１のデバイスのベアラが２つのパスを含むとき、第３の指示情報の値は、２ビットを使用することによって第１のベアラの初期ステータスを示してよく、言い換えれば、２ビットは、第１のデバイスにおける複製を用いて構成されたベアラのアクティブ化状態及び非アクティブ化状態を示すために使用される。
【０２４２】
例えば、「１１」は、２つのパスがそれぞれアクティブ化状態にあることを示すために使用されてよく、「１０」は、第１のパスがアクティブ化状態にあり、第２のパスが非アクティブ化状態にあることを示すために使用されてよく、「０１」は、第１のパスが非アクティブ化状態にあり、第２のパスがアクティブ化状態にあることを示すために使用されてよく、「００」は、２つのパスがそれぞれ非アクティブ化状態にあることを示すために使用されてよい。異なるパスは異なる論理チャネル識別子（Ｌｏｇｉｃａｌ  Ｃｈａｎｎｅｌ  Ｉｄｅｎｔｉｆｙ、ＬＣＩＤ）を有し、それらの異なるパスはＬＣＩＤに基づいて区別されることに留意されたい。
【０２４３】
本出願のこの実施形態では、第１のデバイスのベアラがＮ個のパスを含むとき、第１のベアラ設定の初期ステータスは、プライマリパス以外の、Ｎ個のパス中のＮ−１個のパスの初期ステータスを含み得る。Ｎ−１個のパスの初期ステータスはそれぞれ、アクティブ化状態又は非アクティブ化状態であり、第３の指示情報の値は、１ビットであってよいか又は０から１にわたり、この１ビットは、Ｎ−１個のパスの初期ステータスを示すために使用され、Ｎは、１よりも大きい正の整数である。
【０２４４】
例えば、第１のデバイスのベアラが３つのパスを含むとき、第１のベアラの初期ステータスを示すために１ビットが使用されてよく、言い換えれば、第１のデバイスにおける複製を用いて構成されたベアラのアクティブ化状態及び非アクティブ化状態を示すために１ビットが使用される。
【０２４５】
例えば、「１」は、３つのパスがそれぞれアクティブ化状態にあることを示すために使用されてよく、「０」は、３つのパスがそれぞれ非アクティブ化状態にあることを示すために使用されてよい。複製を用いて構成されたベアラのアクティブ化状態は、同じＰＤＵが３つのパス上で送信されることを意味する。複製を用いて構成されたベアラの非アクティブ化状態は、プライマリパスのみが動作状態にあることを意味する。
【０２４６】
本出願の実施形態では、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含み、第３の指示情報の値は、Ｎ−１ビットであってよいか又は０から２(N-1)−１にわたり、Ｎ−１ビットは、Ｎ−１個のパスの初期ステータスを示すために使用され、Ｎは、１よりも大きい正の整数である。
【０２４７】
プライマリパスは常に動作状態にあることを理解されたい。従って、第１のデバイスのベアラがＮ個のパスを含むとき、プライマリパス以外のＮ−１個のパスの初期ステータスのみが決定される必要があり、Ｎ−１個のパスの初期ステータスは、アクティブ化状態及び非アクティブ化状態を含む。Ｎ−１個のパスのいずれか１つがアクティブ化状態にある場合、それは、同じＰＤＵがそのパス及びプライマリパス上で送信されることを示す。
【０２４８】
例えば、第１のデバイスのベアラが４つのパスを含むとき、プライマリパス以外の第１のベアラ中の３つのパスの初期ステータスを示すために３ビットが使用されてよく、言い換えれば、３ビットは、複製を用いて構成されるベアラのアクティブ化状態及び非アクティブ化状態が、プライマリパス以外の第１のデバイスの３つのパスの初期ステータスのために構成されることを示すために使用され、これらの３ビットはプライマリパスの初期ステータスを示さない。
【０２４９】
第３の指示情報の値が３ビットであるとき、３ビットは、プライマリパス以外の第１のパス、第２のパス、及び第３のパスの初期ステータスをそれぞれ示す。
【０２５０】
例えば、「１１１」は、３つのパスがそれぞれアクティブ化状態にあることを示すために使用されてよく、「１１０」は、第１のパス及び第２のパスがアクティブ化状態にあり、第３のパスが非アクティブ化状態にあることを示すために使用されてよく、「１０１」は、第１のパス及び第３のパスがアクティブ化状態にあり、第２のパスが非アクティブ化状態にあることを示すために使用されてよく、「１００」は、第１のパスがアクティブ化状態にあり、第２のパス及び第３のパスが非アクティブ化状態にあることを示すために使用されてよく、「０１１」は、第１のパスが非アクティブ化状態にあり、第２のパス及び第３のパスがアクティブ化状態にあることを示すために使用されてよく、「０１０」は、第１のパス及び第３のパスが非アクティブ化状態にあり、第２のパスがアクティブ化状態にあることを示すために使用されてよく、「００１」は、第１のパス及び第２のパスが非アクティブ化状態にあり、第３のパスがアクティブ化状態にあることを示すために使用されてよく、「０００」は、３つのパスがそれぞれ非アクティブ化状態にあることを示すために使用されてよい。代替として、「０」は本明細書において「アクティブ化状態」を示してよく、「１」は「非アクティブ化状態」を示してよいことを理解されたい。これは、本出願では限定されない。
【０２５１】
示される第１のパス、第２のパス、及び第３のパスのシーケンス、即ち、３ビットと構成されるパスとの間の対応は以下の通りであってよい。
ソートが、３つのパスの論理チャネル識別子ＬＣＩＤの降順に実施されるか、又は
ソートが、３つのパスのＬＣＩＤの昇順に実施されるか、又は
ソートが、３つのパスのＬＣＩＤを構成する順序に実施されるか、又は
ソートが、３つのパスのＬＣＩＤがそれに属するセルグループの順序に実施され、具体的には、ソートが、最初にマスタセルグループＬＣＩＤ、次いでセカンダリセルグループＬＣＩＤの順序に実施され、及びソートが、各セルグループ中のＬＣＩＤの昇順又は降順に実施されるか、又は
ソートが、３つのパスのＬＣＩＤがそれに属するセルグループの順序に実施され、具体的には、ソートが、最初にセカンダリセルグループＬＣＩＤ、次いでマスタセルグループＬＣＩＤの順序に実施され、及びソートが、各セルグループ中のＬＣＩＤの昇順又は降順に実施されるか、又は
ソートが、３つのパスのＬＣＩＤの降順に実施され、ＬＣＩＤが同じ値を有するとき、ソートが、最初にマスタセルグループ、次いでセカンダリセルグループの順序に実施されるか、又はソートが、最初にセカンダリセルグループ、次いでマスタセルグループＬＣＩＤの順序に実施されるか、又は
ソートが、３つのパスのＬＣＩＤの昇順に実施され、ＬＣＩＤが同じ値を有するとき、ソートが、最初にマスタセルグループ、次いでセカンダリセルグループの順序に実施されるか、又はソートが、最初にセカンダリセルグループ、次いでマスタセルグループの順序に実施される。
【０２５２】
本出願の実施形態では、ソートは、３つのパスの論理チャネル識別子ＬＣＩＤを構成する順序に実施される。
【０２５３】
例えば、第３の指示情報は３つのパスの初期ステータスを示し、３つのパスのＬＣＩＤ値は５、７、及び８であり、構成順序又は構成時間シーケンスは８、７、及び５であると仮定される。この場合、第１のパスは、ＬＣＩＤが８であるパスであり、第２のパスは、ＬＣＩＤが７であるパスであり、第２のパスは、ＬＣＩＤが５であるパスである。
【０２５４】
本出願の実施形態では、ソートは、３つのパスの論理チャネル識別子ＬＣＩＤの降順に実施される。
【０２５５】
例えば、第３の指示情報は３つのパスの初期ステータスを示し、３つのパスのＬＣＩＤ値は及び５、７、及び８であると仮定される。この場合、第１のパスは、ＬＣＩＤが８であるパスであり、第２のパスは、ＬＣＩＤが７であるパスであり、第２のパスは、ＬＣＩＤが５であるパスである。
【０２５６】
本出願の実施形態では、ソートは、３つのパスの論理チャネル識別子ＬＣＩＤの昇順に実施される。
【０２５７】
例えば、第３の指示情報は３つのパスの初期ステータスを示し、３つのパスのＬＣＩＤ値は及び５、７、及び８であると仮定される。この場合、第１のパスは、ＬＣＩＤが５であるパスであり、第２のパスは、ＬＣＩＤが７であるパスであり、第２のパスは、ＬＣＩＤが８であるパスである。
【０２５８】
本出願の実施形態では、ソートは、３つのパスのＬＣＩＤがそれに属するセルグループの順序に実施され、具体的には、ソートは、最初にマスタセルグループＬＣＩＤ、次いでセカンダリセルグループＬＣＩＤの順序に実施され、及びソートは、各セルグループ中のＬＣＩＤの昇順に実施される。
【０２５９】
図３は、本出願の実施形態による、第１のメッセージが複数のパスの初期ステータスを示す概略図である。図３に示されているように、第１のメッセージ中に含まれる第３の指示情報は、プライマリパス以外の３つのパスの初期ステータスを示すと仮定される。３つのパスは、それぞれ、マスタセルグループ（Ｍａｓｔｅｒ  Ｃｅｌｌ  Ｇｒｏｕｐ、ＭＣＧ）中でＬＣＩＤ値が５であるパス、セカンダリセルグループ（ＳＣＧ）中でＬＣＩＤ値が５であるパス、及びセカンダリセルグループ（Ｓｅｃｏｎｄａｒｙ  Ｃｅｌｌ  Ｇｒｏｕｐ、ＳＣＧ）中でＬＣＩＤ値が８であるパスである。複数のビットは、３つのパスのＬＣＩＤがそれに属するセルグループの順序にソートされてよく、具体的には、ソートは、最初にマスタセルグループＬＣＩＤ、次いでセカンダリセルグループＬＣＩＤの順序に実施され、及びソートは、各セルグループ中のＬＣＩＤの昇順に実施される。
【０２６０】
マスタセルグループ（ＭＣＧ）は、マスタ基地局に関連付けられ及び／又はマスタ基地局によって提供又はサービスされるサービング／通信セルのグループであり、セカンダリセルグループ（ＳＣＧ）は、２次基地局に関連付けられ及び／又は２次基地局によって提供又はサービスされるサービング／通信セルのグループであることに留意されたい。
【０２６１】
例えば、図３に示されているように、第１のビットは第１のパスを示し、第１のパスは、ＭＣＧ  ＬＣＩＤが５であるパスであり、第２のビットは第２のパスを示し、第２のパスは、ＳＣＧ  ＬＣＩＤが５であるパスであり、第３のビットは第３のパスを示し、第３のパスは、ＳＣＧ  ＬＣＩＤが８であるパスである。
【０２６２】
本出願の実施形態では、ソートは、３つのパスのＬＣＩＤがそれに属するセルグループの順序に実施され、具体的には、ソートは、最初にマスタセルグループＬＣＩＤ、次いでセカンダリセルグループＬＣＩＤの順序に実施され、及びソートは、各セルグループ中のＬＣＩＤの降順に実施される。
【０２６３】
図４は、本出願の別の実施形態による、第１のメッセージが複数のパスの初期ステータスを示す概略図である。図４に示されているように、第１のメッセージ中に含まれる第３の指示情報は、プライマリパス以外の３つのパスの初期ステータスを示すと仮定される。３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスである。複数のビットは、３つのパスのＬＣＩＤがそれに属するセルグループの順序にソートされてよく、具体的には、ソートは、最初にマスタセルグループＬＣＩＤ、次いでセカンダリセルグループＬＣＩＤの順序に実施され、及びソートは、各セルグループ中のＬＣＩＤの降順に実施される。
【０２６４】
例えば、図４に示されているように、第１のビットは第１のパスを示し、第１のパスは、ＭＣＧ  ＬＣＩＤが５であるパスであり、第２のビットは第２のパスを示し、第２のパスは、ＳＣＧ  ＬＣＩＤが８であるパスであり、第３のビットは第３のパスを示し、第３のパスは、ＳＣＧ  ＬＣＩＤが５であるパスである。
【０２６５】
本出願の実施形態では、ソートは、３つのパスのＬＣＩＤがそれに属するセルグループの順序に実施され、具体的には、ソートは、最初にセカンダリセルグループＬＣＩＤ、次いでマスタセルグループＬＣＩＤの順序に実施され、及びソートは、各セルグループ中のＬＣＩＤの降順に実施される。
【０２６６】
図５は、本出願の別の実施形態による、第１のメッセージが複数のパスの初期ステータスを示す概略図である。図５に示されているように、第１のメッセージ中に含まれる第３の指示情報は、プライマリパス以外の３つのパスの初期ステータスを示すと仮定される。３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスである。複数のビットは、３つのパスのＬＣＩＤがそれに属するセルグループの順序にソートされてよく、具体的には、ソートは、最初にセカンダリセルグループＬＣＩＤ、次いでマスタセルグループＬＣＩＤの順序に実施され、及びソートは、各セルグループ中のＬＣＩＤの降順に実施される。
【０２６７】
例えば、図５に示されているように、第１のビットは第１のパスを示し、第１のパスは、ＳＣＧ  ＬＣＩＤが８であるパスであり、第２のビットは第２のパスを示し、第２のパスは、ＳＣＧ  ＬＣＩＤが５であるパスであり、第３のビットは第３のパスを示し、第３のパスは、ＭＣＧ  ＬＣＩＤが５であるパスである。
【０２６８】
本出願の実施形態では、ソートは、３つのパスのＬＣＩＤがそれに属するセルグループの順序に実施され、具体的には、ソートは、最初にセカンダリセルグループＬＣＩＤ、次いでマスタセルグループＬＣＩＤの順序に実施され、及びソートは、各セルグループ中のＬＣＩＤの昇順に実施される。
【０２６９】
図６は、本出願の別の実施形態による、第１のメッセージが複数のパスの初期ステータスを示す概略図である。図６に示されているように、第１のメッセージ中に含まれる第３の指示情報は、プライマリパス以外の３つのパスの初期ステータスを示すと仮定される。３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスである。複数のビットは、３つのパスのＬＣＩＤがそれに属するセルグループの順序にソートされてよく、具体的には、ソートは、最初にセカンダリセルグループＬＣＩＤ、次いでマスタセルグループＬＣＩＤの順序に実施され、及びソートは、各セルグループ中のＬＣＩＤの昇順に実施される。
【０２７０】
例えば、図６に示されているように、第１のビットは第１のパスを示し、第１のパスは、ＳＣＧ  ＬＣＩＤが５であるパスであり、第２のビットは第２のパスを示し、第２のパスは、ＳＣＧ  ＬＣＩＤが８であるパスであり、第３のビットは第３のパスを示し、第３のパスは、ＭＣＧ  ＬＣＩＤが５であるパスである。
【０２７１】
本出願の実施形態では、ソートは、３つのパスのＬＣＩＤの降順に実施され、ＬＣＩＤが同じ値を有するとき、ソートは、最初にマスタセルグループ、次いでセカンダリセルグループの順序に実施される。
【０２７２】
図７は、本出願の別の実施形態による、第１のメッセージが複数のパスの初期ステータスを示す概略図である。図７に示されているように、第１のメッセージ中に含まれる第３の指示情報は、プライマリパス以外の３つのパスの初期ステータスを示すと仮定される。３つのパスは、それぞれ、マスタセルグループ（ＭＣＧ）中でＬＣＩＤ値が６であるパス、セカンダリセルグループ（ＳＣＧ）中でＬＣＩＤ値が６であるパス、及びセカンダリセルグループ（ＳＣＧ）中でＬＣＩＤ値が８であるパスである。複数のビットは、３つのパスのＬＣＩＤの降順にソートされてよく、ＬＣＩＤが同じ値を有するとき、ソートは、最初にマスタセルグループ、次いでセカンダリセルグループの順序に実施される。
【０２７３】
例えば、図７に示されているように、第１のビットは第１のパスを示し、第１のパスは、ＳＣＧ  ＬＣＩＤが８であるパスであり、第２のビットは第２のパスを示し、第２のパスは、ＭＣＧ  ＬＣＩＤが６であるパスであり、第３のビットは第３のパスを示し、第３のパスは、ＳＣＧ  ＬＣＩＤが６であるパスである。
【０２７４】
本出願の実施形態では、ソートは、３つのパスのＬＣＩＤの降順に実施され、ＬＣＩＤが同じ値を有するとき、ソートは、最初にセカンダリセルグループ、次いでマスタセルグループの順序に実施される。
【０２７５】
図８は、本出願の別の実施形態による、第１のメッセージが複数のパスの初期ステータスを示す概略図である。図８に示されているように、第１のメッセージ中に含まれる第３の指示情報は、プライマリパス以外の３つのパスの初期ステータスを示すと仮定される。３つのパスは、それぞれ、マスタセルグループ（ＭＣＧ）中でＬＣＩＤ値が６であるパス、セカンダリセルグループ（ＳＣＧ）中でＬＣＩＤ値が６であるパス、及びセカンダリセルグループ（ＳＣＧ）中でＬＣＩＤ値が８であるパスである。複数のビットは、３つのパスのＬＣＩＤの降順にソートされてよく、ＬＣＩＤが同じ値を有するとき、ソートは、最初にセカンダリセルグループ、次いでマスタセルグループの順序に実施される。
【０２７６】
例えば、図８に示されているように、第１のビットは第１のパスを示し、第１のパスは、ＳＣＧ  ＬＣＩＤが８であるパスであり、第２のビットは第２のパスを示し、第２のパスは、ＳＣＧ  ＬＣＩＤが６であるパスであり、第３のビットは第３のパスを示し、第３のパスは、ＭＣＧ  ＬＣＩＤが６であるパスである。
【０２７７】
本出願の実施形態では、ソートは、３つのパスのＬＣＩＤの昇順に実施され、ＬＣＩＤが同じ値を有するとき、ソートは、最初にマスタセルグループ、次いでセカンダリセルグループの順序に実施される。
【０２７８】
図９は、本出願の別の実施形態による、第１のメッセージが複数のパスの初期ステータスを示す概略図である。図９に示されているように、第１のメッセージ中に含まれる第３の指示情報は、プライマリパス以外の３つのパスの初期ステータスを示すと仮定される。３つのパスは、それぞれ、マスタセルグループ（ＭＣＧ）中でＬＣＩＤ値が６であるパス、セカンダリセルグループ（ＳＣＧ）中でＬＣＩＤ値が６であるパス、及びセカンダリセルグループ（ＳＣＧ）中でＬＣＩＤ値が８であるパスである。複数のビットは、３つのパスのＬＣＩＤの昇順にソートされてよく、ソートは、最初にマスタセルグループ、次いでセカンダリセルグループの順序に実施される。
【０２７９】
例えば、図９に示されているように、第１のビットは第１のパスを示し、第１のパスは、ＭＣＧ  ＬＣＩＤが６であるパスであり、第２のビットは第２のパスを示し、第２のパスは、ＳＣＧ  ＬＣＩＤが６であるパスであり、第３のビットは第３のパスを示し、第３のパスは、ＳＣＧ  ＬＣＩＤが８であるパスである。
【０２８０】
本出願の実施形態では、ソートは、３つのパスのＬＣＩＤの昇順に実施され、ＬＣＩＤが同じ値を有するとき、ソートは、最初にセカンダリセルグループ、次いでマスタセルグループの順序に実施される。
【０２８１】
図１０は、本出願の別の実施形態による、第１のメッセージが複数のパスの初期ステータスを示す概略図である。図１０に示されているように、第１のメッセージ中に含まれる第３の指示情報は、プライマリパス以外の３つのパスの初期ステータスを示すと仮定される。３つのパスは、それぞれ、マスタセルグループ（ＭＣＧ）中でＬＣＩＤ値が６であるパス、セカンダリセルグループ（ＳＣＧ）中でＬＣＩＤ値が６であるパス、及びセカンダリセルグループ（ＳＣＧ）中でＬＣＩＤ値が８であるパスである。複数のビットは、３つのパスのＬＣＩＤの昇順にソートされてよく、ＬＣＩＤが同じ値を有するとき、ソートは、最初にセカンダリセルグループ、次いでマスタセルグループの順序に実施される。
【０２８２】
例えば、図１０に示されているように、第１のビットは第１のパスを示し、第１のパスは、ＳＣＧ  ＬＣＩＤが６であるパスであり、第２のビットは第２のパスを示し、第２のパスは、ＭＣＧ  ＬＣＩＤが６であるパスであり、第３のビットは第３のパスを示し、第３のパスは、ＳＣＧ  ＬＣＩＤが８であるパスである。
【０２８３】
本明細書における第３の指示情報の値は、第１のデバイスのベアラ設定の初期ステータスを示すために使用されることに留意されたい。例えば、第１のデバイスのベアラ設定が第１のベアラ設定であるとき、第１のベアラ設定は複製構成であってよく、第１のベアラ設定の初期ステータスは、アクティブ化状態及び非アクティブ化状態を含む。上記は説明のための例として使用され、特別な限定はそれに課されない。
【０２８４】
本出願の実施形態では、第１のデバイスのベアラがＮ個のパスを含むとき、第１のベアラ設定の初期ステータスは、Ｎ個のパスの初期ステータスを含み得る。各パスの初期ステータスは、アクティブ化状態又は非アクティブ化状態であり、第３の指示情報の値は、Ｎビットであってよいか又は０から２(N-1)にわたり、Ｎ個のパスの初期ステータスを示すために使用され、Ｎは、１よりも大きい正の整数である。
【０２８５】
例えば、第１のデバイスのベアラが３つのパスを含むとき、第１のデバイスのベアラが３つのパスの初期ステータスを含むことを示すために３ビットが使用されてよく、言い換えれば、３ビットは、第１のデバイスのベアラ中に含まれる３つのパスの初期ステータスを示すために使用される。
【０２８６】
任意選択で、本出願の実施形態では、第１のデバイスのベアラは３つのパスを含み、３つのパスは１つのプライマリパスを含み、プライマリパスは常に動作状態にある。従って、プライマリパスはアクティブ化状態にあり、言い換えれば、プライマリパスを示すビットは常に「１」である。
【０２８７】
任意選択で、本出願の実装では、第１のデバイスのベアラは３つのパスを含み、３つのパスは１つのプライマリパスを含む。プライマリパスの初期ステータスが示されることが可能である。プライマリパスは非アクティブ化状態にあることがあり、言い換えれば、プライマリパスを示すビットは「０」であってよい。
【０２８８】
第３の指示情報の値が３ビットであるとき、３ビットは、プライマリパス以外の第１のパス、第２のパス、及び第３のパスの初期ステータスをそれぞれ示す。
【０２８９】
例えば、「１１１」は、３つのパスがそれぞれアクティブ化状態にあることを示すために使用されてよく、「１１０」は、第１のパス及び第２のパスがアクティブ化状態にあり、第３のパスが非アクティブ化状態にあることを示すために使用されてよく、「１０１」は、第１のパス及び第３のパスがアクティブ化状態にあり、第２のパスが非アクティブ化状態にあることを示すために使用されてよく、「１００」は、第１のパスがアクティブ化状態にあり、第２のパス及び第３のパスが非アクティブ化状態にあることを示すために使用されてよく、「０１１」は、第１のパスが非アクティブ化状態にあり、第２のパス及び第３のパスがアクティブ化状態にあることを示すために使用されてよく、「０１０」は、第１のパス及び第３のパスが非アクティブ化状態にあり、第２のパスがアクティブ化状態にあることを示すために使用されてよく、「００１」は、第１のパス及び第２のパスが非アクティブ化状態にあり、第３のパスがアクティブ化状態にあることを示すために使用されてよく、「０００」は、３つのパスがそれぞれ非アクティブ化状態にあることを示すために使用されてよい。代替として、「０」は本明細書において「アクティブ化状態」を示してよく、「１」は「非アクティブ化状態」を示してよいことを理解されたい。これは、本出願では限定されない。
【０２９０】
示される第１のパス、第２のパス、及び第３のパスのシーケンス、即ち、３ビットと構成されるパスとの間の対応は以下の通りであってよい。
ソートが、３つのパスの論理チャネル識別子ＬＣＩＤの降順に実施されるか、又は
ソートが、３つのパスのＬＣＩＤの昇順に実施されるか、又は
ソートが、３つのパスのＬＣＩＤを構成する順序に実施されるか、又は
ソートが、３つのパスのＬＣＩＤがそれに属するセルグループの順序に実施され、具体的には、ソートが、最初にマスタセルグループＬＣＩＤ、次いでセカンダリセルグループＬＣＩＤの順序に実施され、及びソートが、各セルグループ中のＬＣＩＤの昇順又は降順に実施されるか、又は
ソートが、３つのパスのＬＣＩＤがそれに属するセルグループの順序に実施され、具体的には、ソートが、最初にセカンダリセルグループＬＣＩＤ、次いでマスタセルグループＬＣＩＤの順序に実施され、及びソートが、各セルグループ中のＬＣＩＤの昇順又は降順に実施されるか、又は
ソートが、３つのパスのＬＣＩＤの降順に実施され、ＬＣＩＤが同じ値を有するとき、ソートが、最初にマスタセルグループ、次いでセカンダリセルグループの順序に実施されるか、又はソートが、最初にセカンダリセルグループ、次いでマスタセルグループの順序に実施されるか、又は
ソートが、３つのパスのＬＣＩＤの昇順に実施され、ＬＣＩＤが同じ値を有するとき、ソートが、最初にマスタセルグループ、次いでセカンダリセルグループの順序に実施されるか、又はソートが、最初にセカンダリセルグループ、次いでマスタセルグループの順序に実施される。
【０２９１】
本出願の実施形態では、ソートは、３つのパスの論理チャネル識別子ＬＣＩＤの降順に実施される。
【０２９２】
例えば、３つのパスのＬＣＩＤ値は５、７、及び８であると仮定される。この場合、第１のパスは、ＬＣＩＤが８であるパスであり、第２のパスは、ＬＣＩＤが７であるパスであり、第２のパスは、ＬＣＩＤが５であるパスである。
【０２９３】
本出願の実施形態では、ソートは、３つのパスの論理チャネル識別子ＬＣＩＤの昇順に実施される。
【０２９４】
例えば、第３の指示情報は３つのパスの初期ステータスを示し、３つのパスのＬＣＩＤ値は及び５、７、及び８であると仮定される。この場合、第１のパスは、ＬＣＩＤが５であるパスであり、第２のパスは、ＬＣＩＤが７であるパスであり、第２のパスは、ＬＣＩＤが８であるパスである。
【０２９５】
本出願の実施形態では、ソートは、３つのパスのＬＣＩＤがそれに属するセルグループの順序に実施され、具体的には、ソートは、最初にマスタセルグループＬＣＩＤ、次いでセカンダリセルグループＬＣＩＤの順序に実施され、及びソートは、各セルグループ中のＬＣＩＤの昇順に実施される。
【０２９６】
例えば、第３の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＭＣＧ  ＬＣＩＤが５であるパスであり、第２のパスは、ＳＣＧ  ＬＣＩＤが５であるパスであり、第３のパスは、ＳＣＧ  ＬＣＩＤが８であるパスである。
【０２９７】
本出願の実施形態では、ソートは、３つのパスのＬＣＩＤがそれに属するセルグループの順序に実施され、具体的には、ソートは、最初にマスタセルグループＬＣＩＤ、次いでセカンダリセルグループＬＣＩＤの順序に実施され、及びソートは、各セルグループ中のＬＣＩＤの降順に実施される。
【０２９８】
例えば、第３の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＭＣＧ  ＬＣＩＤが５であるパスであり、第２のパスは、ＳＣＧ  ＬＣＩＤが８であるパスであり、第３のパスは、ＳＣＧ  ＬＣＩＤが５であるパスである。
【０２９９】
本出願の実施形態では、ソートは、３つのパスのＬＣＩＤがそれに属するセルグループの順序に実施され、具体的には、ソートは、最初にセカンダリセルグループＬＣＩＤ、次いでマスタセルグループＬＣＩＤの順序に実施され、及びソートは、各セルグループ中のＬＣＩＤの降順に実施される。
【０３００】
例えば、第３の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが８であるパスであり、第２のパスは、ＳＣＧ  ＬＣＩＤが５であるパスであり、第３のパスは、ＭＣＧ  ＬＣＩＤが５であるパスである。
【０３０１】
本出願の実施形態では、ソートは、３つのパスのＬＣＩＤがそれに属するセルグループの順序に実施され、具体的には、ソートは、最初にセカンダリセルグループＬＣＩＤ、次いでマスタセルグループＬＣＩＤの順序に実施され、及びソートは、各セルグループ中のＬＣＩＤの昇順に実施される。
【０３０２】
例えば、第３の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが５であるパスであり、第２のパスは、ＳＣＧ  ＬＣＩＤが８であるパスであり、第３のパスは、ＭＣＧ  ＬＣＩＤが５であるパスである。
【０３０３】
本出願の実施形態では、ソートは、３つのパスのＬＣＩＤの降順に実施され、ＬＣＩＤが同じ値を有するとき、ソートは、最初にマスタセルグループ、次いでセカンダリセルグループの順序に実施される。
【０３０４】
例えば、第３の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが８であるパスであり、第２のパスは、ＭＣＧ  ＬＣＩＤが５であるパスであり、第３のパスは、ＳＣＧ  ＬＣＩＤが５であるパスである。
【０３０５】
本出願の実施形態では、ソートは、３つのパスのＬＣＩＤの降順に実施され、ＬＣＩＤが同じ値を有するとき、ソートは、最初にセカンダリセルグループＬＣＩＤ、次いでマスタセルグループＬＣＩＤの順序に実施される。
【０３０６】
例えば、第３の指示情報は３つのパスの初期ステータスを示し、３つのパスは、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが８であるパスであり、第２のパスは、ＳＣＧ  ＬＣＩＤが５であるパスであり、第３のパスは、ＭＣＧ  ＬＣＩＤが５であるパスである。
【０３０７】
本出願の実施形態では、ソートは、３つのパスのＬＣＩＤの昇順に実施され、ＬＣＩＤが同じ値を有するとき、ソートは、最初にマスタセルグループ、次いでセカンダリセルグループの順序に実施される。
【０３０８】
例えば、第３の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＭＣＧ  ＬＣＩＤが５であるパスであり、第２のパスは、ＳＣＧ  ＬＣＩＤが５であるパスであり、第３のパスは、ＳＣＧ  ＬＣＩＤが８であるパスである。
【０３０９】
本出願の実施形態では、ソートは、３つのパスのＬＣＩＤの昇順に実施され、ＬＣＩＤが同じ値を有するとき、ソートは、最初にセカンダリセルグループＬＣＩＤ、次いでマスタセルグループＬＣＩＤの順序に実施される。
【０３１０】
例えば、第３の指示情報は３つのパスの初期ステータスを示し、３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスであると仮定される。この場合、第１のパスは、ＳＣＧ  ＬＣＩＤが５であるパスであり、第２のパスは、ＭＣＧ  ＬＣＩＤが５であるパスであり、第３のパスは、ＳＣＧ  ＬＣＩＤが８であるパスである。
【０３１１】
本出願の実施形態では、ソートは、３つのパスのＬＣＩＤを構成する順序に実施される。
【０３１２】
例えば、第３の指示情報は３つのパスの初期ステータスを示し、３つのパスのＬＣＩＤ値は５、７、及び８であり、構成順序は８、７、及び５であると仮定される。この場合、第１のパスは、ＬＣＩＤが８であるパスであり、第２のパスは、ＬＣＩＤが７であるパスであり、第２のパスは、ＬＣＩＤが５であるパスである。
【０３１３】
本出願の実施形態では、ソートは、３つのパスのＬＣＩＤを構成する順序に実施される。
【０３１４】
例えば、第３の指示情報は３つのパスの初期ステータスを示し、３つのパスのＬＣＩＤ値は５、７、及び８であり、プライマリパスは、ＬＣＩＤが７であるパスであると仮定される。この場合、プライマリパスは、第１のパス、即ち、ビットストリングの最上位ビットとして指定されてよく、言い換えれば、第１のパスは、ＬＣＩＤが７であるパスである。代替として、プライマリパスは、第３のパス、即ち、ビットストリングの最下位ビットとして指定されてよく、言い換えれば、第３のパスは、ＬＣＩＤが７であるパスである。残りの２つのパスは、特定の順序に、例えば、ＬＣＩＤ値の順序に又はセルグループの順序にソートされる。これは、この実施形態において述べられた別のソート方法と同様である。詳細について本明細書で再び説明されない。
【０３１５】
本明細書における第３の指示情報の値は、第１のデバイスのベアラ設定の初期ステータスを示すために使用されることに留意されたい。例えば、第１のデバイスのベアラ設定が第１のベアラ設定であるとき、第１のベアラ設定は複製構成であってよく、第１のベアラ設定の初期ステータスは、アクティブ化状態及び非アクティブ化状態を含む。上記は説明のための例として使用され、特別な限定はそれに課されない。
【０３１６】
本出願の実施形態では、第１のデバイスのベアラがＮ個のパスを含むとき、第１のベアラ設定の初期ステータスは、プライマリパス以外の、Ｎ個のパス中のＮ−１個のパスの初期ステータスを含み得る。Ｎ−１個のパスの初期ステータスは、アクティブ化状態又は非アクティブ化状態を含み、第３の指示情報の値は、Ｍビットであってよいか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０３１７】
本出願のこの実施形態では、第３の指示情報の値が、複数のビットであるか又はバイナリ変換の後に取得される複数のビットであるとき、複数のビットは、複数のパスの論理チャネル識別子ＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの降順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの降順に実施されるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【０３１８】
例えば、第３の指示情報の値が３ビットであるとき、３ビットは、プライマリパス以外の第１のパス、第２のパス、及び第３のパスの初期ステータスをそれぞれ示す。第１のパス、第２のパス、及び第３のパスは、少なくとも１つのパスを含むことを理解されたい。
【０３１９】
例えば、「１１１」は、３つのパスがそれぞれアクティブ化状態にあることを示すために使用されてよく、「１１０」は、第１のパス及び第２のパスがアクティブ化状態にあり、第３のパスが非アクティブ化状態にあることを示すために使用されてよく、「１０１」は、第１のパス及び第３のパスがアクティブ化状態にあり、第２のパスが非アクティブ化状態にあることを示すために使用されてよく、「１００」は、第１のパスがアクティブ化状態にあり、第２のパス及び第３のパスが非アクティブ化状態にあることを示すために使用されてよく、「０１１」は、第１のパスが非アクティブ化状態にあり、第２のパス及び第３のパスがアクティブ化状態にあることを示すために使用されてよく、「０１０」は、第１のパス及び第３のパスが非アクティブ化状態にあり、第２のパスがアクティブ化状態にあることを示すために使用されてよく、「００１」は、第１のパス及び第２のパスが非アクティブ化状態にあり、第３のパスがアクティブ化状態にあることを示すために使用されてよく、「０００」は、３つのパスがそれぞれ非アクティブ化状態にあることを示すために使用されてよい。代替として、「０」は本明細書において「アクティブ化状態」を示してよく、「１」は「非アクティブ化状態」を示してよいことを理解されたい。これは、本出願では限定されない。
【０３２０】
例えば、５つの構成されたパスがあり、第１のパス、第２のパス、及び第３のパスを示すために３ビットが使用され、言い換えれば、３ビットは、４つの構成されたパスの初期ステータスを示すために使用される。
【０３２１】
任意選択で、本出願の実施形態では、第１のパス、第２のパス、及び第３のパスの対応は、プライマリパス以外の４つの構成されたパス及び対応するＬＣＩＤのグルーピングステータスに基づいて決定される。ソート方法は、上記の実施形態におけるソート方法と同じであってよい。詳細について本明細書で再び説明されない。
【０３２２】
任意選択で、本出願の実施形態では、第３の指示情報のビットの量は、セルグループの量に対応し、各ビットは、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。別の例では、３つ以上のセルグループがあるとき、例えば、４つのセルグループがあるとき、第１の情報は４ビットを含み、第１のビットは、ＭＣＧ中の全てのパスに対応し、最後の３ビットと３つのＳＣＧの対応は、ＳＣＧのソートに基づいて決定される。
【０３２３】
任意選択で、本出願の実施形態では、第３の指示情報のビットの量は、セルグループの量に対応し、各ビットは、プライマリパス以外の、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。
【０３２４】
図１１は、本出願の別の実施形態による、第１のメッセージが、プライマリパス以外の複数のパスの初期ステータスを示す概略図である。図１１に示されているように、第１のメッセージ中に含まれる第３の指示情報は２ビットを含むと仮定される。第１のビットは、マスタセルグループ中の全てのパスの初期ステータス、例えば、ＬＣＩＤ値が５であるパスの初期ステータスを示すために使用される。第２のビットは、セカンダリセルグループ中の全てのパスの初期ステータス、例えば、セカンダリセルグループ中でＬＣＩＤ値が５であるパスの初期ステータス、及びＬＣＩＤ値が８であるパスの初期ステータスを示す。
【０３２５】
任意選択で、本出願の実施形態では、３つ以上のセルグループがあるとき、例えば、４つのセルグループがあるとき、第１の情報は４ビットを含み、第１のビットは、プライマリパス以外の、ＭＣＧ中の全てのパスに対応し、最後の３ビットと３つのＳＣＧの対応は、ＳＣＧのソートに基づいて決定される。プライマリパスは、代替としてＳＣＧ中のパスであってよいことを理解されたい。
【０３２６】
図１２は、本出願の別の実施形態による、第１のメッセージが、プライマリパス以外の複数のパスの初期ステータスを示す概略図である。図１２に示されているように、第１のメッセージ中に含まれる第３の指示情報は、４つのセルグループ中のパスの初期ステータスを示すために使用される４ビットを含むと仮定される。パスは、マスタセルグループ中でＬＣＩＤ値が５であるパス、セカンダリセルグループ１中でＬＣＩＤ値が５であるパス及びＬＣＩＤ値が８であるパス、セカンダリセルグループ２中でＬＣＩＤ値が１であるパス及びＬＣＩＤ値が３であるパス、並びにセカンダリセルグループ３中でＬＣＩＤ値が２であるパス及びＬＣＩＤ値が８であるパスを含む。第３の指示情報中の第１のビットは、マスタセルグループ中の全てのパスの初期ステータスを示すために使用され、第３の指示情報中の第２のビットは、セカンダリセルグループ１中の全てのパスの初期ステータスを示すために使用され、第３の指示情報中の第３のビットは、セカンダリセルグループ２中の全てのパスの初期ステータスを示すために使用され、第３の指示情報中の第４のビットは、セカンダリセルグループ３中の全てのパスの初期ステータスを示すために使用される。
【０３２７】
任意選択で、本出願の実施形態では、第３の指示情報のビットの量が１である場合、１ビットは、プライマリパス以外の全てのパスの初期ステータスに対応する。
【０３２８】
図１３は、本出願の別の実施形態による、第１のメッセージが、プライマリパス以外の複数のパスの初期ステータスを示す概略図である。図１３に示されているように、第１のメッセージ中に含まれる第３の指示情報は、プライマリパス以外の３つのパスの初期ステータスを示すと仮定される。３つのパスは、それぞれ、マスタセルグループ（ＭＣＧ）中でＬＣＩＤ値が５であるパス、セカンダリセルグループ（ＳＣＧ）中でＬＣＩＤ値が５であるパス、及びセカンダリセルグループ（ＳＣＧ）中でＬＣＩＤ値が８であるパスである。第３の指示情報中の１ビットは、プライマリパス以外の全てのパスの初期ステータスを示すために使用される。
【０３２９】
任意選択で、本出願の実施形態では、異なるセルグループ中に含まれるパスの初期ステータスは同じであり、１ビットは、セルグループ中の全てのパスの初期ステータスを示すために使用される。
【０３３０】
図１４は、本出願の別の実施形態による、第１のメッセージが、プライマリパス以外の複数のパスの初期ステータスを示す概略図である。図１４に示されているように、第１のメッセージ中に含まれる第３の指示情報中の第１のビットは、マスタセルグループ中の全てのパスの初期ステータスを示し、マスタセルグループは、ＬＣＩＤ値が６であるパスを含む。第３の指示情報中の第２のビットは、セカンダリセルグループ中の全てのパスの初期ステータスを示し、セカンダリセルグループは、ＬＣＩＤ値が５であるパス及びＬＣＩＤ値が８であるパスを含む。
【０３３１】
任意選択で、本出願の実施形態では、セルグループ中のプライマリパスを含む全てのパスの初期ステータスはそれぞれ、常にアクティブ化状態である。
【０３３２】
本明細書における第３の指示情報の値は、第１のデバイスのベアラ設定の初期ステータスを示すために使用されることに留意されたい。例えば、第１のデバイスのベアラ設定が第１のベアラ設定であるとき、第１のベアラ設定は複製構成であってよく、第１のベアラ設定の初期ステータスは、アクティブ化状態及び非アクティブ化状態を含む。上記は説明のための例として使用され、特別な限定はそれに課されない。
【０３３３】
本出願の実施形態では、第１のデバイスのベアラがＮ個のパスを含むとき、第１のベアラ設定の初期ステータスは、Ｎ個のパスの初期ステータスを含み得る。各パスの初期ステータスは、アクティブ化状態又は非アクティブ化状態である。第３の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０３３４】
本出願のこの実施形態では、第３の指示情報の値が、複数のビットであるか又はバイナリ変換の後に取得される複数のビットであるとき、複数のビットは、複数のパスの論理チャネル識別子ＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの昇順に実施されるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及びソートは、各セルグループ中の複数のパスのＬＣＩＤの降順に実施されるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及びソートは、各セルグループ中の複数のパスのＬＣＩＤの降順に実施されるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【０３３５】
例えば、第３の指示情報の値が３ビットであるとき、３ビットは、第１のパス、第２のパス、及び第３のパスの初期ステータスをそれぞれ示す。第１のパス、第２のパス、及び第３のパスは、少なくとも１つのパスを含むことを理解されたい。
【０３３６】
例えば、「１１１」は、３つのパスがそれぞれアクティブ化状態にあることを示すために使用されてよく、「１１０」は、第１のパス及び第２のパスがアクティブ化状態にあり、第３のパスが非アクティブ化状態にあることを示すために使用されてよく、「１０１」は、第１のパス及び第３のパスがアクティブ化状態にあり、第２のパスが非アクティブ化状態にあることを示すために使用されてよく、「１００」は、第１のパスがアクティブ化状態にあり、第２のパス及び第３のパスが非アクティブ化状態にあることを示すために使用されてよく、「０１１」は、第１のパスが非アクティブ化状態にあり、第２のパス及び第３のパスがアクティブ化状態にあることを示すために使用されてよく、「０１０」は、第１のパス及び第３のパスが非アクティブ化状態にあり、第２のパスがアクティブ化状態にあることを示すために使用されてよく、「００１」は、第１のパス及び第２のパスが非アクティブ化状態にあり、第３のパスがアクティブ化状態にあることを示すために使用されてよく、「０００」は、３つのパスがそれぞれ非アクティブ化状態にあることを示すために使用されてよい。代替として、「０」は本明細書において「アクティブ化状態」を示してよく、「１」は「非アクティブ化状態」を示してよいことを理解されたい。これは、本出願では限定されない。
【０３３７】
例えば、５つの構成されたパスがあり、第１のパス、第２のパス、及び第３のパスを示すために３ビットが使用され、言い換えれば、３ビットは、５つの構成されたパスの初期ステータスを示すために使用される。
【０３３８】
３ビットが、５つのパスの初期ステータスを示すために使用されるとき、第１のパスは、少なくとも１つのパスを含む第１のパスグループと見なされてよく、３ビットのうちの１つは、少なくとも１つのパスの初期ステータスを示すために使用されることを理解されたい。
【０３３９】
任意選択で、本出願の実施形態では、第３の指示情報中の１ビットは、プライマリパスの初期ステータスを示すために使用され、別のビットは、残りのパスを示すために使用される。
【０３４０】
図１５は、本出願の別の実施形態による、第１のメッセージが複数のパスの初期ステータスを示す概略図である。図１３に示されているように、第１のメッセージ中に含まれる第３の指示情報中の第１のビットは、プライマリパスの初期ステータスを示し、第３の指示情報中の第２のビットは、マスタセルグループ及びセカンダリセルグループ中の全てのパスの初期ステータスを示す。マスタセルグループは、ＬＣＩＤ値が５であるパスを含み、セカンダリセルグループは、ＬＣＩＤ値が５であるパス及びＬＣＩＤ値が８であるパスを含む。図１６は、本出願の別の実施形態による、第１のメッセージが複数のパスの初期ステータスを示す概略図である。図１６に示されているように、第１のメッセージ中に含まれる第３の指示情報は、複数のパスの初期ステータスを示す。５つのパスは、それぞれ、マスタセルグループ（ＭＣＧ）中でＬＣＩＤ値が２であるパス及びＬＣＩＤ値が５であるパス、並びにセカンダリセルグループ（ＳＣＧ）中でＬＣＩＤ値が５であるパス、ＬＣＩＤ値が８であるパス、及びＬＣＩＤ値が６であるパスである。第３の指示情報の３ビットは、これらの５つのパスの初期ステータスを示すために使用される。例えば、３ビット中の第１のビットは第１のパスを示し、第１のパスは、マスタセル中の２つのパス、ＬＣＩＤ値が２であるパス及びＬＣＩＤ値が５であるパスであってよい。第２のビットは第２のパスを示し、第２のパスは、セカンダリセルグループ中の２つのパス、ＬＣＩＤ値が５であるパス及びＬＣＩＤ値が８であるパスであってよい。第３のビットは第３のパスを示し、第３のパスは、セカンダリセルグループ中の１つのパス、ＬＣＩＤ値が６であるパスであってよい。例は、上記では説明のために使用され、本出願を限定しないことを理解されたい。
【０３４１】
任意選択で、本出願の実施形態では、第３の指示情報のビットの量は、セルグループの量に対応し、各ビットは、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。別の例では、３つ以上のセルグループがあるとき、例えば、４つのセルグループがあるとき、第１の情報は４ビットを含み、第１のビットは、ＭＣＧ中の全てのパスに対応し、最後の３ビットと３つのＳＣＧの対応は、ＳＣＧのソートに基づいて決定される。
【０３４２】
任意選択で、本出願の実施形態では、第３の指示情報のビットの量は、セルグループの量に対応し、各ビットは、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。
【０３４３】
図１７は、本出願の別の実施形態による、第１のメッセージが複数のパスの初期ステータスを示す概略図である。図１７に示されているように、第１のメッセージ中に含まれる第３の指示情報は２ビットを含むと仮定される。第１のビットは、マスタセルグループ中の全てのパス、例えば、ＬＣＩＤ値が２であるプライマリパスの初期ステータス及びＬＣＩＤ値が５であるパスの初期ステータスを示すために使用される。第２のビットは、セカンダリセルグループ中の全てのパス、例えば、セカンダリセルグループ中でＬＣＩＤ値が５であるパス及びＬＣＩＤ値が８であるパスの初期ステータスを示す。
【０３４４】
任意選択で、本出願の実施形態では、３つ以上のセルグループがあるとき、例えば、４つのセルグループがあるとき、第１の情報は４ビットを含み、第１のビットは、ＭＣＧ中の全てのパスに対応し、最後の３ビットと３つのＳＣＧの対応は、ＳＣＧのソートに基づいて決定される。
【０３４５】
図１８は、本出願の別の実施形態による、第１のメッセージが複数のパスの初期ステータスを示す概略図である。図１８に示されているように、第１のメッセージ中に含まれる第３の指示情報は、４つのセルグループ中のパスの初期ステータスを示すために使用される４ビットを含むと仮定される。パスは、マスタセルグループ中でＬＣＩＤ値が２であるプライマリパス及びＬＣＩＤ値が５であるパス、セカンダリセルグループ１中でＬＣＩＤ値が５であるパス及びＬＣＩＤ値が８であるパス、セカンダリセルグループ２中でＬＣＩＤ値が１であるパス及びＬＣＩＤ値が３であるパス、並びにセカンダリセルグループ３中でＬＣＩＤ値が２であるパス及びＬＣＩＤ値が８であるパスを含む。第３の指示情報中の第１のビットは、マスタセルグループ中の全てのパスの初期ステータスを示すために使用される。第３の指示情報中の第２のビットは、セカンダリセルグループ１中の全てのパスの初期ステータスを示すために使用される。第３の指示情報中の第３のビットは、セカンダリセルグループ２中の全てのパスの初期ステータスを示すために使用される。第３の指示情報中の第４のビットは、セカンダリセルグループ３中の全てのパスの初期ステータスを示すために使用される。
【０３４６】
任意選択で、本出願の実施形態では、セルグループ中のプライマリパスを含む全てのパスの初期ステータスはそれぞれ、常にアクティブ化状態である。
【０３４７】
任意選択で、本出願の実施形態では、第１のパス、第２のパス、及び第３のパスの対応は、５つの構成されたパス及び対応するＬＣＩＤのグルーピングステータスに基づいて決定される。ソート方法は、上記の実施形態におけるソート方法と同じであってよい。詳細について本明細書で再び説明されない。
【０３４８】
任意選択で、本出願の実施形態では、第３の指示情報のビットの量は、セルグループの量に対応し、各ビットは、対応するセルグループ中のパスの初期ステータスを示す。例えば、第１の情報が２ビットを含むとき、第１のビットは、ＭＣＧ中の全てのパスに対応し、第２のビットは、ＳＣＧ中の全てのパスに対応する。別の例では、３つ以上のセルグループがあるとき、例えば、４つのセルグループがあるとき、第１の情報は４ビットを含み、第１のビットは、ＭＣＧ中の全てのパスに対応し、最後の３ビットと３つのＳＣＧの対応は、ＳＣＧのソートに基づいて決定される。
【０３４９】
本明細書における第３の指示情報の値は、第１のデバイスのベアラ設定の初期ステータスを示すために使用されることに留意されたい。例えば、第１の指示情報の値が、第１のデバイスのベアラ設定が第１のベアラ設定であることを示すとき、第１のベアラ設定は複製構成であってよく、第１のベアラ設定の初期ステータスは、アクティブ化状態及び非アクティブ化状態を含む。上記は説明のための例として使用され、特別な限定はそれに課されない。
【０３５０】
上記は、第１のメッセージが第３の指示情報を含み、第３の指示情報の値が、第１のデバイスのベアラ設定の初期ステータスを示すために使用されることについて詳細な説明を提供する。例は上記では説明のために使用され、何の限定も本出願のこの実施形態に課されないことを理解されたい。
【０３５１】
方式３
【０３５２】
本出願のこの実施形態では、第１のメッセージは第４の指示情報を含んでよく、第４の指示情報の値は、ベアラ設定及びベアラ設定の初期ステータスを示すために使用される。
【０３５３】
例えば、第１のメッセージは第４の指示情報を含み、第４の指示情報は以下の指示情報であってよい。
値範囲が｛１，２，３｝であるｐｄｃｐ複製。
【０３５４】
特に、第１のデバイスのベアラのベアラ設定及び／又は初期ステータスは、第４の指示情報の値に基づいて示されてよい。例えば、フィールドの値が１であるとき、それは、第１のデバイスのベアラが第１のベアラ設定のアクティブ化状態にあることを示す。
【０３５５】
このフィールドの値が２であるとき、それは、第１のデバイスのベアラが第１のベアラ設定の非アクティブ化状態にあることを示す。フィールドの値が３であるとき、それは、第１のデバイスのベアラが第２のベアラ設定であることを示す。第１のベアラは、複製を用いて構成されたベアラであってよく、第２のベアラは分割ベアラであってよい。上記は説明のための例として使用され、特別な限定はそれに課されない。
【０３５６】
方式４
【０３５７】
本出願のこの実施形態では、第１のメッセージが第５の指示情報を含むとき、それは、第１のデバイスのベアラが第２のベアラ設定であることを示す。
【０３５８】
例えば、第１のメッセージは、以下の第５の指示情報、即ち、Ｓｐｌｉｔを含んでよい。
【０３５９】
第１のメッセージはフィールドを含む。フィールドが設定されたとき、それは、第１のデバイスのベアラが第２のベアラ設定であることを示す。
【０３６０】
本出願のこの実施形態では、第１のメッセージが第６の指示情報を含み得るが、第５の指示情報を含まないとき、それは、第１のデバイスのベアラが第１のベアラ設定であり、第１のデバイスのベアラがアクティブ化状態にあることを示す。
【０３６１】
例えば、第１のメッセージは、以下の第６の指示情報、即ち、ｐｄｃｐ−Ｄｕｐｌｉｃａｔｉｏｎを含む。
【０３６２】
第１のメッセージはフィールドを含む。フィールドが設定されたとき、それは、第１のデバイスのベアラが第１のベアラ設定であり、第１のデバイスのベアラがアクティブ化状態にあることを示す。第１のベアラは、複製を用いて構成されたベアラであってよく、第２のベアラは分割ベアラであってよい。上記は説明のための例として使用され、特別な限定はそれに課されない。
【０３６３】
本出願のこの実施形態では、第１のメッセージが第５の指示情報も第６の指示情報も含まないとき、それは、第１のデバイスのベアラが第１のベアラのベアラであり、第１のデバイスのベアラが非アクティブ化状態にあることを示す。
【０３６４】
例えば、第１のメッセージは、第５の指示情報のフィールド及び第６の指示情報のフィールドを含まないことがある。
【０３６５】
本出願のこの実施形態では、第１のデバイスのベアラは無線ベアラであり得る、或いは、第１のデバイスのベアラはシグナリングベアラである。
【０３６６】
上記の処理のシーケンス番号は、本出願の実施形態における実行シーケンスを意味しないことを理解されたい。処理の実行シーケンスは、処理の機能及び内部論理に基づいて決定される必要があり、本出願の実施形態の実装処理に対するいかなる限定としても解釈されるべきではない。
【０３６７】
上記は、本出願のこの実施形態による通信方法について詳細に説明している。第１のデバイスは、第２のデバイスによって送られた第１のメッセージを受信し、第１のメッセージに基づいて、第１のデバイスのベアラのベアラ設定と、第１のデバイスのベアラ設定の初期ステータスの両方を決定する。これは通信効率を改善する。以下で、本出願の実施形態による通信方法における通信デバイスについて説明する。本出願の実施形態における通信デバイスは、本発明の上記の実施形態における様々な通信方法を実施し得ることを理解されたい。言い換えれば、以下の製品の特定の動作処理については、上記の方法実施形態における対応する処理を参照されたい。
【０３６８】
図１９は、本出願の実施形態による通信デバイス３００の概略ブロック図である（図１９の通信デバイスは、図１のいずれかの端末デバイスであってよい）。図１９に示されているように、通信デバイス３００は、
第２のデバイスによって送られた第１のメッセージを受信するように構成された、トランシーバモジュール３１０であって、第１のメッセージは、第１のデバイスのベアラのベアラ設定及びそのベアラ設定の初期ステータスを示すために使用され、ベアラ設定は、第１のベアラ設定及び／又は第２のベアラ設定を含む、トランシーバモジュール３１０と、
第１のメッセージに基づいてベアラ設定及びベアラ設定の初期ステータスを決定するように構成された、処理モジュール３２０と
を含む。
【０３６９】
本出願のこの実施形態では、通信デバイスは端末であってよく、第２のデバイスはアクセスネットワークデバイスであってよい。例えば、第２のデバイスは基地局であってよい。
【０３７０】
本出願のこの実施形態では、第１のデバイスのベアラは、無線ベアラ又はシグナリングベアラを含んでよく、ベアラ設定は、第１のベアラ設定及び第２のベアラ設定を含んでよいことに留意されたい。第１のベアラ設定は、複製を用いてベアラを構成すべきであってよく、及び／又は第２のベアラ設定は、分割ｓｐｌｉｔベアラであってよい。ベアラ設定は、第１のベアラ設定及び第２のベアラ設定を含み得る、或いは、第１のベアラ設定、第２のベアラ設定、及び第３のベアラ設定を含み得る、ことを理解されたい。これは、本出願では限定されない。
【０３７１】
本出願のこの実施形態における技術的解決策では、第１のデバイスは、第２のデバイスによって送られた第１のメッセージを受信し、第１のメッセージに基づいて、第１のデバイスのベアラのベアラ設定と、第１のデバイスのベアラ設定の初期ステータスの両方を決定する。これは通信効率を改善する。
【０３７２】
任意選択で、第１のメッセージが第１の指示情報を含むとき、それは、ベアラ設定が第１のベアラ設定であることを示す。
【０３７３】
代替として、第１のメッセージが第１の指示情報を含まないとき、それは、ベアラ設定が第２のベアラ設定であることを示す。
【０３７４】
任意選択で、第１のメッセージが第１の指示情報を含むとき、第１の指示情報の値は、第１のベアラ設定の初期ステータスを示すために使用される。
【０３７５】
任意選択で、第１のデバイスのベアラが２つのパスを含むとき、第１の指示情報の値は、第１のベアラ設定の初期ステータスを示すために使用され、初期ステータスは、アクティブ化状態又は非アクティブ化状態を含む。
【０３７６】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含み、Ｎ−１個のパスの初期ステータスはそれぞれ、アクティブ化状態又は非アクティブ化状態であり、第１の指示情報の値は、１ビットであるか又は０から１にわたり、Ｎ−１個のパスの初期ステータスを示すために使用され、Ｎは、１よりも大きい正の整数である。
【０３７７】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含み、第１の指示情報の値は、Ｎ−１ビットであるか又は０から２(N-1)−１にわたり、Ｎ−１個のパスの初期ステータスを示すために使用され、Ｎは、１よりも大きい正の整数である。
【０３７８】
任意選択で、第１のデバイスのベアラがＮ個のパスを含むとき、第１のベアラ設定の初期ステータスは、Ｎ個のパスの初期ステータスを含み、各パスの初期ステータスは、アクティブ化状態又は非アクティブ化状態であり、第１の指示情報の値は、Ｎビットであるか又は０から２(N-1)にわたり、Ｎ個のパスの初期ステータスを示すために使用され、Ｎは、１よりも大きい正の整数である。
【０３７９】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含む。第１の指示情報の値は、Ｍビットであるか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０３８０】
任意選択で、第１のデバイスのベアラがＮ個のパスを含むとき、第１のベアラ設定の初期ステータスは、Ｎ個のパスの初期ステータスを含む。各パスの初期ステータスは、アクティブ化状態又は非アクティブ化状態である。第１の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０３８１】
任意選択で、第１の指示情報の値が、複数のビットであるか又はバイナリ変換の後に取得される複数のビットであるとき、複数のビットは、複数のパスの論理チャネル識別子ＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及び各セルグループ中の論理チャネル識別子は、複数のパスのＬＣＩＤの昇順にソートされるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及び各セルグループ中の論理チャネル識別子は、複数のパスのＬＣＩＤの昇順にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及び各セルグループ中の論理チャネル識別子は、複数のパスのＬＣＩＤの降順にソートされるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及び各セルグループ中の論理チャネル識別子は、複数のパスのＬＣＩＤの降順にソートされるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【０３８２】
任意選択で、第１のメッセージは第２の指示情報を含み、第２の指示情報は、ベアラ設定を示すために使用される。
【０３８３】
任意選択で、第１のメッセージは第３の指示情報をさらに含み、第３の指示情報は、ベアラ設定の初期ステータスを示すために使用される。
【０３８４】
任意選択で、第１のデバイスのベアラが２つのパスを含むとき、第３の指示情報の値は、第１のベアラ設定の初期ステータスを示すために使用され、初期ステータスは、アクティブ化状態又は非アクティブ化状態を含む。
【０３８５】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含み、Ｎ−１個のパスの初期ステータスはそれぞれ、アクティブ化状態又は非アクティブ化状態であり、第３の指示情報の値は、１ビットであるか又は０から１にわたり、Ｎ−１個のパスの初期ステータスを示すために使用され、Ｎは、１よりも大きい正の整数である。
【０３８６】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含み、第３の指示情報の値は、Ｎ−１ビットであるか又は０から２(N-1)−１にわたり、Ｎ−１個のパスの初期ステータスを示すために使用され、Ｎは、１よりも大きい正の整数である。
【０３８７】
任意選択で、第１のデバイスのベアラがＮ個のパスを含むとき、第１のベアラ設定の初期ステータスは、Ｎ個のパスの初期ステータスを含み、各パスの初期ステータスは、アクティブ化状態又は非アクティブ化状態であり、第３の指示情報の値は、Ｎビットであるか又は０から２(N-1)にわたり、Ｎ個のパスの初期ステータスを示すために使用され、Ｎは、１よりも大きい正の整数である。
【０３８８】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含む。第３の指示情報の値は、Ｍビットであるか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０３８９】
任意選択で、第１のデバイスのベアラがＮ個のパスを含むとき、第１のベアラ設定の初期ステータスは、Ｎ個のパスの初期ステータスを含む。各パスの初期ステータスは、アクティブ化状態又は非アクティブ化状態である。第３の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０３９０】
任意選択で、第３の指示情報の値が、複数のビットであるか又はバイナリ変換の後に取得される複数のビットであるとき、複数のビットは、複数のパスのＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及び各セルグループ中の論理チャネル識別子は、複数のパスのＬＣＩＤの昇順にソートされるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及び各セルグループ中の論理チャネル識別子は、複数のパスのＬＣＩＤの昇順にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及び各セルグループ中の論理チャネル識別子は、複数のパスのＬＣＩＤの降順にソートされるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及び各セルグループ中の論理チャネル識別子は、複数のパスのＬＣＩＤの降順にソートされるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【０３９１】
任意選択で、第１のメッセージは第４の指示情報を含み、第４の指示情報の値は、ベアラ設定及びベアラ設定の初期ステータスを示すために使用される。
【０３９２】
任意選択で、第１のメッセージが第５の指示情報を含むとき、それは、ベアラ設定が第２のベアラ設定であることを示す。
【０３９３】
代替として、第１のメッセージが第６の指示情報を含むが、第５の指示情報を含まないとき、それは、ベアラ設定が第１のベアラ設定であり、第１のベアラ設定の初期ステータスがアクティブ化状態であることを示す。
【０３９４】
代替として、第１のメッセージが第５の指示情報も第６の指示情報も含まないとき、それは、ベアラ設定が第１のベアラ設定であり、第１のベアラ設定の初期ステータスが非アクティブ化状態であることを示す。
【０３９５】
図２０は、本出願の実施形態による通信デバイス４００の概略ブロック図である（図２０の通信デバイスは、図１の基地局であってよい）。図２０に示されているように、通信デバイス４００は、
第１のデバイスのベアラのベアラ設定及びそのベアラ設定の初期ステータスを構成するように構成された、処理モジュール４２０と、
第１のデバイスに第１のメッセージを送るように構成された、トランシーバモジュール４１０であって、第１のメッセージは、ベアラ設定及びベアラ設定の初期ステータスを示すために使用され、ベアラ設定は、第１のベアラ設定及び／又は第２のベアラ設定を含む、トランシーバモジュール４１０と
を含む。
【０３９６】
本出願のこの実施形態では、第１のデバイスは、図１のいずれかの端末デバイスであってよい。
【０３９７】
本出願のこの実施形態では、第１のデバイスのベアラは、無線ベアラ又はシグナリングベアラを含んでよく、ベアラ設定は、第１のベアラ設定及び第２のベアラ設定を含んでよいことに留意されたい。第１のベアラ設定は、複製を用いてベアラを構成すべきであってよく、及び／又は第２のベアラ設定は、分割ｓｐｌｉｔベアラであってよい。ベアラ設定は、第１のベアラ設定及び第２のベアラ設定を含み得る、或いは、第１のベアラ設定、第２のベアラ設定、及び第３のベアラ設定を含み得る、ことを理解されたい。これは、本出願では限定されない。
【０３９８】
本出願のこの実施形態における技術的解決策では、第２のデバイスは、第１のデバイスのベアラのベアラ設定及びベアラ設定の初期ステータスを構成し、第１のデバイスに第１のメッセージを送る。第１のメッセージは、第１のデバイスのベアラのベアラ設定と、第１のデバイスのベアラ設定の初期ステータスの両方を示すために使用される。これは通信効率を改善する。
【０３９９】
任意選択で、第１のメッセージが第１の指示情報を含むとき、それは、ベアラ設定が第１のベアラ設定であることを示す。
【０４００】
代替として、第１のメッセージが第１の指示情報を含まないとき、それは、ベアラ設定が第２のベアラ設定であることを示す。
【０４０１】
任意選択で、第１のメッセージが第１の指示情報を含むとき、第１の指示情報の値は、第１のベアラ設定の初期ステータスを示すために使用される。
【０４０２】
任意選択で、第１のデバイスのベアラが２つのパスを含むとき、第１の指示情報の値は、第１のベアラ設定の初期ステータスを示すために使用され、初期ステータスは、アクティブ化状態又は非アクティブ化状態を含む。
【０４０３】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含み、Ｎ−１個のパスの初期ステータスはそれぞれ、アクティブ化状態又は非アクティブ化状態であり、第１の指示情報の値は、１ビットであるか又は０から１にわたり、Ｎ−１個のパスの初期ステータスを示すために使用され、Ｎは、１よりも大きい正の整数である。
【０４０４】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含み、第１の指示情報の値は、Ｎ−１ビットであるか又は０から２(N-1)−１にわたり、Ｎ−１個のパスの初期ステータスを示すために使用され、Ｎは、１よりも大きい正の整数である。
【０４０５】
任意選択で、第１のデバイスのベアラがＮ個のパスを含むとき、第１のベアラ設定の初期ステータスは、Ｎ個のパスの初期ステータスを含み、各パスの初期ステータスは、アクティブ化状態又は非アクティブ化状態であり、第１の指示情報の値は、Ｎビットであるか又は０から２(N-1)にわたり、Ｎ個のパスの初期ステータスを示すために使用され、Ｎは、１よりも大きい正の整数である。
【０４０６】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含む。第１の指示情報の値は、Ｍビットであるか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０４０７】
任意選択で、第１のデバイスのベアラがＮ個のパスを含むとき、第１のベアラ設定の初期ステータスは、Ｎ個のパスの初期ステータスを含む。各パスの初期ステータスは、アクティブ化状態又は非アクティブ化状態である。第１の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０４０８】
任意選択で、第１の指示情報の値が、複数のビットであるか又はバイナリ変換の後に取得される複数のビットであるとき、複数のビットは、複数のパスの論理チャネル識別子ＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及び各セルグループ中の論理チャネル識別子は、複数のパスのＬＣＩＤの昇順にソートされるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及び各セルグループ中の論理チャネル識別子は、複数のパスのＬＣＩＤの昇順にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及び各セルグループ中の論理チャネル識別子は、複数のパスのＬＣＩＤの降順にソートされるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及び各セルグループ中の論理チャネル識別子は、複数のパスのＬＣＩＤの降順にソートされるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【０４０９】
任意選択で、第１のメッセージは第２の指示情報を含み、第２の指示情報は、ベアラ設定を示すために使用される。
【０４１０】
任意選択で、第１のメッセージは第３の指示情報をさらに含み、第３の指示情報は、ベアラ設定の初期ステータスを示すために使用される。
【０４１１】
任意選択で、第１のデバイスのベアラが２つのパスを含むとき、第３の指示情報の値は、第１のベアラ設定の初期ステータスを示すために使用され、初期ステータスは、アクティブ化状態又は非アクティブ化状態を含む。
【０４１２】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含み、Ｎ−１個のパスの初期ステータスはそれぞれ、アクティブ化状態又は非アクティブ化状態であり、第３の指示情報の値は、１ビットであるか又は０から１にわたり、Ｎ−１個のパスの初期ステータスを示すために使用され、Ｎは、１よりも大きい正の整数である。
【０４１３】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含み、第３の指示情報の値は、Ｎ−１ビットであるか又は０から２(N-1)−１にわたり、Ｎ−１個のパスの初期ステータスを示すために使用され、Ｎは、１よりも大きい正の整数である。
【０４１４】
任意選択で、第１のデバイスのベアラがＮ個のパスを含むとき、第１のベアラ設定の初期ステータスは、Ｎ個のパスの初期ステータスを含み、各パスの初期ステータスは、アクティブ化状態又は非アクティブ化状態であり、第３の指示情報の値は、Ｎビットであるか又は０から２(N-1)にわたり、Ｎ個のパスの初期ステータスを示すために使用され、Ｎは、１よりも大きい正の整数である。
【０４１５】
任意選択で、第１のデバイスのベアラがＮ個のパスを含むとき、第１のベアラ設定の初期ステータスは、プライマリパス以外の、Ｎ個のパス中のＮ−１個のパスの初期ステータスを含む。Ｎ−１個のパスの初期ステータスは、アクティブ化状態又は非アクティブ化状態を含む。第３の指示情報の値は、Ｍビットであるか又は０から２(M-1)にわたり、Ｍビットの各々又はバイナリ変換の後に取得されるＭビットの各々は、Ｎ−１個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０４１６】
任意選択で、第１のデバイスのベアラがＮ個のパスを含むとき、第１のベアラ設定の初期ステータスは、Ｎ個のパスの初期ステータスを含む。各パスの初期ステータスは、アクティブ化状態又は非アクティブ化状態である。第３の指示情報の値は、Ｍビットであるか又は０から２(M-1)にわたり、Ｍビットの各々又はバイナリ変換の後に取得されるＭビットの各々は、Ｎ個のパスのうちの少なくとも１つの各々の初期ステータスがアクティブ化状態又は非アクティブ化状態であることを示すために使用され、ＮはＭよりも大きく、ＮとＭの両方は、１よりも大きい正の整数である。
【０４１７】
任意選択で、第３の指示情報の値が、複数のビットであるか又はバイナリ変換の後に取得される複数のビットであるとき、複数のビットは、複数のパスのＬＣＩＤの降順にソートされるか、又は
複数のビットは、複数のパスのＬＣＩＤの昇順にソートされるか、又は
複数のビットは、複数のパスのＬＣＩＤを構成する順序にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及び各セルグループ中の論理チャネル識別子は、複数のパスのＬＣＩＤの昇順にソートされるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及び各セルグループ中の論理チャネル識別子は、複数のパスのＬＣＩＤの昇順にソートされるか、又は
複数のビットは、複数のパスのＬＣＩＤがそれに属するセルグループの順序にソートされ、具体的には、ソートは、最初にマスタセルグループＬＣＩＤ、次いでセカンダリセルグループＬＣＩＤの順序に実施され、及び各セルグループ中の論理チャネル識別子は、複数のパスのＬＣＩＤの降順にソートされるか、又は
複数のビットは、複数のパスのＬＣＩＤがそれに属するセルグループの順序にソートされ、具体的には、ソートは、最初にセカンダリセルグループＬＣＩＤ、次いでマスタセルグループＬＣＩＤの順序に実施され、及び各セルグループ中の論理チャネル識別子は、複数のパスのＬＣＩＤの降順にソートされるか、又は
複数のビットは、複数のパスのＬＣＩＤの降順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの降順にソートされ、ＬＣＩＤが同じ値を有するとき、ソートは、最初にセカンダリセルグループＬＣＩＤ、次いでマスタセルグループＬＣＩＤの順序に実施されるか、又は
複数のビットは、複数のパスのＬＣＩＤの昇順にソートされ、ＬＣＩＤが同じ値を有するとき、ソートは、最初にマスタセルグループＬＣＩＤ、次いでセカンダリセルグループＬＣＩＤの順序に実施されるか、又は
複数のビットは、複数のパスのＬＣＩＤの昇順にソートされ、ＬＣＩＤが同じ値を有するとき、ソートは、最初にセカンダリセルグループＬＣＩＤ、次いでマスタセルグループＬＣＩＤの順序に実施される。
【０４１８】
任意選択で、第１のメッセージは第４の指示情報を含み、第４の指示情報の値は、ベアラ設定及びベアラ設定の初期ステータスを示すために使用される。
【０４１９】
任意選択で、第１のメッセージが第５の指示情報を含むとき、それは、ベアラ設定が第２のベアラ設定であることを示す。
【０４２０】
代替として、第１のメッセージが第６の指示情報を含むが、第５の指示情報を含まないとき、それは、ベアラ設定が第１のベアラ設定であり、第１のベアラ設定の初期ステータスがアクティブ化状態であることを示す。
【０４２１】
代替として、第１のメッセージが第５の指示情報も第６の指示情報も含まないとき、それは、ベアラ設定が第１のベアラ設定であり、第１のベアラ設定の初期ステータスが非アクティブ化状態であることを示す。
【０４２２】
図２１は、本出願のさらに別の実施形態による通信デバイスの概略構造図である。通信デバイスは、少なくとも１つのプロセッサ５０２（例えば、ＣＰＵ）、少なくとも１つのネットワークインターフェース５０５又は別の通信インターフェース、及びメモリ５０６を含む。これらの構成要素は互いに通信し、互いに接続される。プロセッサ５０２は、メモリ５０６に記憶された実行可能モジュール、例えば、コンピュータプログラムを実行するように構成される。メモリ５０６は、高速ランダムアクセスメモリ（ＲＡＭ：Ｒａｎｄｏｍ  Ａｃｃｅｓｓ  Ｍｅｍｏｒｙ）を含み得るか、又は不揮発性メモリ（ｎｏｎ−ｖｏｌａｔｉｌｅ  ｍｅｍｏｒｙ）、例えば、少なくとも１つの磁気ディスクメモリを含み得る。少なくとも１つの別のネットワーク要素への通信接続が、（ワイヤード又はワイヤレスであり得る）少なくとも１つのネットワークインターフェース５０５を通して実装される。
【０４２３】
いくつかの実装では、メモリ５０６はプログラム５０６１を記憶し、プロセッサ５０２は、プログラム５０６１を実行して、本発明の上記の実施形態における方法を実施する。
【０４２４】
プロセッサ５０１は、通信デバイス３００中の処理モジュール３２０の対応する動作及び／又は機能を実施するように構成されてよく、トランシーバ５０３は、通信デバイス３００中のトランシーバモジュール３１０の対応する動作及び／又は機能を実施するように構成されてよい。簡潔のために、詳細について本明細書で再び説明されない。
【０４２５】
図２２は、本出願のまた別の実施形態による通信デバイスの概略構造図である。通信デバイスは、少なくとも１つのプロセッサ６０２（例えば、ＣＰＵ）、少なくとも１つのネットワークインターフェース６０５又は別の通信インターフェース、及びメモリ６０６を含む。これらの構成要素は互いに通信し、互いに接続される。プロセッサ６０２は、メモリ６０６に記憶された実行可能モジュール、例えば、コンピュータプログラムを実行するように構成される。メモリ６０６は、高速ランダムアクセスメモリ（ＲＡＭ：Ｒａｎｄｏｍ  Ａｃｃｅｓｓ  Ｍｅｍｏｒｙ）を含み得るか、又は不揮発性メモリ（ｎｏｎ−ｖｏｌａｔｉｌｅ  ｍｅｍｏｒｙ）、例えば、少なくとも１つの磁気ディスクメモリを含み得る。少なくとも１つの別のネットワーク要素への通信接続が、（ワイヤード又はワイヤレスであり得る）少なくとも１つのネットワークインターフェース６０５を通して実装される。
【０４２６】
いくつかの実装では、メモリ６０６はプログラム６０６１を記憶し、プロセッサ６０２は、プログラム６０６１を実行して、本発明の上記の実施形態における方法を実施する。
【０４２７】
プロセッサ６０１は、通信デバイス４００中の処理モジュール４２０の対応する動作及び／又は機能を実施するように構成されてよく、トランシーバ６０３は、通信デバイス４００中のトランシーバモジュール４１０の対応する動作及び／又は機能を実施するように構成されてよい。簡潔のために、詳細について本明細書で再び説明されない。
【０４２８】
本出願の実施形態は、チップシステムをさらに提供する。チップシステムは通信デバイスに適用される。チップシステムは、少なくとも１つのプロセッサ、少なくとも１つのメモリ、及びインターフェース回路を含む。インターフェース回路は、チップシステムと外部との間の情報交換を担当する。少なくとも１つのメモリ、インターフェース回路、及び少なくとも１つのプロセッサは、ラインを通して互いに接続される。少なくとも１つのメモリは命令を記憶し、命令は、上記の態様による方法における通信デバイスによって実施される動作を実施するために、少なくとも１つのプロセッサによって実行される。
【０４２９】
本出願の実施形態は、通信システムをさらに提供する。通信システムは、通信デバイス及び／又はネットワークデバイスを含む。通信デバイスは、上記の態様における通信デバイスである。
【０４３０】
本出願の実施形態は、コンピュータプログラム製品をさらに提供する。コンピュータプログラム製品は通信デバイスに適用される。コンピュータプログラム製品は一連の命令を含み、命令は、上記の態様による方法における通信デバイスによって実施される動作を実施するために実行される。
【０４３１】
本出願の実施形態では、本出願の実施形態における上記の方法実施形態は、プロセッサに適用され得るか、又はプロセッサによって実装され得ることに留意されたい。プロセッサは、集積回路チップであってよく、信号処理能力を有する。実装処理において、上記の方法実施形態におけるステップは、プロセッサ中のハードウェア組込み論理回路を使用することによって、又はソフトウェアの形態の命令を使用することによって実装されることが可能である。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は別のプログラマブル論理デバイス、個別ゲート又はトランジスタ論理デバイス、又は個別ハードウェア構成要素であってよい。プロセッサは、本出願の実施形態において開示される方法、ステップ、及び論理ブロック図を実装又は実施してよい。汎用プロセッサはマイクロプロセッサであり得るか、又はプロセッサは任意の従来のプロセッサなどであり得る。本出願の実施形態に関して開示される方法のステップは、ハードウェア復号プロセッサを使用することによって直接実行され、完了され得るか、又は復号プロセッサ中のハードウェアモジュール及びソフトウェアモジュールの組合せを使用することによって実行され、完了され得る。ソフトウェアモジュールは、ランダムアクセスメモリ、フラッシュメモリ、読取り専用メモリ、プログラマブル読取り専用メモリ、電気消去可能プログラマブルメモリ、又はレジスタなど、当技術分野における成熟した記憶媒体中に配置され得る。記憶媒体はメモリ中に配置され、プロセッサは、メモリ中の情報を読み取り、プロセッサのハードウェアとの組合せで上記の方法におけるステップを完了する。
【０４３２】
本出願の実施形態におけるメモリは、揮発性メモリ又は不揮発性メモリであり得るか、又は揮発性メモリと不揮発性メモリの両方を含み得ることが理解できよう。不揮発性メモリは、読取り専用メモリ（Ｒｅａｄ−Ｏｎｌｙ  Ｍｅｍｏｒｙ、ＲＯＭ）、プログラマブル読取り専用メモリ（Ｐｒｏｇｒａｍｍａｂｌｅ  ＲＯＭ、ＰＲＯＭ）、消去可能プログラマブル読取り専用メモリ（Ｅｒａｓａｂｌｅ  ＰＲＯＭ、ＥＰＲＯＭ）、電気消去可能プログラマブル読取り専用メモリ（Ｅｌｅｃｔｒｉｃａｌｌｙ  ＥＰＲＯＭ、ＥＥＰＲＯＭ）、又はフラッシュメモリであってよい。揮発性メモリは、外部キャッシュとして使用されるランダムアクセスメモリ（Ｒａｎｄｏｍ  Ａｃｃｅｓｓ  Ｍｅｍｏｒｙ、ＲＡＭ）であってよい。限定ではなく例として、多くの形態のＲＡＭ、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張シンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）、及びダイレクトラムバスランダムアクセスメモリ（Ｄｉｒｅｃｔ  Ｒａｍｂｕｓ  ＲＡＭ、ＤＲ  ＲＡＭ）が使用されてよい。本明細書において説明されるシステム及び方法におけるメモリは、限定はされないが、これらのメモリ及び別の適切なタイプのメモリを含むことを意図されていることに留意されたい。
【０４３３】
本明細書において述べられた「一実施形態」又は「実施形態」は、実施形態に関係する特定の特徴、構造、又は特性が、本出願の少なくとも１つの実施形態に含まれることを意味することを理解されたい。従って、本明細書における「一実施形態では」又は「実施形態では」、同じ実施形態を必ずしも意味しない。加えて、これらの特定の特徴、構造、又は特性は、任意の適切な方式で１つ又は複数の実施形態において組み合わされてよい。上記の処理のシーケンス番号は、本出願の実施形態における実行シーケンスを意味しないことを理解されたい。処理の実行シーケンスは、処理の機能及び内部論理に基づいて決定される必要があり、本出願の実施形態の実装処理に対するいかなる限定としても解釈されるべきではない。
【０４３４】
加えて、本明細書における「システム」及び「ネットワーク」という用語は、本明細書ではしばしば互換的に使用されることがある。本明細書における「及び／又は」という用語は、関連する対象を記述するための関連付け関係のみを記述し、３つの関係が存在し得ることを表す。例えば、Ａ及び／又はＢは、Ａのみが存在する、ＡとＢの両方が存在する、及びＢのみが存在するという、３つの場合を表し得る。加えて、本明細書における「／」という文字は、通常、関連する対象の間の「又は」関係を示す。
【０４３５】
本出願の実施形態では、「Ａに対応するＢ」は、ＢがＡに関連付けられること、及びＢがＡに基づいて決定され得ることを示すことを理解されたい。しかしながら、Ａに基づいてＢを決定することは、ＢがＡのみに基づいて決定されることを意味せず、ＢがＡ及び／又は他の情報に基づいて決定され得ることを意味することをさらに理解されたい。
【０４３６】
上記の実施形態の全部又は一部は、ソフトウェア、ハードウェア、ファームウェア、又はそれらの任意の組合せを使用することによって実装されてよい。実施形態を実装するためにソフトウェアが使用されるとき、実施形態の全部又は一部は、コンピュータプログラム製品の形態で実装されてよい。コンピュータプログラム製品は、１つ又は複数のコンピュータ命令を含み得る。コンピュータプログラム命令がコンピュータ上にロードされ、実行されたとき、本出願の実施形態による手順又は機能が全て又は部分的に生成される。コンピュータは、汎用コンピュータ、専用コンピュータ、コンピュータネットワーク、又は別のプログラマブル装置であってよい。コンピュータ命令は、コンピュータ可読記憶媒体に記憶され得るか、又はコンピュータ可読記憶媒体から別のコンピュータ可読記憶媒体に送信され得る。例えば、コンピュータ命令は、（同軸ケーブル、光ファイバー、又はデジタル加入者線（ＤＳＬ）などの）ワイヤード方式又は（赤外線、無線、又はマイクロ波などの）ワイヤレス方式で、ウェブサイト、コンピュータ、サーバ、又はデータセンターから別のウェブサイト、コンピュータ、サーバ、又はデータセンターに送信され得る。コンピュータ可読記憶媒体は、コンピュータによってアクセス可能な任意の使用可能な媒体、又は１つ又は複数の使用可能な媒体を組み込んでいるサーバ又はデータセンターなどのデータ記憶デバイスであってよい。使用可能な媒体は、磁気媒体（例えば、フロッピーディスク、ハードディスク、又は磁気ディスク）、光媒体（例えば、ＤＶＤ）、半導体媒体（例えば、ソリッドステートドライブＳｏｌｉｄ  Ｓｔａｔｅ  Ｄｉｓｋ（ＳＳＤ））などであり得る。
【０４３７】
当業者は、本明細書で開示される実施形態において説明される例との組合せにおいて、ユニット及びアルゴリズムステップが、電子ハードウェア、又はコンピュータソフトウェアと電子ハードウェアの組合せによって実装されることが可能であることに気づいているであろう。機能がハードウェアによって実施されるか又はソフトウェアによって実施されるかは、特定の適用例及び技術的解決策の設計制約に依存する。当業者は、特定の適用例ごとに説明される機能を実装するために異なる方法を使用し得るが、実装が本出願の範囲を越えると考えられるべきではない。
【０４３８】
好都合で簡単な説明の目的で、説明されるシステム、装置、及びユニットの詳細な動作処理については、上記の方法実施形態における対応する処理を参照されたいことが、当業者によって明らかに理解できよう。詳細について本明細書で再び説明されない。
【０４３９】
本出願において提供されるいくつかの実施形態では、開示されるシステム、装置、及び方法は、別の方式で実装され得ることを理解されたい。例えば、説明される装置実施形態は例にすぎない。例えば、ユニット分割は、論理機能分割にすぎず、実際の実装中では他の分割であってよい。例えば、複数のユニット又は構成要素は組み合わされるか又は別のシステムに統合されることがあるか、又はいくつかの特徴は無視されるか又は実施されないことがある。加えて、表示又は議論された相互結合又は直接結合又は通信接続は、いくつかのインターフェースを通して実装されてよい。装置又はユニット間の間接的結合又は通信接続は、電気的形態、機械的形態、又は別の形態で実装されてよい。
【０４４０】
別個の部分として説明されるユニットは、物理的に別個であることもそうでないこともあり、ユニットとして表示される部分は、物理ユニットであることもそうでないこともあり、１つの位置に配置され得るか、又は複数のネットワークユニット上に分散され得る。ユニットの一部又は全部は、実施形態の解決策の目的を達成するために実際の要件に基づいて選択されてよい。
【０４４１】
加えて、本出願の実施形態における機能ユニットは１つの処理ユニットへと統合され得る、或いは、ユニットの各々が物理的に単独で存在し得る、或いは、２つ以上のユニットが１つのユニットへと統合される。
【０４４２】
機能が、ソフトウェア機能ユニットの形態で実装され、独立した製品として販売又は使用されるとき、機能は、コンピュータ可読記憶媒体に記憶されてよい。そのような理解に基づいて、本質的に本出願の技術的解決策、又は従来技術に寄与する部分、又は技術的解決策の一部は、ソフトウェア製品の形態で実装されてよい。コンピュータソフトウェア製品は、記憶媒体に記憶され、（パーソナルコンピュータ、サーバ、又はネットワークデバイスであり得る）コンピュータデバイスに、本出願の実施形態において説明される方法のステップの全部又は一部を実施するように命令するためのいくつかの命令を含む。上記の記憶媒体は、ＵＳＢフラッシュドライブ、リムーバブルハードディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスクなど、プログラムコードを記憶することができる任意の媒体を含む。
【０４４３】
上記の説明は、本出願の特定の実装にすぎず、本出願の保護範囲を限定することを意図されていない。本出願において開示される技術範囲内で当業者によって容易に想到されるいかなる変形又は置換も、本出願の保護範囲内に入るものである。従って、本出願の保護範囲は、特許請求の範囲の保護範囲に従わなければならないものである。
【図１】
2021522744.tif 000003
【図２】
2021522744.tif 000004
【図３】
2021522744.tif 000005
【図４】
2021522744.tif 000006
【図５】
2021522744.tif 000007
【図６】
2021522744.tif 000008
【図７】
2021522744.tif 000009
【図８】
2021522744.tif 000010
【図９】
2021522744.tif 000011
【図１０】
2021522744.tif 000012
【図１１】
2021522744.tif 000013
【図１２】
2021522744.tif 000014
【図１３】
2021522744.tif 000015
【図１４】
2021522744.tif 000016
【図１５】
2021522744.tif 000017
【図１６】
2021522744.tif 000018
【図１７】
2021522744.tif 000019
【図１８】
2021522744.tif 000020
【図１９】
2021522744.tif 000021
【図２０】
2021522744.tif 000022
【図２１】
2021522744.tif 000023
【図２２】
2021522744.tif 000024
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
第１のデバイスによって、第２のデバイスによって送信された第１のメッセージを受信するステップであって、前記第１のメッセージは、前記第１のデバイスのベアラのベアラ設定と前記ベアラ設定の初期ステータスとを示すために用いられ、前記ベアラ設定は、第１のベアラ設定を含む、ステップと、
前記第１のデバイスによって、前記第１のメッセージに基づいて、前記ベアラ設定と前記ベアラ設定の前記初期ステータスとを決定するステップと
を含む、通信方法。
【請求項２】
前記第１のメッセージが第１の指示情報を含むとき、前記第１のメッセージは、前記ベアラ設定が前記第１のベアラ設定であることを示す、又は、
前記第１のメッセージが第１の指示情報を含まないとき、前記第１のメッセージは、前記ベアラ設定が第２のベアラ設定であることを示す、
請求項１に記載の通信方法。
【請求項３】
前記第１のメッセージが前記第１の指示情報を含むとき、前記第１の指示情報の値は、前記第１のベアラ設定の初期ステータスを示すために用いられる、
請求項２に記載の通信方法。
【請求項４】
前記第１のデバイスの前記ベアラが２つのパスを含むとき、前記第１の指示情報の前記値は、前記第１のベアラ設定の前記初期ステータスを示すために用いられ、前記初期ステータスは、アクティブ化状態又は非アクティブ化状態を含む、
請求項３に記載の通信方法。
【請求項５】
前記第１のデバイスの前記ベアラがＮ個のパスを含むとき、前記第１のベアラ設定の前記初期ステータスは、前記Ｎ個のパスのうちプライマリパス以外のＮ−１個のパスの初期ステータスを含み、前記Ｎ−１個のパスの前記初期ステータスは、アクティブ化状態を含み、前記Ｎ−１個のパスの前記初期ステータスを示すために用いられ、Ｎは１より大きい正の整数である、
請求項３に記載の通信方法。
【請求項６】
前記第１の指示情報の前記値が複数のビットであるとき、
前記複数のビットは、前記複数のパスのＬＣＩＤが属するセルグループの順序でソートされ、具体的には、ソートは、最初にマスタセルグループＬＣＩＤ、次いでセカンダリセルグループＬＣＩＤの順序で実行され、ソートは、各セルグループにおける複数のパスのＬＣＩＤの昇順で実行される、
請求項４又は５に記載の通信方法。
【請求項７】
前記第１のメッセージは、第２の指示情報を含み、前記第２の指示情報は、前記ベアラ設定を示すために用いられる、
請求項１に記載の通信方法。
【請求項８】
前記第１のメッセージは、第３の指示情報をさらに含み、前記第３の指示情報は、前記ベアラ設定の前記初期ステータスを示すために用いられる、
請求項７に記載の通信方法。
【請求項９】
前記第１のデバイスの前記ベアラが２つのパスを含むとき、前記第３の指示情報の値は、前記第１のベアラ設定の初期ステータスを示すために用いられ、前記初期ステータスは、アクティブ化状態又は非アクティブ化状態を含む、
請求項８に記載の通信方法。
【請求項１０】
前記第１のメッセージは、第４の指示情報を含み、前記第４の指示情報の値は、前記ベアラ設定と前記ベアラ設定の前記初期ステータスとを示すために用いられる、
請求項１に記載の通信方法。
【請求項１１】
前記第１のメッセージが第５の指示情報を含むとき、前記第１のメッセージは、前記ベアラ設定が第２のベアラ設定であることを示す、又は、
前記第１のメッセージが第６の指示情報を含むが、前記第５の指示情報を含まないとき、前記第１のメッセージは、前記ベアラ設定が前記第１のベアラ設定であり、かつ前記第１のベアラ設定の初期ステータスがアクティブ化状態であることを示す、又は、
前記第１のメッセージが前記第５の指示情報も、前記第６の指示情報も含まないとき、それは、前記ベアラ設定が前記第１のベアラ設定であり、かつ前記第１のベアラ設定の初期ステータスが非アクティブ化状態であることを示す、
請求項１に記載の通信方法。
【請求項１２】
前記第１のベアラ設定は、複製を持つベアラを設定することであり、及び／又は、第２のベアラ設定は、分割ベアラを設定することである、
請求項１〜１１のいずれか１項に記載の通信方法。
【請求項１３】
前記第１のデバイスの前記ベアラは、データ無線ベアラ又はシグナリング無線ベアラである、
請求項１〜１２のいずれか１項に記載の通信方法。
【請求項１４】
第２のデバイスによって、第１のデバイスのベアラのベアラ設定と、前記ベアラ設定の初期ステータスとを設定するステップと、
前記第２のデバイスによって、第１のメッセージを前記第１のデバイスに送信するステップであって、前記第１のメッセージは、前記ベアラ設定と、前記ベアラ設定の前記初期ステータスとを示すために用いられ、前記ベアラ設定は、第１のベアラ設定を含む、ステップと
を含む、通信方法。
【請求項１５】
前記第１のメッセージが第１の指示情報を含むとき、前記第１のメッセージは、前記ベアラ設定が前記第１のベアラ設定であることを示す、又は、
前記第１のメッセージが第１の指示情報を含まないとき、前記第１のメッセージは、前記ベアラ設定が第２のベアラ設定であることを示す、
請求項１４に記載の通信方法。
【請求項１６】
前記第１のメッセージが前記第１の指示情報を含むとき、前記第１の指示情報の値は、前記第１のベアラ設定の初期ステータスを示すために用いられる、
請求項１５に記載の通信方法。
【請求項１７】
前記第１のデバイスの前記ベアラが２つのパスを含むとき、前記第１の指示情報の前記値は、前記第１のベアラ設定の前記初期ステータスを示すために用いられ、前記初期ステータスは、アクティブ化状態又は非アクティブ化状態を含む、
請求項１６に記載の通信方法。
【請求項１８】
通信デバイスであって、前記通信デバイスは、少なくとも１つのプロセッサと、通信インターフェースとを含み、前記通信インターフェースは、前記通信デバイスと他の通信デバイスとの間の情報交換を実行するように構成され、プログラム命令が前記少なくとも１つのプロセッサによって実行されるとき、前記通信デバイスは、請求項１〜１３のいずれか１項に記載の前記通信方法における前記通信デバイスの機能を実装することができる、通信デバイス。
【請求項１９】
通信デバイスであって、前記通信デバイスは、少なくとも１つのプロセッサと、通信インターフェースとを含み、前記通信インターフェースは、前記通信デバイスと他の通信デバイスとの間の情報交換を実行するように構成され、プログラム命令が前記少なくとも１つのプロセッサによって実行されるとき、前記通信デバイスは、請求項１４〜１７のいずれか１項に記載の前記通信方法における前記通信デバイスの機能を実装することができる、通信デバイス。
【請求項２０】
通信デバイスであって、前記通信デバイスは、請求項１〜１３のいずれか１項に記載の前記通信方法を実行するように構成され、前記通信デバイスは、請求項１〜１３のいずれか１項に記載の前記通信方法を実行するように構成されたモジュールを備える、通信デバイス。
【請求項２１】
通信デバイスであって、前記通信デバイスは、請求項１４〜１７のいずれか１項に記載の前記通信方法を実行するように構成され、前記通信デバイスは、請求項１４〜１７のいずれか１項に記載の前記通信方法を実行するように構成されたモジュールを備える、通信デバイス。
【請求項２２】
通信デバイスに適用されるチップシステムであって、前記チップシステムは、少なくとも１つのプロセッサと、少なくとも１つのメモリと、インターフェース回路とを備え、前記インターフェース回路は、前記チップシステムとその外部との間の情報交換を担い、前記少なくとも１つのメモリ、前記インターフェース回路、及び前記少なくとも１つのプロセッサは、ラインを通じて互いに接続され、前記少なくとも１つのメモリは、命令を格納し、前記命令は、請求項１〜１７のいずれか１項に記載の前記通信方法において前記通信デバイスによって実行される処理を実行するために、前記少なくとも１つのプロセッサによって実行される、チップシステム。
【請求項２３】
通信システムであって、前記通信システムは、通信デバイスを含み、前記通信デバイスは、請求項１〜１７のいずれか１項に記載の前記通信方法を実行するように構成されている、通信システム。
【請求項２４】
通信デバイスに適用されるコンピュータプログラムであって、前記コンピュータプログラムは一連の命令を含み、前記命令が実行され、請求項１〜１７のいずれか１項に記載の前記通信方法において前記通信デバイスによって実行される処理を実行する、コンピュータプログラム。
【請求項２５】
コンピュータ可読記録媒体であって、前記コンピュータ可読記録媒体は、命令を格納し、前記命令がコンピュータ上で実行されるとき、前記コンピュータは、請求項１〜１７のいずれか１項に記載の前記通信方法を実行することができる、コンピュータ可読記録媒体。
【国際調査報告】
2021522744.tif 000025
2021522744.tif 000026
2021522744.tif 000027
2021522744.tif 000028